(57)【特許請求の範囲】
【請求項１】
周方向に周回するとともに、該周方向に複数種の絵柄が付された複数の周回体と、
前記各周回体の周回を開始させるべく操作される開始操作手段と、
前記開始操作手段の操作に基づいて役の抽選を行う抽選手段と、
前記各周回体の周回を個別に停止させるべく操作される複数の停止操作手段と、
前記開始操作手段の操作に基づいて前記各周回体の周回を開始させるとともに、前記停止操作手段の操作に基づいて対応する周回体の周回を停止させるよう前記各周回体を駆動制御する駆動制御手段と、
前記各周回体が周回を停止し、前記役の抽選に当選した当選役と対応する当選絵柄が有効位置に停止した場合、遊技者に特典を付与する特典付与手段と
を備えた遊技機において、
役の抽選結果を示唆する補助演出を行うことが可能な補助演出手段と、
前記開始操作手段と前記各停止操作手段とのうち特定操作手段について操作順序を予め複数記憶する操作順序記憶手段と、
前記各周回体の周回を開始させるべく又は対応する周回体の周回を停止させるべく前記特定操作手段を操作されてから前記特定操作手段になされた操作を記憶する操作結果記憶手段と、
前記各周回体の周回を開始させるべく又は対応する周回体の周回を停止させるべく前記特定操作手段を操作されてから前記操作順序記憶手段に記憶された操作順序で前記特定操作手段を操作された場合、特定操作がなされたと判定する特定操作判定手段と、
前記特定操作判定手段が前記特定操作をなされたと判定した場合、前記特定操作手段の操作順序に応じた補助演出を前記補助演出手段に行わせると決定する実行決定手段と
を備え、
前記特定操作判定手段を、前記操作結果記憶手段に所定回数の操作が記憶された後に第２特定操作手段が操作された場合、前記操作結果記憶手段の記憶結果と前記操作順序記憶手段の記憶する操作順序とが一致するか否かを判定し、一致した場合に特定操作がなされたと判定する構成とし、
前記操作結果記憶手段に前記所定回数の操作が記憶される前に前記第２特定操作手段が操作された場合、前記操作結果記憶手段の記憶結果を消去する消去手段と、
前記消去手段が前記操作結果記憶手段の記憶結果を消去した後に前記特定操作手段が操作された場合、前記操作結果記憶手段に前記特定操作手段になされた操作を記憶させる手段と
を設けたことを特徴とする遊技機。
【発明の詳細な説明】
【技術分野】
【０００１】
本発明は、スロットマシン等の遊技機に関するものである。
【背景技術】
【０００２】
複数のリールを回転させたあとに停止させる遊技機としては、例えばスロットマシンがある。スロットマシンでは、各リールの外周部に複数の図柄が付与されており、表示窓を通じて各リールに付与された図柄の一部が視認可能な構成となっている。そして、遊技者がメダルを投入することで有効ラインが設定され、その後、遊技者がスタートレバーを操作することでスロットマシンの内部にて役の抽選が行われるとともに各リールが回転を開始し、各リールが回転を開始した後にストップスイッチを操作することで各リールが順次停止して１回のゲームが終了する。そして、全てのリールが回転を停止した際に有効ライン上に当選となった図柄の組合せが停止すると入賞となり、メダルが払い出される特典や遊技状態が移行される特典等が遊技者に付与される。したがって、遊技者は、変動する図柄を見て、そして所定の図柄が有効ライン上に停止するようストップスイッチを操作することが一般的であり、換言すれば、遊技者が遊技に積極参加できることがスロットマシンの特徴であると言える。また近年では、役の抽選に当選した場合に、当該抽選結果を示唆する補助演出を行うことが可能なスロットマシンも提案されている（例えば特許文献１参照）。
【先行技術文献】
【特許文献】
【０００３】
【特許文献１】特開２００２−３５５３６４号公報
【発明の概要】
【発明が解決しようとする課題】
【０００４】
しかしながら、本発明者らは、役の抽選結果を示唆する補助演出を行うにあたり、次のことを懸念するに至った。すなわち、全リールが回転している状況下で役の抽選結果を把握可能な補助演出を行った場合、特典の付与を望む遊技者は、示唆された役と対応する入賞を成立させるべくストップスイッチを操作することとなる。これは、遊技者の狙うべき図柄が制限されることとなるため、繰り返し行われるゲームの中で遊技者が遊技に対して受動的な印象を抱き、その結果として遊技を行う意欲を減退させてしまう可能性が考えられる。一方、かかる懸念を解消すべく、全リールの停止後に役の抽選結果を把握可能な補助演出を行った場合、役の抽選に当選していることを把握したとしてもそのゲームで対応する入賞を成立させることはできない。このため、かかる構成とした場合であっても遊技を行う意欲を減退させてしまう可能性が考えられる。
【０００５】
なお、以上の問題は、スロットマシンに限らず、複数種の絵柄を変動表示させ、その後の停止操作手段の操作に基づいて変動表示を終了させる他の遊技機にも該当する問題である。
【０００６】
本発明は上記事情に鑑みてなされたものであり、遊技者の遊技意欲を減退させることなく補助演出を行うことが可能な遊技機を提供することを目的とするものである。
【課題を解決するための手段】
【０００７】
請求項１に記載の発明では、周方向に周回するとともに、該周方向に複数種の絵柄が付された複数の周回体と、前記各周回体の周回を開始させるべく操作される開始操作手段と、前記開始操作手段の操作に基づいて役の抽選を行う抽選手段と、前記各周回体の周回を個別に停止させるべく操作される複数の停止操作手段と、前記開始操作手段の操作に基づいて前記各周回体の周回を開始させるとともに、前記停止操作手段の操作に基づいて対応する周回体の周回を停止させるよう前記各周回体を駆動制御する駆動制御手段と、前記各周回体が周回を停止し、前記役の抽選に当選した当選役と対応する当選絵柄が有効位置に停止した場合、遊技者に特典を付与する特典付与手段とを備えた遊技機において、役の抽選結果を示唆する補助演出を行うことが可能な補助演出手段と、前記開始操作手段と前記各停止操作手段とのうち特定操作手段について操作順序を予め複数記憶する操作順序記憶手段と、前記各周回体の周回を開始させるべく又は対応する周回体の周回を停止させるべく前記特定操作手段を操作されてから前記特定操作手段になされた操作を記憶する操作結果記憶手段と、前記各周回体の周回を開始させるべく又は対応する周回体の周回を停止させるべく前記特定操作手段を操作されてから前記操作順序記憶手段に記憶された操作順序で前記特定操作手段を操作された場合、特定操作がなされたと判定する特定操作判定手段と、前記特定操作判定手段が前記特定操作をなされたと判定した場合、前記特定操作手段の操作順序に応じた補助演出を前記補助演出手段に行わせると決定する実行決定手段とを備え、前記特定操作判定手段を、前記操作結果記憶手段に所定回数の操作が記憶された後に第２特定操作手段が操作された場合、前記操作結果記憶手段の記憶結果と前記操作順序記憶手段の記憶する操作順序とが一致するか否かを判定し、一致した場合に特定操作がなされたと判定する構成とし、前記操作結果記憶手段に前記所定回数の操作が記憶される前に前記第２特定操作手段が操作された場合、前記操作結果記憶手段の記憶結果を消去する消去手段と、前記消去手段が前記操作結果記憶手段の記憶結果を消去した後に前記特定操作手段が操作された場合、前記操作結果記憶手段に前記特定操作手段になされた操作を記憶させる手段とを設けたことを特徴とする。
【発明の効果】
【０００８】
遊技者の遊技意欲を減退させることなく補助演出を行うことが可能となる。
【図面の簡単な説明】
【０００９】
【図１】一実施の形態におけるスロットマシンの正面図。
【図２】前面扉を閉じた状態を示すスロットマシンの斜視図。
【図３】前面扉を開いた状態を示すスロットマシンの斜視図。
【図４】前面扉の背面図。
【図５】筐体の正面図。
【図６】各リールの図柄配列を示す図。
【図７】表示窓から視認可能となる図柄と組合せラインとの関係を示す説明図。
【図８】入賞態様と付与される特典との関係を示す説明図。
【図９】スロットマシンのブロック図。
【図１０】タイマ割込み処理を示すフローチャート。
【図１１】通常処理を示すフローチャート。
【図１２】継続処理を示すフローチャート。
【図１３】ベット後処理を示すフローチャート。
【図１４】抽選処理を示すフローチャート。
【図１５】通常状態用抽選テーブルの一例を示す図。
【図１６】スベリテーブルの一例を示す図。
【図１７】リール制御処理を示すフローチャート。
【図１８】停止前処理を示すフローチャート。
【図１９】開始後処理を示すフローチャート。
【図２０】ＲＴ状態処理を示すフローチャート。
【図２１】終了判定処理を示すフローチャート。
【図２２】ＢＢ状態処理を示すフローチャート。
【図２３】ＲＢ状態処理を示すフローチャート。
【図２４】テーブル選択処理を示すフローチャート。
【図２５】（ａ）は第１抽選テーブルの一例を示す図であり、（ｂ）は第２抽選テーブルの一例を示す図である。
【図２６】表示制御装置のブロック図。
【図２７】表示タイマ割込み処理を示すフローチャート。
【図２８】コマンド割込み処理を示すフローチャート。
【図２９】表示メイン処理を示すフローチャート。
【図３０】駆動データ出力処理を示すフローチャート。
【図３１】特定時間処理を示すフローチャート。
【図３２】抽選結果コマンド処理を示すフローチャート。
【図３３】回転情報コマンド処理を示すフローチャート。
【図３４】操作コマンド処理を示すフローチャート。
【図３５】ベット順序記憶処理を示すフローチャート。
【図３６】補助演出変更処理を示すフローチャート。
【図３７】ベット順序テーブルを示す図である。
【発明を実施するための形態】
【００１０】
以下、本発明の遊技機を手段として区分して示し、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【００１１】
手段１．周方向に周回するとともに、該周方向に複数種の絵柄（図柄）が付された複数の周回体（リール３２Ｌ，３２Ｍ，３２Ｒ）と、
前記各周回体の周回を開始させるべく操作される開始操作手段（スタートレバー４１、第１〜第３クレジット投入スイッチ５６〜５８）と、
前記開始操作手段の操作に基づいて役の抽選を行う抽選手段（主制御装置１０１の抽選処理機能）と、
前記各周回体の周回を個別に停止させるべく操作される複数の停止操作手段（ストップスイッチ４２〜４４）と、
前記開始操作手段の操作に基づいて前記各周回体の周回を開始させるとともに、前記停止操作手段の操作に基づいて対応する周回体の周回を停止させるよう前記各周回体を駆動制御する駆動制御手段（主制御装置１０１のスベリテーブル設定処理機能及びリール制御処理機能）と、
前記各周回体が周回を停止し、前記役の抽選に当選した当選役と対応する当選絵柄が有効位置に停止した場合、遊技者に特典を付与する特典付与手段（主制御装置１０１の払出判定処理機能Ｓ６１２，メダル払出処理機能Ｓ２１３，ＲＴ状態処理機能Ｓ２１４，ＢＢ状態処理機能Ｓ２１５）と
を備えた遊技機において、
役の抽選結果を示唆する補助演出を行うことが可能な補助演出手段（上部ランプ６３、スピーカ６４、補助表示部６５）と、
前記開始操作手段と前記各停止操作手段とのうち特定操作手段（第１〜第３クレジット投入スイッチ５６〜５８、スタートレバー４１）について操作順序を予め複数記憶する操作順序記憶手段（表示制御装置８１のＲＯＭ８７）と、
前記各周回体の周回を開始させるべく又は対応する周回体の周回を停止させるべく前記特定操作手段を操作されてから前記操作順序記憶手段に記憶された操作順序で前記特定操作手段を操作された場合、特定操作がなされたと判定する特定操作判定手段（表示制御装置８１の操作コマンド処理機能）と、
前記特定操作判定手段が前記特定操作をなされたと判定した場合、前記特定操作手段の操作順序に応じた補助演出を前記補助演出手段に行わせると決定する実行決定手段（表示制御装置８１の補助演出設定処理機能Ｓ２１０５）と
を備えたことを特徴とする遊技機。
【００１２】
手段１によれば、開始操作手段と各停止操作手段のうち特定操作手段について操作順序が予め記憶されている。そして、各周回体の周回を開始させるべく又は対応する周回体の周回を停止させるべく特定操作手段を操作されてから、記憶された操作順序で前記特定操作手段を操作された場合に、特定操作がなされたと判定され、補助演出手段にて補助演出が行われる。つまり、遊技の開始又は進行に関する役割を有するとともにその役割を終えた特定操作手段に特定操作が行われた場合に、補助演出手段にて役の抽選結果を示唆する補助演出が行われる。かかる構成においては、遊技者が補助演出を通じて役の抽選結果を把握したいと考えるのであれば、その遊技回にて遊技者が特定操作を行えば良く、さらには、遊技者が役の抽選結果を把握したいと考えるタイミングで特定操作を行えば良い。故に、遊技者の意向に基づいて補助演出を行うことが可能となり、遊技者の遊技意欲を減退させることなく補助演出を行うことが可能となる。
また、操作順序記憶手段には特定操作手段の操作順序が複数記憶されており、特定操作がなされたと判定した場合には、特定操作手段の操作順序に応じた補助演出が行われる。かかる構成とすることにより、特定操作手段の操作順序を通じて遊技者が補助演出を選択することが可能となり、遊技の進行のみならず補助演出に関しても遊技者を積極関与させることが可能となる。
さらに、遊技の開始又は進行に関する役割を終えた特定操作手段の特定操作を補助演出の実行契機とすることにより、遊技の進行に関わる操作手段と別個に補助演出を行わせるための操作手段を設ける必要が無くなり、遊技機の部品点数増加を抑制することが可能となる。
【００１３】
手段２．上記手段１において、前記各周回体の周回を開始させるべく又は対応する周回体の周回を停止させるべく前記特定操作手段を操作されてから前記特定操作手段になされた操作を記憶する操作結果記憶手段（表示制御装置８１のベット順序記憶エリア）を備え、前記特定操作判定手段は、前記操作結果記憶手段に所定回数（３回）の操作が記憶された後に前記操作結果記憶手段の記憶結果と前記操作順序記憶手段の記憶する操作順序とが一致するか否かを判定し、一致した場合に特定操作がなされたと判定することを特徴とする遊技機。
【００１４】
手段２によれば、特定操作がなされたか否かの判定は、遊技の開始又は進行に関する役割を終えた特定操作手段に対して所定回数の操作がなされた後に行われる。特定操作手段が所定の順序で操作された場合に特定操作がなされたと判定して補助演出を行う構成においては、補助演出の実行タイミングが遊技者に依存することとなる。また、特定操作がなされたと判定される前段階で遊技者が特定操作手段に対する操作を終了してしまう可能性も考えられる。そこで、遊技の開始又は進行に関する役割を終えた特定操作手段に対して所定回数の操作がなされた後に特定操作がなされたか否かの判定を行う構成とすることにより、補助演出に関わる処理負荷を低減させることが可能となる。
【００１５】
手段３．上記手段２において、前記操作結果記憶手段は、１遊技回において少なくとも前記特定操作判定手段が前記特定操作をなされたか否かを判定するまで前記特定操作手段になされた操作を記憶することを特徴とする遊技機。
【００１６】
手段３によれば、遊技の開始又は進行に関する役割を終えた特定操作手段になされた操作は、１遊技回において少なくとも特定操作がなされたか否かが判定されるまで記憶される。かかる構成とすることにより、特定操作がなされたと判定されるためには遊技の開始又は進行に関する役割を終えた特定操作手段を所定の操作順序で操作する必要のある構成、すなわち遊技の開始又は進行に関する役割を終えた特定操作手段を複数回操作する必要のある構成とした場合であっても、特定操作の煩雑化を抑制することが可能となり、補助演出の開始契機について遊技者を積極参加させることが可能となる。例えば周回体が停止する毎に操作結果記憶手段の記憶結果が初期化される構成とした場合、遊技の開始又は進行に関する役割を終えた特定操作手段の操作回数が前記複数回に到達する前に遊技を進行させてしまうと、改めて前記特定操作手段の操作をやり直す必要が生じてしまうからである。
【００１７】
手段４．上記手段１乃至手段３のいずれかにおいて、前記操作順序記憶手段の記憶する操作順序と、補助演出の演出内容との対応関係を定めた演出内容情報群（ベット順序テーブル）を設け、前記実行決定手段を、前記演出内容情報群に基づいて行うべき補助演出の演出内容を決定する構成としたことを特徴とする遊技機。
【００１８】
手段４によれば、操作順序記憶手段の記憶する操作順序と、補助演出の演出内容との対応関係が定められた演出内容情報群が設けられており、特定操作がなされたと判定した場合には、演出内容情報群に基づいて行うべき補助演出の演出内容が決定される。かかる構成とすることにより、特定操作がなされたと判定した後に速やかに行うべき補助演出の演出内容を決定することが可能となり、補助演出に関わる処理負荷を低減させることが可能となる。
【００１９】
手段５．上記手段１乃至手段４のいずれかにおいて、前記役の抽選結果に基づいて前記補助演出手段に前記補助演出を行わせるか否かを決定する第２実行決定手段（表示制御装置８１の補助演出抽選機能Ｓ１９０３〜Ｓ１９０５）と、前記第２実行決定手段の決定結果が前記補助演出を行わせない結果であっても、前記特定操作判定手段が前記特定操作をなされたと判定したことに基づいて前記補助演出手段に前記補助演出を行わせる補助演出実行手段（表示制御装置８１の補助演出設定処理機能）と、を備えたことを特徴とする遊技機。
【００２０】
手段５によれば、役の抽選結果に基づいて補助演出を行わせないと決定されている場合であっても、特定操作がなされたことに基づいて補助演出が行われる。かかる構成とすることにより、補助演出を行う予定がない遊技回であっても特定操作を行えば役の抽選結果を把握できるようになり、遊技者の意向に即した補助演出を行うことができる。
【００２１】
手段６．上記手段１乃至手段４のいずれかにおいて、前記役の抽選結果に基づいて前記補助演出手段に前記補助演出を行わせるか否かを決定する第２実行決定手段（表示制御装置８１の補助演出抽選機能Ｓ１９０３〜Ｓ１９０５）を備え、前記補助演出手段は、前記第２実行決定手段の決定結果が前記補助演出を行わせない結果であっても、前記実行決定手段の決定結果が前記補助演出を行わせる結果であれば前記補助演出を行うことを特徴とする遊技機。
【００２２】
手段６によれば、役の抽選結果に基づいて補助演出を行わせないと決定されている場合であっても、特定操作がなされた場合には補助演出が行われる。かかる構成とすることにより、補助演出を行う予定がない遊技回であっても特定操作を行えば役の抽選結果を把握できるようになり、遊技者の意向に即した補助演出を行うことができる。
【００２３】
手段７．上記手段１乃至手段６のいずれかにおいて、前記開始操作手段を複数の操作部材より構成し、前記特定操作手段を前記複数の操作部材としたことを特徴とする遊技機。
【００２４】
手段７によれば、開始操作手段を構成する複数の操作部材を操作順序記憶手段に記憶された操作順序で操作すれば、その操作順序に応じた補助演出が行われる。かかる構成とすることにより、全ての周回体が周回している状況下においても特定操作を行うことが可能となり、遊技者の意図する任意のタイミングで特定操作を行うことが可能となる。この結果、遊技者の意向に基づいて補助演出を行うことが可能となり、遊技者の遊技意欲を減退させることなく補助演出を行うことが可能となる。
【００２５】
手段８．上記手段１乃至手段７のいずれかにおいて、前記役の抽選結果が第１所定役（第１〜第３ＲＴ）当選であって、前記有効位置に第１所定組合せ（第１〜第３ＲＴ図柄の組合せ）が停止したことに基づいて、第１所定入賞成立として遊技状態を第１遊技状態（通常状態）より遊技者に有利な第２遊技状態（ＲＴ状態）に移行させる特典を付与する第２遊技状態移行手段（主制御装置１０１のＲＴ開始処理Ｓ９０３）と、
前記役の抽選結果が第２所定役（第１〜第３ＢＴ）当選であって、前記有効位置に第２所定組合せ（第１〜第３ＢＴ図柄の組合せ）が停止したことに基づいて、第２所定入賞成立として遊技状態を第１遊技状態（通常状態）より遊技者に不利な第３遊技状態（ＢＴ状態）に移行させる特典を付与する第３遊技状態移行手段（主制御装置１０１のＢＴ開始処理Ｓ９０５）と
を備え、
前記第１所定役を複数設定し、
前記各周回体のうち規定周回体（左リール４２Ｌ）には、前記第１所定組合せを形成する第１所定絵柄（「赤７」図柄，「青７」図柄，「白７」図柄）として前記第１所定役毎に異なる絵柄を配置するとともに、１の第１所定役と対応する第１所定絵柄を規定期間（１９０ｍｓｅｃ）に前記有効位置に到達させることが可能なタイミングで対応する停止操作手段を操作された場合、他の第１所定役と対応する第１所定絵柄が前記操作タイミングからの前記規定期間に前記有効位置に到達しないよう、前記各第１所定絵柄を離間して配置し、さらに、前記第１所定絵柄を前記規定期間に前記有効位置に到達させることが可能であって、所定位置に配置された絵柄が前記有効位置に到達したタイミングで対応する停止操作手段を操作された場合、前記第２所定組合せを形成する第２所定絵柄（「赤チェリー」図柄，「青チェリー」図柄，「白チェリー」図柄）が前記操作タイミングからの前記規定期間に前記有効位置に到達し得るよう、前記各第１所定絵柄と前記第２所定絵柄を配置したことを特徴とする遊技機。
【００２６】
手段８によれば、有効位置に第１所定組合せが停止した場合、第１所定入賞成立として遊技状態が第１遊技状態より遊技者に有利な第２遊技状態に移行することがある。また、各周回体のうち規定周回体には、各第１所定役毎に異なる第１所定絵柄が配置されており、１の第１所定役と対応する第１所定絵柄を規定期間に有効位置に到達させることが可能なタイミングで対応する停止操作手段を操作された場合、他の第１所定役と対応する第１所定絵柄が前記操作タイミングからの規定期間に有効位置に到達しないよう、これら第１所定絵柄が離間して配置されている。かかる構成においては、いずれかの第１所定絵柄を有効位置に到達させることが可能なタイミングで規定周回体と対応する停止操作手段を操作した場合、この第１所定絵柄を含む第１所定組合せを有効位置に停止させて第１所定入賞を成立させることは可能となるが、他の第１所定絵柄を含む第１所定組合せを有効位置に停止させて他の第１所定入賞を成立させることはできない。故に、いずれの第１所定入賞を成立させるべく規定周回体と対応する停止操作手段を操作するのかを遊技者に選択させることが可能となり、遊技者を遊技に積極参加させることが可能となる。
【００２７】
また、規定周回体には、第１所定絵柄を規定期間に有効位置に到達させることが可能であって、所定位置に配置された絵柄が有効位置に到達したタイミングで対応する停止操作手段を操作された場合、第２所定絵柄が前記操作タイミングからの規定期間に有効位置に到達し得るよう、第１所定絵柄と第２所定絵柄が配置されている。そして、有効位置に第２所定組合せが停止した場合、第２所定入賞成立として遊技状態が第１遊技状態より遊技者に不利な第３遊技状態に移行することがある。したがって、遊技状態が第２遊技状態に移行することを期待する一方で第３遊技状態に移行することを回避させたい遊技者は、いずれかの第１所定入賞を成立させるべく規定周回体と対応する停止操作手段を操作する場合に、対応する第１所定絵柄を規定期間に有効位置に到達させることが可能であって、所定位置に配置された絵柄が有効位置に到達していないタイミングで操作する必要がある。故に、遊技状態が第３遊技状態に移行する可能性を許容するか否かも遊技者に考慮させた上で停止操作手段を操作させることが可能となり、遊技者を遊技に積極参加させることが可能となる。
【００２８】
さらに、かかる構成を上記手段１乃至手段７のいずれかの構成に適用することにより、相乗効果を奏することができる。第１所定入賞が成立した場合と第２所定入賞が成立した場合とではその後の遊技者の有利度合いが異なるため、自己の運を信じて規定周回体と対応する停止操作手段を操作できる場合と、役の抽選結果を把握した上で規定周回体と対応する停止操作手段を操作したいと考える場合とが生じると想定される。そこで、遊技の開始又は進行に関する役割を終えた特定操作手段を操作順序記憶手段に記憶された操作順序で操作された場合に、その操作順序に応じて補助演出の演出内容を異ならせる構成とすれば、遊技者の意向に好適な形で沿うことが可能となるからである。
【００２９】
なお、「絵柄を規定期間に有効位置に到達させることが可能なタイミング」とは、前記絵柄を規定期間に有効位置に到達させることが可能なタイミングと、前記絵柄が有効位置に到達しているタイミングとを含む。以下も同様である。
【００３０】
手段９．上記手段８において、前記第２所定役を複数設定し、前記規定周回体には、前記第２所定絵柄として前記第２所定役毎に異なる絵柄を配置するとともに、１の第２所定役と対応する第２所定絵柄を前記規定期間に前記有効位置に到達させることが可能なタイミングで対応する停止操作手段を操作された場合、他の第２所定役と対応する第２所定絵柄が前記操作タイミングからの前記規定期間に前記有効位置に到達しないよう、前記各第２所定絵柄を離間して配置し、さらに、前記第２所定絵柄を前記規定期間に前記有効位置に到達させることが可能なタイミングで対応する停止操作手段を操作された場合、前記第１所定絵柄のうち少なくとも１つが前記操作タイミングからの前記規定期間に前記有効位置に到達し得るよう、前記各第１所定絵柄と前記各第２所定絵柄を配置したことを特徴とする遊技機。
【００３１】
手段９によれば、規定周回体には、各第２所定役毎に異なる第２所定絵柄が配置されており、１の第２所定役と対応する第２所定絵柄を規定期間に有効位置に到達させることが可能なタイミングで対応する停止操作手段を操作された場合、他の第２所定役と対応する第２所定絵柄が前記操作タイミングからの規定期間に有効位置に到達しないよう、これら第２所定絵柄が離間して配置されている。したがって、遊技状態が第３遊技状態に移行することを回避させたい遊技者は、当選していないと推測した第２所定役と対応する第２所定絵柄を有効位置に到達させることが可能なタイミングで規定周回体と対応する停止操作手段を操作すればよい。故に、遊技者を遊技に積極参加させることにより、遊技の単調化を抑制することが可能となる。
【００３２】
また、規定周回体には、第２所定絵柄を規定期間に有効位置に到達させることが可能なタイミングで対応する停止操作手段を操作された場合、少なくとも１つの第１所定絵柄が操作タイミングからの規定期間に有効位置に到達し得るよう、各第１所定絵柄と各第２所定絵柄が配置されている。このため、第３遊技状態に移行することを回避させるべく、当選していないと推測した第２所定役と対応する第２所定絵柄を有効位置に到達させることが可能なタイミングで規定周回体と対応する停止操作手段を操作している遊技者が、第１所定役のいずれかに当選している場合に第１所定入賞を成立させ得る機会を失する不具合を回避することが可能となる。
【００３３】
手段１０．上記手段８又は手段９において、前記役の抽選が行われる抽選役を、前記役の抽選結果が前記第１所定役のいずれかと前記第２所定役に共に当選となる機会が生じるように設定したことを特徴とする遊技機。
【００３４】
手段１０によれば、１の遊技回で第１所定役のいずれかと第２所定役に共に当選している機会が生じる。かかる構成とすることにより、第２遊技状態と第３遊技状態のいずれにも移行する可能性がある遊技回を生じさせることが可能となり、規定周回体と対応する停止操作手段をどのようなタイミングで操作するかの選択をより強く促すことが可能となる。
【００３５】
手段１１．上記手段１０において、前記役の抽選が行われる抽選役を、前記役の抽選結果が前記第１所定役当選である場合には前記第２所定役に当選となるように設定したことを特徴とする遊技機。
【００３６】
手段１１によれば、第１所定役に当選している場合には、常に第２所定役にも当選していることとなる。故に、第１所定入賞と第２所定入賞のいずれを成立させるべく停止操作手段を操作するのか、また、いずれの第１所定入賞を成立させるべく規定周回体と対応する停止操作手段を操作するのかを遊技者に選択させることが可能となり、遊技者を遊技に積極参加させることが可能となる。
【００３７】
手段１２．周方向に周回すると共に、該周方向に複数種の絵柄（図柄）が付された複数の周回体（リール３２Ｌ，３２Ｍ，３２Ｒ）と、
前記各周回体の周回を開始させるべく操作される開始操作手段（スタートレバー４１、第１〜第３クレジット投入スイッチ５６〜５８）と、
前記開始操作手段の操作に基づいて役の抽選を行う抽選手段（主制御装置１０１の抽選処理機能）と、
前記各周回体の周回を個別に停止させるべく操作される複数の停止操作手段（ストップスイッチ４２〜４４）と、
前記開始操作手段の操作に基づいて前記各周回体の周回を開始させるとともに、前記停止操作手段の操作に基づいて対応する周回体の周回を停止させるよう前記各周回体を駆動制御する駆動制御手段（主制御装置１０１のスベリテーブル設定処理機能及びリール制御処理機能）と、
前記各周回体が周回を停止し、前記役の抽選に当選した当選役と対応する当選絵柄が有効位置に停止した場合、遊技者に特典を付与する特典付与手段（主制御装置１０１の払出判定処理機能Ｓ６１２，メダル払出処理機能Ｓ２１３，ＲＴ状態処理機能Ｓ２１４，ＢＢ状態処理機能Ｓ２１５）と
を備えた遊技機において、
役の抽選結果を示唆する補助演出を行うことが可能な補助演出手段（上部ランプ６３、スピーカ６４、補助表示部６５）と、
前記抽選手段及び前記駆動制御手段を有し、前記役の抽選結果や前記各周回体の周回状況、各停止操作手段の操作状況等に応じて制御信号（コマンド）を出力するメイン制御基板（主制御装置１０１）と、
前記制御信号の入力に基づいて前記補助演出手段の駆動制御を行うサブ制御基板（表示制御装置８１）と
を備え、
前記サブ制御基板は、
前記開始操作手段と前記各停止操作手段とのうち特定操作手段（第１〜第３クレジット投入スイッチ５６〜５８、スタートレバー４１）について操作順序を予め複数記憶する操作順序記憶手段（表示制御装置８１のＲＯＭ８７）と、
前記各周回体の周回を開始させるべく又は対応する周回体の周回を停止させるべく前記特定操作手段を操作されてから前記操作順序記憶手段に記憶された操作順序で前記特定操作手段を操作された場合、特定操作がなされたと判定する特定操作判定手段（表示制御装置８１の操作コマンド処理機能）と、
前記特定操作判定手段が前記特定操作をなされたと判定した場合、前記特定操作手段の操作順序に応じた補助演出を前記補助演出手段に行わせると決定する実行決定手段（表示制御装置８１の補助演出設定処理機能Ｓ２１０５）と
を備えることを特徴とする遊技機。
【００３８】
手段１２によれば、役の抽選結果や各周回体の周回状況、各停止操作手段の操作状況等に応じて制御信号を出力するメイン制御基板と、メイン制御基板から出力された制御信号に基づいて補助演出手段の駆動制御を行うサブ制御基板が設けられている。かかる構成とすることにより、メイン制御基板に処理負荷が集中することを抑制することが可能となる。
【００３９】
また、サブ制御基板には、開始操作手段と各停止操作手段のうち特定操作手段について操作順序が予め記憶されている。そして、各周回体の周回を開始させるべく又は対応する周回体の周回を停止させるべく特定操作手段を操作されてから、記憶された操作順序で前記特定操作手段を操作された場合に、特定操作がなされたと判定し、補助演出手段にて補助演出が行われるよう駆動制御を行う。つまり、サブ制御基板は、遊技の開始又は進行に関する役割を有するとともにその役割を終えた特定操作手段に特定操作が行われた場合に、補助演出手段にて役の抽選結果を示唆する補助演出が行われるよう駆動制御を行う。かかる構成においては、遊技者が補助演出を通じて役の抽選結果を把握したいと考えるのであれば、その遊技回にて遊技者が特定操作を行えば良く、さらには、遊技者が役の抽選結果を把握したいと考えるタイミングで特定操作を行えば良い。故に、遊技者の意向に基づいて補助演出を行うことが可能となり、遊技者の遊技意欲を減退させることなく補助演出を行うことが可能となる。
【００４０】
さらに、操作順序記憶手段には特定操作手段の操作順序が複数記憶されており、特定操作がなされたと判定した場合には、特定操作手段の操作順序に応じた補助演出が行われる。かかる構成とすることにより、特定操作手段の操作順序を通じて遊技者が補助演出を選択することが可能となり、遊技の進行のみならず補助演出に関しても遊技者を積極関与させることが可能となる。
【００４１】
加えて、遊技の開始又は進行に関する役割を終えた特定操作手段の特定操作を補助演出の実行契機とすることにより、遊技の進行に関わる操作手段と別個に補助演出を行わせるための操作手段を設ける必要が無くなり、遊技機の部品点数増加を抑制することが可能となる。
【００４２】
手段１３．上記手段１２において、前記サブ制御基板は、
前記補助演出手段を駆動させるべく駆動信号（駆動データ）を出力する出力処理を行う出力処理手段（駆動データ出力処理Ｓ１６０５）を有し、電源投入に伴って起動するとともに前記出力処理を含む一連の処理を繰り返し行う第１処理実行手段（表示メイン処理）と、
前記メイン制御基板から出力された制御信号を入力した場合、前記第１処理実行手段による処理に割り込んで前記制御信号を読み込む読み込み処理を行う第２処理実行手段（コマンド割込み処理）と、
定期的に前記第１処理実行手段による処理に割り込み、所定値（表示タイマ割込み処理回数）を記憶する記憶手段（割込みタイマカウンタ）の値を更新する更新処理を行う第３処理実行手段（表示タイマ割込み処理）と
を備え、
前記第１処理実行手段は、前記記憶手段の値に基づいて前記出力処理を行うことを特徴とする遊技機。
【００４３】
手段１３によれば、サブ制御基板は、電源投入に伴って起動するとともに補助演出手段を駆動させるべく駆動信号を出力する出力処理を含む一連の処理を繰り返し行う第１処理と、制御信号を入力した場合に第１処理に割り込んで制御信号を読み込む読み込み処理を行う第２処理と、第１処理に定期的に割り込んで所定値を記憶する記憶手段の値を更新する更新処理を行う第３処理と、を行っている。制御信号を入力した場合に第１処理に割り込んで第２処理を行う構成とすることにより、駆動信号を出力する処理より優先して制御信号を読み込む処理を行うことが可能となり、遊技の進行と補助演出とにずれが生じることを抑制することが可能となる。また、第１処理に定期的に割り込んで行われる第３処理では記憶手段の更新処理を行う構成とすることにより、定期的に第３処理を第１処理に割り込ませたとしても速やかに第３処理を終了して第１処理に復帰させることができる。故に、複数回にわたって第３処理が連続して行われ、制御信号を読み込むタイミングが遅れることを抑制することが可能となる。加えて、定期的に更新される記憶手段の値に基づいて駆動信号の出力処理を行う構成とすることにより、例えば駆動信号の出力タイミングを計ったり所定のタイミングで補助演出を変更したりすること等が可能となる。故に、メイン制御基板からこれらのタイミングに関する制御信号を出力せずともサブ制御基板側にて遊技の進行に即した駆動制御を行うことが可能となり、メイン制御基板の処理負荷を好適に分散することが可能となる。以上の結果、サブ制御基板にて制御信号を読み込む処理と駆動信号を出力する処理とを並列的に行うことが可能となり、メイン制御基板とサブ制御基板の協働の下で遊技の進行に即した補助演出を行うことが可能となる。
【００４４】
なお、ここにいう「駆動信号」とは、電気的なＯＮ信号やＯＦＦ信号に限らず、所定ビットからなるコマンド等の駆動情報も含む。
【００４５】
手段１４．上記手段１３において、前記第１処理実行手段は、前記特定操作判定手段及び前記実行決定手段を含むとともに前記第２処理実行手段の読み込んだ制御信号に基づいて行うべき補助演出を決定する決定処理を行う補助演出決定手段（受信コマンドチェック処理Ｓ１６０７）を有し、前記出力処理手段は、前記補助演出決定手段の決定した補助演出を行わせるべく駆動信号を出力することを特徴とする遊技機。
【００４６】
手段１４によれば、行うべき補助演出の決定は、第２処理の下ではなく第１処理の下で行われ、当該決定結果に基づいて駆動信号が出力される。かかる構成とすることにより、第２処理を比較的短時間で終了させつつ第１処理に復帰させることが可能となる。故に、第１処理に割り込んで第２処理を行っている最中に第３処理を行うタイミングが来る機会を低減させることが可能となり、記憶手段の値を更新するタイミングが遅れることを抑制することが可能となる。故に、各処理を好適な形で並列的に行うことが可能となり、メイン制御基板とサブ制御基板の協働の下で遊技の進行に即した補助演出を行うことが可能となる。
【００４７】
手段１５．上記手段１３又は手段１４において、前記第１処理実行手段は、前記記憶手段の値が予め定めた所定条件（０でないこと）を満たしたか否かを判定する更新判定手段（割込みタイマカウンタ値確認処理Ｓ１６０４）を有し、前記出力処理手段は、前記更新判定手段が前記所定条件を満たしたと判定した場合に、前記出力処理を行うことを特徴とする遊技機。
【００４８】
手段１５によれば、駆動信号の出力は、記憶手段の値が予め定めた所定条件を満たした場合に行われる。更新処理は定期的に行われるため、かかる構成とすることにより、制御信号を入力した場合には第２処理を優先させつつ、駆動信号の出力を定期的に行うことが可能となる。
【００４９】
手段１６．上記手段１３乃至手段１５のいずれかにおいて、前記第２処理実行手段は、前記第２処理として前記読み込み処理のみを行うことを特徴とする遊技機。
【００５０】
手段１６によれば、制御信号を読み込む読み込み処理のみが第２処理として行われる。かかる構成とすることにより、第２処理を速やかに終了させることが可能となる。この結果、サブ制御基板では、メイン制御基板からの制御信号の入力を待ちつつその間に補助演出手段を駆動させるべく駆動信号を出力することが可能となり、メイン制御基板とサブ制御基板の協働の下で遊技の進行に即した補助演出を行うことが可能となる。なお、ここに言う「読み込み処理のみを行う」とは、制御信号の読み込みに加えて、例えば読み込んだ制御信号が正常か否かを判定する等の正常な制御信号の読み込みに関わる処理をも含む。
【００５１】
手段１７．上記手段１３乃至手段１６のいずれかにおいて、前記第３処理実行手段は、前記第３処理として前記更新処理のみを行うことを特徴とする遊技機。
【００５２】
手段１７によれば、記憶手段の値を更新する処理のみが第３処理として行われる。かかる構成とすることにより、第３処理を速やかに終了させることが可能となる。この結果、サブ制御基板では、メイン制御基板からの制御信号の入力を待ちつつその間に補助演出手段を駆動させるべく駆動信号を出力することが可能となり、メイン制御基板とサブ制御基板の協働の下で遊技の進行に即した補助演出を行うことが可能となる。
【００５３】
なお、上記手段１３乃至手段１７のいずれかの構成に手段２乃至手段１１の構成を適用しても良く、かかる場合には相乗効果が期待できる。特に、補助演出に関わる各処理を第１処理にて行う構成とすれば、各処理を好適な形で並列的に行うことが可能となり、メイン制御基板とサブ制御基板の協働の下で遊技の進行に即した補助演出を行うことが可能となる。
【００５４】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００５５】
図１〜図５に示すように、スロットマシン１０は、その外殻を形成する筐体１１を備えている。筐体１１は、全体として前面を開放した箱状に形成されており、遊技ホールへの設置の際にいわゆる島設備に対し釘を打ち付ける等して取り付けられる。
【００５６】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。また、前面扉１２は、その裏面に設けられた施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。
【００５７】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００５８】
図３に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００５９】
ここで、リールユニット３１の構成を簡単に説明する。
【００６０】
各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００６１】
各リール３２Ｌ，３２Ｍ，３２Ｒの外周面には、その長辺方向（周回方向）に、識別情報としての図柄が複数個描かれている。より具体的には、２１個の図柄が等間隔に描かれている。このため、所定の位置においてある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００６２】
次に、各リール３２Ｌ，３２Ｍ，３２Ｒに描かれている図柄について説明する。
【００６３】
図６には、左リール３２Ｌ，中リール３２Ｍ，右リール３２Ｒの図柄配列が示されている。同図に示すように、各リール３２Ｌ，３２Ｍ，３２Ｒには、それぞれ２１個の図柄が一列に配置されている。また、各リール３２Ｌ，３２Ｍ，３２Ｒに対応して番号が０〜２０まで付されているが、これら番号は主制御装置１０１が表示窓２６Ｌ，２６Ｍ，２６Ｒから視認可能な状態となっている図柄を認識するための番号であり、リール３２Ｌ，３２Ｍ，３２Ｒに実際に付されているわけではない。但し、以下の説明では当該番号を使用して説明する。
【００６４】
図柄としては、「赤７」図柄（例えば、左リール３２Ｌの２０番目）、「ベル」図柄（例えば、左リール３２Ｌの１９番目）、「リプレイ」図柄（例えば、左リール３２Ｌの１８番目）、「白チェリー」図柄（例えば、左リール３２Ｌの１７番目）、「青年」図柄（例えば、左リール３２Ｌの１６番目）、「青７」図柄（例えば、左リール３２Ｌの１３番目）、「赤チェリー」図柄（例えば、左リール３２Ｌの１０番目）、「白７」図柄（例えば、左リール３２Ｌの６番目）、「青チェリー」図柄（例えば、左リール３２Ｌの３番目）の９種類がある。そして、図６に示すように、各リール３２Ｌ，３２Ｍ，３２Ｒにおいて各種図柄の数や配置順序は全く異なっている。
【００６５】
各表示窓２６Ｌ，２６Ｍ，２６Ｒは、対応するリールに付された２１個の図柄のうち図柄全体を視認可能となる図柄が３個となるように形成されている。このため、各リール３２Ｌ，３２Ｍ，３２Ｒがすべて停止している状態では、３×３＝９個の図柄が表示窓２６Ｌ，２６Ｍ，２６Ｒを介して視認可能な状態となる。
【００６６】
本スロットマシン１０では、これら９個の図柄が視認可能となる各位置を結ぶようにして、横方向へ平行に３本、斜め方向へたすき掛けに２本、計５本の組合せラインが設定されている。より詳しくは、図７に示すように、横方向の組合せラインとして、各リール３２Ｌ，３２Ｍ，３２Ｒの上段図柄を結んだ上ラインＬ１と、各リール３２Ｌ，３２Ｍ，３２Ｒの中段図柄を結んだ中ラインＬ２と、各リール３２Ｌ，３２Ｍ，３２Ｒの下段図柄を結んだ下ラインＬ３と、が設定されている。また、斜め方向の組合せラインとして、左リール３２Ｌの上段図柄，中リール３２Ｍの中段図柄，右リール３２Ｒの下段図柄を結んだ右下がりラインＬ４と、左リール３２Ｌの下段図柄，中リール３２Ｍの中段図柄，右リール３２Ｒの上段図柄を結んだ右上がりラインＬ５と、が設定されている。そして、有効化された組合せライン、すなわち有効ライン上に図柄が所定の組合せで停止した場合には、入賞成立として、遊技媒体たるメダルが所定数払い出される特典が付与されたり、遊技状態が移行される特典が付与されたりするようになっている。
【００６７】
図８には、入賞となる図柄の組合せと、入賞となった場合に付与される特典とが示されている。
【００６８】
メダル払出のみが行われる入賞としては、ベル入賞がある。各リール３２Ｌ，３２Ｍ，３２Ｒの「ベル」図柄が有効ライン上に並んで停止した場合、ベル入賞として４枚のメダル払出が行われる。
【００６９】
遊技状態の移行のみが行われる入賞としては、第１ＢＢ入賞，第２ＢＢ入賞，第３ＢＢ入賞の３種類のＢＢ入賞がある。各リール３２Ｌ，３２Ｍ，３２Ｒの同色の「７」図柄が有効ライン上に並んで停止した場合、ＢＢ入賞として遊技状態がビッグボーナス状態（以下、「ＢＢ状態」と言う。）に移行する。例えば、有効ライン上に左から「赤７」図柄，「赤７」図柄，「赤７」図柄と並んで停止した場合には、第１ＢＢ入賞成立となる。
【００７０】
メダル払出と遊技状態の移行が共に行われる入賞としては、第１ＲＴ入賞，第２ＲＴ入賞，第３ＲＴ入賞の３種類のＲＴ入賞と、第１ＢＴ入賞，第２ＢＴ入賞，第３ＢＴ入賞の３種類のＢＴ入賞がある。左リール３２Ｌのいずれかの「７」図柄と、中リール３２Ｍ及び右リール３２Ｒの「ベル」図柄が有効ライン上に並んで停止した場合、ＲＴ入賞として１０枚のメダル払出が行われると共にリプレイタイム状態（以下、「ＲＴ状態」と言う。）に移行する。例えば、有効ライン上に左から「青７」図柄，「ベル」図柄，「ベル」図柄と並んで停止した場合には、第２ＲＴ入賞成立となる。
【００７１】
また、左リール３２Ｌのいずれかの「チェリー」図柄が有効ライン上に停止した場合、ＢＴ入賞として１５枚のメダル払出が行われると共にバッドタイム状態（以下、「ＢＴ状態」と言う。）に移行する。例えば、左リール３２Ｌの「白チェリー」図柄が有効ライン上に停止した場合には、第３ＢＴ入賞成立となる。すなわち、ＢＴ入賞の場合には、中リール３２Ｍと右リール３２Ｒについて、有効ライン上に停止する図柄がどのような図柄であっても良い。換言すれば、左リール３２Ｌのいずれかの「チェリー」図柄と、中リール３２Ｍ及び右リール３２Ｒの任意の図柄との組合せが有効ライン上に停止した場合、ＢＴ入賞が成立するとも言える。したがって、左リール３２Ｌの複数の有効ラインが重なる位置（具体的には上段と下段）にいずれかの「チェリー」図柄が停止した場合には、各有効ライン上にてＢＴ入賞が成立することとなる。但し、本スロットマシン１０では、１回のゲームにおけるメダル払出の上限を１５枚と設定しているため、左リール３２Ｌのいずれかの「チェリー」図柄が上段又は下段に停止したとしても、３０枚のメダル払出ではなく１５枚のメダル払出が行われる。
【００７２】
なお、詳細は後述するが、ＲＴ入賞又はＢＴ入賞が成立した場合には、メダル払出は必ず行われるものの、遊技状態は移行されない場合がある。
【００７３】
メダル払出や遊技状態の移行以外の特典が付与される入賞としては、再遊技入賞がある。各リール４２Ｌ，４２Ｍ，４２Ｒの「リプレイ」図柄が有効ライン上に並んで停止した場合、再遊技入賞として、メダル払出や遊技状態の移行は行われないものの、メダルを投入することなく次ゲームの遊技を行うことが可能となる。
【００７４】
その他の入賞として、遊技状態がＢＢ状態である場合に限って入賞となるＲＢ入賞がある。ＢＢ状態下で有効ライン上に左から「リプレイ」図柄，「ベル」図柄，「リプレイ」図柄と並んで停止した場合、ＲＢ入賞として、メダル払出は行われないものの遊技状態がレギュラーボーナス状態（以下、「ＲＢ状態」と言う。）に移行する。
【００７５】
なお以下では、各入賞と対応する図柄の組合せを入賞図柄の組合せとも言う。例えば、第１ＲＴ図柄の組合せとは、第１ＲＴ入賞となる図柄の組合せ、すなわち「赤７」図柄，「ベル」図柄，「ベル」図柄の組合せである。また、各入賞と対応する各リール３２Ｌ，３２Ｍ，３２Ｒの図柄を入賞図柄とも言う。例えば、第１ＲＴ図柄とは、左リール３２Ｌにおいては「赤７」図柄であり、中リール３２Ｍ及び右リール３２Ｒにおいては「ベル」図柄である。
【００７６】
遊技パネル２５の下方左側には、各リール３２Ｌ，３２Ｍ，３２Ｒの回転を開始させるために操作されるスタートレバー４１が設けられている。スタートレバー４１はリール３２Ｌ，３２Ｍ，３２Ｒを回転開始、すなわち図柄の可変表示を開始させるべく操作される開始操作手段又は始動操作手段を構成する。所定数のメダルが投入されている状態でスタートレバー４１を操作された場合、各リール３２Ｌ，３２Ｍ，３２Ｒが回転を開始するようになっている。
【００７７】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。ストップスイッチ４２〜４４はリール３２Ｌ，３２Ｍ，３２Ｒの回転に基づく図柄の可変表示を停止させるべく操作される停止操作手段を構成する。
【００７８】
表示窓２６Ｌ，２６Ｍ，２６Ｒの下方右側には、メダルを投入するためのメダル投入口４５が設けられている。メダル投入口４５は遊技媒体を入力する入力手段を構成する。また、メダル投入口４５が遊技者によりメダルを直接投入するという動作を伴う点に着目すれば、遊技媒体を直接入力する直接入力手段を構成するものとも言える。
【００７９】
メダル投入口４５から投入されたメダルは、前面扉１２の背面に設けられた通路切替手段としてのセレクタ４６によって貯留用通路４７か排出用通路４８のいずれかへ導かれる。より詳しくは、セレクタ４６にはメダル通路切替ソレノイド４６ａが設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１へと導かれる。一方、排出用通路４８に導かれたメダルは、前面扉１２の前面下部に設けられたメダル排出口４９からメダル受け皿５０へと導かれ、遊技者に返還される。
【００８０】
ホッパ装置５１は、メダルを貯留する貯留タンク５２と、メダルを遊技者に払い出す払出装置５３とより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００８１】
メダル投入口４５の下方には、ボタン状の返却スイッチ５５が設けられている。メダル投入口４５に投入されたメダルがセレクタ４６内に詰まった状況下で返却スイッチ５５を操作された場合、セレクタ４６が機械的に連動して動作され、当該セレクタ４６内に詰まったメダルがメダル排出口４９から返却されるようになっている。
【００８２】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。各クレジット投入スイッチ５６〜５８は前記メダル投入口４５とともに遊技媒体を入力する入力手段を構成する。また、メダル投入口４５が遊技者によりメダルを直接投入するという動作を伴うのに対し、各クレジット投入スイッチ５６〜５８は貯留記憶に基づく仮想メダルの投入という動作を伴うに過ぎない点に着目すれば、遊技媒体を間接入力する間接入力手段を構成するものとも言える。
【００８３】
スタートレバー４１の左方には、精算スイッチ５９が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９を操作された場合、仮想メダルが現実のメダルとしてメダル排出口４９から払い出されるようになっている。この場合、クレジットされた仮想メダルを現実のメダルとして払い出すという機能に着目すれば、精算スイッチ５９は貯留記憶された遊技媒体を実際に払い出すための精算操作手段を構成するものとも言える。
【００８４】
遊技パネル２５の表示窓２６Ｌ，２６Ｍ，２６Ｒ下方には、クレジットされている仮想メダル数を表示するクレジット表示部６０と、ＢＢ状態が終了するまでに払い出される残りのメダル数を表示する残払出枚数表示部６１と、入賞時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００８５】
ここで、メダルのベット数と、有効化される組合せラインとの関係を、図７を用いて説明する。遊技の開始時にメダル投入口４５からメダルが投入されるとベットとなる。
【００８６】
１枚目のメダルがメダル投入口４５に投入された場合、ベット数は１となり、中ラインＬ２が有効化される。２枚目のメダルがメダル投入口４５に投入された場合、ベット数は２となり、中ラインＬ２に加えて上ラインＬ１と下ラインＬ３を含む合計３本の組合せラインが有効化される。３枚目のメダルがメダル投入口４５に投入された場合、ベット数は３となり、組合せラインＬ１〜Ｌ５の全てが有効化される。
【００８７】
なお、４枚以上のメダルがメダル投入口４５に投入された場合、そのときに貯留記憶されている仮想メダルが５０枚未満であれば、３枚を超える余剰メダルはスロットマシン１０内部に貯留され、クレジット表示部６０の仮想メダル数が加算表示される。一方、仮想メダル数が５０枚のとき又は５０枚に達したときには、セレクタ４６により貯留用通路４７から排出用通路４８への切替がなされ、メダル排出口４９からメダル受け皿５０へと余剰メダルが返却される。
【００８８】
また、仮想メダルが貯留記憶されており、遊技の開始時に第１〜第３クレジット投入スイッチ５６〜５８のいずれかが操作された場合にも、仮想メダルが投入されたこととなりベットとなる。なお、第１〜第３クレジット投入スイッチ５６〜５８のいずれかが操作された場合については、投入された仮想メダルの枚数分だけクレジット表示部６０に表示されている仮想メダル数が減算されることを除き、メダル投入口４５からメダルを投入した場合と同じため、説明を省略する。
【００８９】
ちなみに、第１〜第３クレジット投入スイッチ５６〜５８のいずれかが操作された場合に投入されるべき仮想メダルが貯留記憶されていない場合、例えばクレジット表示部６０の表示が２のときに第１クレジット投入スイッチ５６が操作された場合等には、クレジット表示部６０の数値が全て減算されて０となり、投入可能な仮想メダル分だけベットされる。
【００９０】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部６５は、遊技の進行に伴って各種表示演出を実行するためのものであり、各リール３２Ｌ，３２Ｍ，３２Ｒによる遊技を主表示部によるものと考えることができることから、本実施形態では補助表示部１５と称している。補助表示部１５の背面には、上部ランプ６３やスピーカ６４、補助表示部６５を駆動させるための表示制御装置８１が設けられている。
【００９１】
筐体１１の内部においてホッパ装置５１の左方には、電源ボックス７０が設けられている。電源ボックス７０は、その内部に電源装置９１を収容するとともに、電源スイッチ７１やリセットスイッチ７２、設定キー挿入孔７３などを備えている。電源スイッチ７１は、主制御装置１０１を始めとする各部に電源を供給するための起動スイッチである。リセットスイッチ７２は、スロットマシン１０のエラー状態をリセットするためのスイッチである。また、設定キー挿入孔７３は、ホール管理者などがメダルの出玉調整を行うためのものである。すなわち、ホール管理者等が設定キーを設定キー挿入孔７３へ挿入してＯＮ操作することにより、スロットマシン１０の当選確率を設定できるようになっている。なお、リセットスイッチ７２は、エラー状態をリセットする場合の他に、スロットマシン１０の当選確率を変更する場合にも操作される。
【００９２】
リールユニット３１の上方には、遊技を統括管理する主制御装置１０１が筐体１１に取り付けられている。
【００９３】
次に、本スロットマシン１０の電気的構成について、図９のブロック図に基づいて説明する。
【００９４】
主制御装置１０１には、演算処理手段であるＣＰＵ１０２を中心とするマイクロコンピュータが搭載されている。ＣＰＵ１０２には、電源装置９１の他に、所定周波数の矩形波を出力するクロック回路１０３や、入出力ポート１０４などが内部バスを介して接続されている。かかる主制御装置１０１は、スロットマシン１０に内蔵されるメイン基盤としての機能を果たすものである。
【００９５】
主制御装置１０１の入力側には、リールユニット３１（より詳しくは各リール３２Ｌ，３２Ｍ，３２Ｒが１回転したことを個別に検出するリールインデックスセンサ）、スタートレバー４１の操作を検出するスタート検出センサ４１ａ、各ストップスイッチ４２〜４４の操作を個別に検出するストップ検出センサ４２ａ〜４４ａ、メダル投入口４５から投入されたメダルを検出する投入メダル検出センサ４５ａ、ホッパ装置５１から払い出されるメダルを検出する払出検出センサ５１ａ、各クレジット投入スイッチ５６〜５８の操作を個別に検出するクレジット投入検出センサ５６ａ〜５８ａ、精算スイッチ５９の操作を検出する精算検出センサ５９ａ、リセットスイッチ７２の操作を検出するリセット検出センサ７２ａ、設定キー挿入孔７３に設定キーが挿入されてＯＮ操作されたことを検出する設定キー検出センサ７３ａ等の各種センサが接続されており、これら各種センサからの信号は入出力ポート１０４を介してＣＰＵ１０２へ出力されるようになっている。
【００９６】
また、主制御装置１０１の入力側には、入出力ポート１０４を介して電源装置９１が接続されている。電源装置９１には、主制御装置１０１を始めとしてスロットマシン１０の各電子機器に駆動電力を供給する電源部９１ａや、停電監視回路９１ｂなどが搭載されている。
【００９７】
停電監視回路９１ｂは電源の遮断状態を監視し、停電時はもとより、電源スイッチ７１による電源遮断時に停電信号を生成するためのものである。そのため停電監視回路９１ｂは、電源部９１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＣＰＵ１０２と入出力ポート１０４のそれぞれに供給され、ＣＰＵ１０２ではこの停電信号を認識することにより後述する停電時処理が実行される。また、この停電信号は表示制御装置８１にも供給されるように構成されている。
【００９８】
電源部９１ａは、出力電圧が１０ボルト未満まで低下した場合でも、主制御装置１０１などの制御系において駆動電圧として使用される５ボルトの安定化電圧が出力されるように構成されている。この安定化電圧が出力される時間としては、主制御装置１０１による停電時処理を実行するに十分な時間が確保されている。
【００９９】
主制御装置１０１の出力側には、リールユニット３１（より詳しくは各リール３２Ｌ，３２Ｍ，３２Ｒを回転させるためのステッピングモータ）、セレクタ４６に設けられたメダル通路切替ソレノイド４６ａ、ホッパ装置５１、クレジット表示部６０、残払出枚数表示部６１、払出枚数表示部６２、表示制御装置８１、図示しないホール管理装置などに情報を送信できる外部集中端子板１２１等が入出力ポート１０４を介して接続されている。
【０１００】
表示制御装置８１は、上部ランプ６３やスピーカ６４、補助表示部６５を駆動させるための制御装置であり、これらを駆動させるためのＣＰＵ、ＲＯＭ、ＲＡＭ等が一体化された基板を備えている。そして、主制御装置１０１からの信号を受け取った上で、表示制御装置８１が独自に上部ランプ６３、スピーカ６４及び補助表示部６５を駆動制御する。したがって、表示制御装置８１は、遊技を統括管理するメイン基盤たる主制御装置１０１との関係では補助的な制御を実行するサブ基盤となっている。なお、各種表示部６０〜６２も表示制御装置８１が駆動制御する構成としてもよい。
【０１０１】
上述したＣＰＵ１０２には、このＣＰＵ１０２によって実行される各種の制御プログラムや固定値データを記憶したＲＯＭ１０５と、このＲＯＭ１０５に記憶されている制御プログラムを実行するにあたって各種のデータを一時的に記憶する作業エリアを確保するためのＲＡＭ１０６の他に、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１０５とＲＡＭ１０６によって記憶手段としてのメインメモリが構成され、図１０以降のフローチャートに示される各種処理を実行するためのプログラムは、制御プログラムの一部として上述したＲＯＭ１０５に記憶されている。
【０１０２】
ＲＡＭ１０６は、スロットマシン１０の電源が遮断された後においても電源装置９１からバックアップ電圧が供給されてデータを保持（バックアップ）できる構成となっている。ＲＡＭ１０６には、各種のデータを一時的に記憶するためのメモリや、役の抽選結果を記憶するための当選フラグ格納エリア１０６ａ、各リール３２Ｌ，３２Ｍ，３２Ｒの停止制御を行う場合に用いるスベリテーブルを記憶するためのスベリテーブル格納エリア１０６ｂ、ＢＢ状態等の遊技状態を記憶するための状態情報格納エリア１０６ｃ等の他に、バックアップエリアが設けられている。
【０１０３】
バックアップエリアは、停電等の発生により電源が遮断された場合において、電源遮断時（電源スイッチ７１の操作による電源遮断をも含む。以下同様）のスタックポインタの値を記憶しておくためのエリアであり、停電解消時（電源スイッチ７１の操作による電源投入をも含む。以下同様）には、バックアップエリアの情報に基づいてスロットマシン１０の状態が電源遮断前の状態に復帰できるようになっている。バックアップエリアへの書き込みは停電時処理（図１０参照）によって電源遮断時に実行され、バックアップエリアに書き込まれた各値の復帰は電源投入時のメイン処理において実行される。
【０１０４】
また、ＣＰＵ１０２のＮＭＩ端子（ノンマスカブル割込端子）には、停電等の発生による電源遮断時に、停電監視回路９１ｂからの停電信号が入力されるように構成されている。そして、電源遮断時には、停電フラグ生成処理としてのＮＭＩ割込み処理が即座に実行されるようになっている。
【０１０５】
続いて、主制御装置１０１のＣＰＵ１０２により実行される各制御処理について説明する。かかるＣＰＵ１０２の処理としては、大別して、電源投入に伴い起動されるメイン処理と、定期的に（本実施の形態では１．４９ｍｓｅｃ周期で）起動されるタイマ割込み処理と、ＮＭＩ端子への停電信号の入力に伴い起動されるＮＭＩ割込み処理とがある。以下では、これら各処理のうち遊技の進行に関わる処理、すなわちタイマ割込み処理と、メイン処理にて行われる通常処理とを図１０〜図２４のフローチャートを参照しながら説明する。
【０１０６】
図１０は、主制御装置１０１で定期的に実行されるタイマ割込み処理のフローチャートであり、主制御装置１０１のＣＰＵ１０２により例えば１．４９ｍｓｅｃごとにタイマ割込みが発生する。
【０１０７】
先ず、ステップＳ１０１に示すレジスタ退避処理では、後述する通常処理で使用しているＣＰＵ１０２内の全レジスタの値をＲＡＭ１０６のバックアップエリアに退避させる。ステップＳ１０２では停電フラグがセットされているか否かを確認し、停電フラグがセットされているときにはステップＳ１０３に進み、停電時処理を実行する。
【０１０８】
ここで、停電時処理について概略を説明する。
【０１０９】
停電の発生等によって電源が遮断されると、電源装置９１の停電監視回路９１ｂから停電信号が出力され、当該停電信号がＮＭＩ端子を介して主制御装置１０１に入力される。主制御装置１０１は、停電信号が入力された場合、即座にＮＭＩ割込み処理を実行し、停電フラグをＲＡＭ１０６に設けられた停電フラグ格納エリアにセットする。
【０１１０】
停電時処理では、先ずコマンドの送信が終了しているか否かを判定し、送信が終了していない場合には本処理を終了してタイマ割込み処理に復帰し、コマンドの送信を終了させる。コマンドの送信が終了している場合には、ＣＰＵ１０２のスタックポインタの値をＲＡＭ１０６のバックアップエリアに保存する。その後、入出力ポート１０４における出力ポートの出力状態をクリアし、図示しない全てのアクチュエータをオフ状態にする。そして、停電解消時にＲＡＭ１０６のデータが正常か否かを判定するためのＲＡＭ判定値を算出してバックアップエリアに保存することにより、それ以後のＲＡＭアクセスを禁止する。以上の処理を行った後は、電源が完全に遮断して処理が実行できなくなるのに備え、無限ループに入る。なお、例えばノイズ等に起因して停電フラグが誤ってセットされる場合を考慮し、無限ループに入るまでは停電信号が出力されているか否かを確認する。停電信号が出力されていなければ停電状態から復旧したこととなるため、ＲＡＭ１０６への書き込みを許可すると共に停電フラグをリセットし、タイマ割込み処理に復帰する。停電信号の出力が継続してなされていれば、そのまま無限ループに入る。ちなみに、無限ループ下においても停電信号が出力されているか否かを確認しており、停電信号が出力されなくなった場合にはメイン処理に移行する。
【０１１１】
タイマ割込み処理の説明に戻り、ステップＳ１０２にて停電フラグがセットされていない場合には、ステップＳ１０４以降の各種処理を行う。
【０１１２】
すなわち、ステップＳ１０４では、誤動作の発生を監視するためのウオッチドッグタイマの値を初期化するウオッチドッグタイマのクリア処理を行う。ステップＳ１０５では、ＣＰＵ１０２自身に対して次回のタイマ割込みを設定可能とする割込み終了宣言処理を行う。ステップＳ１０６では、各リール３２Ｌ，３２Ｍ，３２Ｒを回転させるために、それぞれの回胴駆動モータであるステッピングモータを駆動させるステッピングモータ制御処理を行う。ステップＳ１０７では、入出力ポート１０４に接続されたストップ検出センサ４２ａ〜４４ａ，投入メダル検出センサ４５ａ，払出検出センサ５１ａ等の各種センサ（図９参照）の状態を読み込むと共に、読み込み結果が正常か否かを監視するセンサ監視処理を行う。ステップＳ１０８では、各カウンタやタイマの値を減算するタイマ演算処理を行う。ステップＳ１０９では、メダルのベット数や、払出枚数をカウントした結果を外部集中端子板１２１へ出力するカウンタ処理を行う。
【０１１３】
ステップＳ１１０では、後述する開始コマンドや停止操作コマンド等の各種コマンドを表示制御装置８１へ送信するコマンド出力処理を行う。ステップＳ１１１では、クレジット表示部６０、残払出枚数表示部６１及び払出枚数表示部６２にそれぞれ表示されるセグメントデータを設定するセグメントデータ設定処理を行う。ステップＳ１１２では、セグメントデータ設定処理で設定されたセグメントデータを各表示部６０〜６２に供給して該当する数字、記号などを表示するセグメントデータ表示処理を行う。ステップＳ１１３では、入出力ポート１０４からＩ／Ｏ装置に対応するデータを出力するポート出力処理を行う。ステップＳ１１４では、先のステップＳ１０１にてバックアップエリアに退避させた各レジスタの値をそれぞれＣＰＵ１０２内の対応するレジスタに復帰させる。その後ステップＳ１１５にて次回のタイマ割込みを許可する割込み許可処理を行い、この一連のタイマ割込み処理を終了する。
【０１１４】
次に、遊技に関わる主要な制御を行う通常処理について図１１のフローチャートに基づき説明する。
【０１１５】
先ずステップＳ２０１では、次回のタイマ割込みを許可する割込み許可処理を行う。ステップＳ２０２では、遊技を可能とするための開始前処理を行う。開始前処理では、表示制御装置８１等が初期化を終了するまで待機する。表示制御装置８１等の初期化が終了した場合には、ステップＳ２０３〜ステップＳ２１５に示す遊技管理処理を行う。
【０１１６】
遊技管理処理として、ステップＳ２０３では、ＲＡＭ１０６に格納された各種遊技情報等のデータ（例えば前回の遊技で用いた乱数値等）をクリアする。その後、ステップＳ２０４では開始待ち処理を行う。
【０１１７】
開始待ち処理では、前回の遊技で再遊技入賞が成立したか否かを判定する。再遊技入賞が成立していた場合には、前回のベット数と同数の仮想メダルを自動投入する自動投入処理を行うと共に、投入完了コマンドをセットして開始待ち処理を終了する。ここで、投入完了コマンドとは、自動投入の完了を把握させるべく表示制御装置８１に対して送信されるコマンドである。なお、自動投入処理では、クレジット表示部６０に表示された仮想メダル数を減じることなく仮想メダルの投入を行う。つまり、前回の遊技で再遊技入賞が成立した場合には、遊技者は所有するメダルを減らすことなく且つメダルを投入することなく今回の遊技を行うことができる。再遊技入賞が成立していなかった場合には、タイマ割込み処理のセンサ監視処理ステップＳ１０７にてなされたセンサの読み込み結果に異常が発生していないかを確認するセンサ異常確認処理を行い、異常が発生している場合にはスロットマシン１０をエラー状態とすると共にエラーの発生を報知する異常発生時処理を行う。かかるエラー状態は、リセットスイッチ７２が操作されるまで維持される。センサの読み込み結果が正常である場合には精算スイッチ５９が操作されたか否かを判定し、精算スイッチ５９が操作された場合には、クレジットされた仮想メダルと同数のメダルを払い出すメダル返却処理を行うと共に精算コマンドをセットする。ここで、精算コマンドとは、クレジットされた仮想メダルの返却を行っていることを把握させるべく表示制御装置８１に対して送信されるコマンドである。メダル返却処理の終了後又は精算スイッチ５９が操作されていない場合には、前回の開始待ち処理から今回の開始待ち処理までの間にメダルの投入又はクレジット投入スイッチ５６〜５８の操作がなされたか否かを判定し、いずれかが行われた場合には、有効ラインの設定等を行うメダル投入処理を行うと共に、投入コマンドをセットして開始待ち処理を終了する。ここで、投入コマンドとは、メダルのベットがなされたことを把握させるべく表示制御装置８１に対して送信されるコマンドである。また、前回の開始待ち処理から今回の開始待ち処理までの間にメダルの投入とクレジット投入スイッチ５６〜５８の操作のいずれもなされていない場合には、そのまま開始待ち処理を終了する。
【０１１８】
開始待ち処理の終了後、ステップＳ２０５では継続処理を行う。継続処理とは、前回の遊技が終了してから今回の遊技が開始されるまでに行われる処理である。
【０１１９】
継続処理では、図１２のフローチャートに示すように、ステップＳ３０１にてメダルのベット数が規定数（本実施の形態では３）に達しているか否かを判定し、規定数に達している場合にはそのまま本処理を終了する。ベット数が規定数に達していない場合には、ステップＳ３０２に進み、クレジット投入スイッチ５６〜５８のいずれかが操作されたか否か、より具体的には、クレジット投入検出センサ５６ａ〜５８ａのいずれかからＯＮ信号を受信したか否かを判定する。クレジット投入スイッチ５６〜５８のいずれかが操作された場合には、ステップＳ３０３に進み、クレジットカウンタの値が０か否かを判定する。クレジットカウンタの値が０でない場合には、そのまま本処理を終了し、クレジットカウンタの値が０である場合には、ステップＳ３０４にて対応するベット操作コマンドをセットした後に本処理を終了する。ここで、ベット操作コマンドとは、仮想メダルを投入することが不可能な状況下でベット操作がなされたことを把握させるべく表示制御装置８１に対して送信されるコマンドであり、例えば第１クレジット投入スイッチ５６が操作された場合には、第１ベット操作コマンドがセットされる。さらにいうと、クレジットカウンタの値が０とは仮想メダルが貯留記憶されていないことを意味し、かかる状況下でクレジット投入スイッチ５６〜５８が操作されたとしてもメダルをベットすることはできないという点に着目すれば、ベット操作コマンドとは、遊技の進行に関与しないベット操作がなされた場合に表示制御装置８１に対して送信されるコマンドであると言える。
【０１２０】
ステップＳ３０２にてクレジット投入スイッチ５６〜５８のいずれも操作されていないと判定した場合には、ステップＳ３０５にてスタートレバー４１が操作されたか否か、より具体的には、スタート検出センサ４１ａからＯＮ信号を受信したか否かを判定する。スタートレバー４１が操作された場合には、ステップＳ３０６にて開始操作コマンドをセットした後に本処理を終了する。ここで、開始操作コマンドとは、例えばメダルがベットされていない等の遊技を開始できない状況下で開始操作がなされたことを把握させるべく表示制御装置８１に対して送信されるコマンドである。
【０１２１】
また、ステップＳ３０５にてスタートレバー４１が操作されていないと判定した場合には、ステップＳ３０７にてストップスイッチ４２〜４４のいずれかが操作されたか否か、より具体的には、ストップ検出センサ４２ａ〜４４ａのいずれかからＯＮ信号を受信したか否かを判定する。いずれのストップスイッチ４２〜４４も操作されていない場合にはそのまま本処理を終了し、いずれかのストップスイッチ４２〜４４が操作された場合には、ステップＳ３０８にて対応する停止操作コマンドをセットした後に本処理を終了する。ここで、停止操作コマンドとは、停止しているリールに対して停止操作がなされたことを把握させるべく表示制御装置８１に対して送信されるコマンドであり、例えば左ストップスイッチ４２が操作された場合には、左停止操作コマンドがセットされる。さらにいうと、停止しているリールと対応するストップスイッチが操作されたとしても遊技は進行しないという点に着目すれば、停止操作コマンドとは、遊技の進行に関与しない停止操作、或いは遊技の進行に関する役割を終えたストップスイッチへの操作がなされた場合に表示制御装置８１に対して送信されるコマンドであると言える。
【０１２２】
継続処理の終了後、ステップＳ２０６では、メダルのベット数が規定数に達しているか否かを判定し、ベット数が規定数に達していない場合には、ステップＳ２０４の開始待ち処理に戻り、当該処理のうちセンサ異常確認処理以降の処理を行う。ベット数が規定数に達している場合には、ステップＳ２０７にてベット後処理を行う。ベット後処理とは、規定数のメダルがベットされてからスタートレバー４１が操作されるまでに行われる処理である。
【０１２３】
ベット後処理では、図１３のフローチャートに示すように、ステップＳ４０１にてクレジット投入スイッチ５６〜５８のいずれかが操作されたか否かを判定する。クレジット投入スイッチ５６〜５８のいずれかが操作された場合には、ステップＳ４０２にて対応するベット操作コマンドをセットした後に本処理を終了する。
【０１２４】
ステップＳ４０１にてクレジット投入スイッチ５６〜５８のいずれも操作されていないと判定した場合には、ステップＳ４０３に進み、ストップスイッチ４２〜４４のいずれかが操作されたか否かを判定する。いずれのストップスイッチ４２〜４４も操作されていない場合にはそのまま本処理を終了し、いずれかのストップスイッチ４２〜４４が操作された場合には、ステップＳ４０４にて対応する停止操作コマンドをセットした後に本処理を終了する。
【０１２５】
ベット後処理の後、ステップＳ２０８では、スタートレバー４１が操作されたか否かを判定する。スタートレバー４１が操作されていない場合には、ステップＳ２０４の開始待ち処理に戻り、当該処理のうちセンサ異常確認処理以降の処理を行う。
【０１２６】
一方、スタートレバー４１が操作された場合には、規定数のメダルがベットされている状況下でスタートレバー４１が操作されると遊技を開始できる構成となっているため、遊技を開始させるべく開始指令が発生したことを意味する。かかる場合にはステップＳ２０９に進み、メダル通路切替ソレノイド４６ａを非励磁状態に切り替えてベット受付を禁止し、続くステップＳ２１０にて開始コマンドをセットする。ここで、開始コマンドとは、開始指令が発生したことを把握させるべく表示制御装置８１に対して送信されるコマンドである。その後、ステップＳ２１１の抽選処理、ステップＳ２１２のリール制御処理、ステップＳ２１３のメダル払出処理、ステップＳ２１４のＲＴ状態処理、ステップＳ２１５のＢＢ状態処理を順に実行し、ステップＳ２０３に戻る。
【０１２７】
なお、通常処理では、開始コマンドやベット操作コマンド等の各種コマンドをリングバッファにセットするのみであり、表示制御装置８１に対してコマンドを送信しない。表示制御装置８１へのコマンド送信は、先述したタイマ割込み処理のコマンド出力処理Ｓ１１０にて行われる。
【０１２８】
次に、ステップＳ２１１の抽選処理について、図１４のフローチャートに基づき説明する。
【０１２９】
ステップＳ５０１では、役の当否判定を行う際に用いる乱数を取得する。本スロットマシン１０では、スタートレバー４１が操作されると、ハード回路がその時点におけるフリーランカウンタの値をラッチする構成となっている。フリーランカウンタは０〜６５５３５の乱数を生成しており、ＣＰＵ１０２は、スタートレバー４１の操作を確認した後、ハード回路がラッチした値をＲＡＭ１０６に格納する。かかる構成とすることにより、スタートレバー４１が操作されたタイミングで速やかに乱数を取得することが可能となり、同期等の問題が発生することを回避することが可能となる。本スロットマシン１０のハード回路は、スタートレバー４１が操作される毎にその都度のフリーランカウンタの値をラッチする構成となっている。
【０１３０】
乱数を取得した後、ステップＳ５０２〜Ｓ５０６では、役の当否判定を行うための抽選テーブルを選択する。具体的には、先ずステップＳ５０２において、現在の遊技状態がＢＢ状態か否かを判定する。ＢＢ状態でない場合には、さらにステップＳ５０３にて現在の遊技状態がＲＴ状態か否かを判定する。そして、現在の遊技状態がＢＢ状態とＲＴ状態のいずれでもない場合には、ステップＳ５０４にて通常状態用抽選テーブルを選択する。また、現在の遊技状態がＲＴ状態である場合には、ステップＳ５０５に進み、ＲＴ状態用抽選テーブルを選択する。ここで、本スロットマシン１０では、「設定１」から「設定６」まで６段階の当選確率が予め用意されており、設定キー挿入孔に設定キーを挿入してＯＮ操作するとともに所定の操作を行うことにより、いずれの当選確率に基づいて内部処理を実行させるのかを設定することができる。ステップＳ５０４，Ｓ５０５では、設定状態が「設定１」のときにメダル払出の期待値が最も低い抽選テーブルを選択し、「設定６」のときにメダル払出の期待値が最も高い抽選テーブルを選択する。
【０１３１】
抽選テーブルについて、簡単に説明する。図１５は、「設定１」の通常状態で選択される通常状態用抽選テーブルである。抽選テーブルには、判定すべき役の数と同数のインデックス値ＩＶが設定されており、各インデックス値ＩＶには、当選となる役がそれぞれ一義的に対応付けられると共に、ポイント値ＰＶが設定されている。すなわち、本スロットマシン１０における通常状態では、再遊技、ベル、第１ＲＴ＋第１ＢＴ、第２ＲＴ＋第２ＢＴ、第３ＲＴ＋第３ＢＴ、第１ＢＢ、第２ＢＢ、第３ＢＢの８種類の役について判定が行われる。ここで、再遊技、ベル、第１ＢＢ、第２ＢＢ、第３ＢＢの５種類の役は、１回の判定で１つの役に当選となる単独当選役である。一方、第１ＲＴ＋第１ＢＴ、第２ＲＴ＋第２ＢＴ、第３ＲＴ＋第３ＢＴの３種類の役は、１回の判定で複数の役（具体的にはＲＴとＢＴ）に当選となる複数当選役である。以下では、第１ＲＴ＋第１ＢＴを第１複数当選役、第２ＲＴ＋第２ＢＴを第２複数当選役、第３ＲＴ＋第３ＢＴを第３複数当選役とも言う。
【０１３２】
ステップＳ５０２にて現在の遊技状態がＢＢ状態であると判定した場合には、ステップＳ５０６にてテーブル選択処理を行う。詳細は後述するが、テーブル選択処理では、現在の遊技状態の他に、ＢＢに当選した際の遊技状態を参照して抽選テーブルを選択する。
【０１３３】
抽選テーブルを選択した後、ステップＳ５０７ではインデックス値ＩＶを１とし、続くステップＳ５０８では役の当否を判定する際に用いる判定値ＤＶを設定する。かかる判定値設定処理では、現在の判定値ＤＶに、現在のインデックス値ＩＶと対応するポイント値ＰＶを加算して新たな判定値ＤＶを設定する。なお、初回の判定値設定処理では、ステップＳ５０１にて取得した乱数値を現在の判定値ＤＶとし、この乱数値に現在のインデックス値ＩＶである１と対応するポイント値ＰＶを加算して新たな判定値ＤＶとする。
【０１３４】
その後、ステップＳ５０９ではインデックス値ＩＶと対応する役の当否判定を行う。役の当否判定では判定値ＤＶが６５５３５を超えたか否かを判定する。６５５３５を超えた場合には、ステップＳ５１０に進み、そのときのインデックス値ＩＶと対応する役の当選フラグを、ＲＡＭ１０６の当選フラグ格納エリア１０６ａにセットする。例えば、ＩＶ＝３のときに判定値ＤＶが６５５３５を超えた場合、ステップＳ５１０では第１ＲＴ当選フラグと第１ＢＴ当選フラグをセットする。
【０１３５】
ちなみに、セットされた当選フラグが再遊技当選フラグ，ベル当選フラグ，第１〜第３ＲＴ当選フラグ，第１〜第３ＢＴ当選フラグのいずれかである場合、この当選フラグは該当選フラグがセットされたゲームの終了後にリセットされる（通常処理のＳ２０３参照）。一方、当選フラグが第１〜第３ＢＢ当選フラグのいずれかである場合、これらＢＢ当選フラグは対応するＢＢ入賞が成立したことを条件の１つとしてリセットされる。すなわち、第１〜第３ＢＢ当選フラグは、複数回のゲームにわたって有効とされる場合がある。なお、いずれかのＢＢ当選フラグを持ち越した状態におけるステップＳ５１０では、現在のインデックス値ＩＶが１〜５であればインデックス値ＩＶと対応する当選フラグをセットし、現在のインデックス値ＩＶが６〜８であれば対応するＢＢ当選フラグをセットしない。つまり、いずれかのＢＢ当選フラグが持ち越されているゲームでは、再遊技やベル，第１〜第３複数当選役に当選した場合には対応する当選フラグをセットする一方、いずれのＢＢに当選した場合であっても新たにＢＢ当選フラグをセットしない。
【０１３６】
ステップＳ５０９にて判定値ＤＶが６５５３５を超えなかった場合には、インデックス値ＩＶと対応する役に外れたことを意味する。かかる場合にはステップＳ５１１にてインデックス値ＩＶを１加算し、続くステップＳ５１２ではインデックス値ＩＶと対応する役があるか否か、すなわち当否判定すべき判定対象があるか否かを判定する。具体的には、１加算されたインデックス値ＩＶが抽選テーブルに設定されたインデックス値ＩＶの最大値を超えたか否かを判定する。当否判定すべき判定対象がある場合にはステップＳ５０８に戻り、役の当否判定を継続する。このとき、ステップＳ５０８では、先の役の当否判定に用いた判定値ＤＶ（すなわち現在の判定値ＤＶ）に現在のインデックス値ＩＶと対応するポイント値ＰＶを加算して新たな判定値ＤＶとし、ステップＳ５０９では、当該判定値ＤＶに基づいて役の当否判定を行う。ちなみに、図１５に示した抽選テーブルを用いて役の当否判定を行う場合、各ＢＢの当選確率はそれぞれ約６００分の１、各ＲＴの当選確率はそれぞれ約３０分の１、各ＢＴの当選確率はそれぞれ約３０分の１、ベルの当選確率は約７．０分の１、再遊技の当選確率は約７．３分の１である。また、いずれの役にも当選しない外れの確率は約１．６分の１である。
【０１３７】
ステップＳ５１０にて当選フラグをセットした後、又はステップＳ５１２にて当否判定すべき判定対象がないと判定した場合には、役の当否判定が終了したことを意味する。かかる場合には、ステップＳ５１３にて抽選結果コマンドをセットする。ここで、抽選結果コマンドとは、役の当否判定の結果を把握させるべく表示制御装置８１に対して送信されるコマンドである。
【０１３８】
その後、ステップＳ５１４にてリール停止制御用のスベリテーブル（停止テーブル）を設定するスベリテーブル設定処理を行い、本処理を終了する。ここで、スベリテーブルとは、ストップスイッチ４２〜４４が操作されたタイミングからリール３２Ｌ，３２Ｍ，３２Ｒをどれだけ滑らせた（回転させた）上で停止させるかが定められたテーブルである。すなわち、スベリテーブルとは、ストップスイッチ４２〜４４が押された際に基点位置（本実施の形態では下段）に到達している到達図柄（到達図柄番号）と、前記基点位置に実際に停止させる停止図柄（停止図柄番号）との関係を導出することが可能な停止データ群である。
【０１３９】
本スロットマシン１０では、各リール３２Ｌ，３２Ｍ，３２Ｒを停止させる停止態様として、ストップスイッチ４２〜４４が操作された場合に、基点位置に到達している到達図柄をそのまま停止させる停止態様と、対応するリールを１図柄分滑らせた後に停止させる停止態様と、２図柄分滑らせた後に停止させる停止態様と、３図柄分滑らせた後に停止させる停止態様と、４図柄分滑らせた後に停止させる停止態様との５パターンの停止態様が用意されている。そして、各リール３２Ｌ，３２Ｍ，３２Ｒの図柄番号毎に前記５パターンの停止態様のいずれかを設定されたスベリテーブルが、各役について複数用意されている。
【０１４０】
このように、ストップスイッチ４２〜４４が操作されたタイミングから規定時間（１９０ｍｓｅｃ）が経過するまでの間に各リール３２Ｌ，３２Ｍ，３２Ｒが停止するようスベリテーブルを設定することにより、表示窓２６Ｌ，２６Ｍ，２６Ｒから視認可能な範囲に停止する図柄配列（以下、停止出目と言う。）があたかも遊技者の操作によって決定されたかのような印象を遊技者に抱かせることが可能となる。また、４図柄分までは滑らせることが可能な構成とすることにより、かかる規定時間内で可能な限り抽選に当選した役と対応する図柄の組合せを有効ライン上に停止させることが可能となる。
【０１４１】
図１６は、左リール３２Ｌの「青７」図柄を有効ライン上に停止させる場合にセットされるスベリテーブルの一例である。滑り数が０である番号の図柄は、下段に実際に停止する図柄である。例えば、左リール３２Ｌの１３番の「青７」図柄が下段に到達している際に左ストップスイッチ４２を操作された場合、左リール３２Ｌは滑ることなくそのまま停止し、「青７」図柄が下段に停止する。また、滑り数が０でない番号の図柄は、記載された図柄数分だけリールが滑ることを意味する。例えば、左リール３２Ｌの７番の「リプレイ」図柄が下段に到達している際に左ストップスイッチ４２を操作された場合、左リール３２Ｌは４図柄分だけ滑り、１１番の「リプレイ」図柄が下段に停止すると共に１３番の「青７」図柄が上段に停止する。このように、スベリテーブルでは、各リール３２Ｌ，３２Ｍ，３２Ｒに付された図柄が下段に到達したタイミングでストップスイッチ４２〜４４を操作された場合の滑り数が図柄番号毎に設定されている。ちなみに、例えば左リール３２Ｌの１９番の位置には滑り数として３と０の２つが記載されているが、滑り数０は左リール３２Ｌの下段に停止する図柄を容易に理解できるよう便宜上付したものである。すなわち、左リール３２Ｌの１５番の「ベル」図柄が下段に到達している際に左ストップスイッチ４２を操作された場合、左リール３２Ｌは４図柄分滑って１９番の「ベル」図柄が下段に停止する。一方、左リール３２Ｌの１９番の「ベル」図柄が下段に到達している際に左ストップスイッチ４２を操作された場合、左リール３２Ｌはそのまま停止するのではなく３図柄分滑って１番の「ベル」図柄が下段に停止する。
【０１４２】
さて、スベリテーブル設定処理では、ＲＡＭ１０６の当選フラグ格納エリア１０６ａにセットされている当選フラグを確認し、セットされている当選フラグと一義的に対応するスベリテーブルを、ＲＡＭ１０６のスベリテーブル格納エリア１０６ｂにセットする。このとき、本スロットマシン１０では、左リール３２Ｌの当選役と対応する図柄（以下、「当選図柄」と言う。）が上段又は下段のいずれかに停止するように、中リール３２Ｍと右リール３２Ｒの当選図柄が中段に停止するように設定されたスベリテーブルをセットする。
【０１４３】
図１６に示すスベリテーブルは、ＢＢ当選が持ち越されていない状況下で第２複数当選役に当選した場合に最初にセットされるスベリテーブルである。かかるスベリテーブルでは、例えば中リール３２Ｍの３番の「リプレイ」図柄が下段に到達している際に中ストップスイッチ４３が操作された場合、中リール３２Ｍは滑ることなくそのまま停止し、第２ＲＴ図柄たる４番の「ベル」図柄が中段に停止する。また、この４番の「ベル」図柄が下段に到達している際、すなわち中段を通過した後で中ストップスイッチ４３が操作された場合、中リール３２Ｍは３図柄分だけ滑って７番の「リプレイ」図柄が下段に停止し、８番の「ベル」図柄が中段に停止する。右リール３２Ｒについても同様であり、例えば右リール３２Ｒの８番の「リプレイ」図柄が下段に到達している際に右ストップスイッチ４４が操作された場合、右リール３２Ｒは１図柄分だけ滑って９番の「青年」図柄が下段に停止し、第２ＲＴ図柄たる１０番の「ベル」図柄が中段に停止する。このように、中リール３２Ｍ及び右リール３２Ｒについては、第２ＲＴ図柄たる「ベル」図柄が中段に停止するように設定されている。
【０１４４】
但し、左リール３２Ｌについては、上段又は下段のいずれかに第２ＲＴ図柄たる「青７」図柄が停止するように設定されている。例えば、１１番の「リプレイ」図柄が下段に到達している際に左ストップスイッチ４２が操作されると１３番の「青７」図柄が上段に停止し、１２番の「ベル」図柄又は１３番の「青７」図柄が下段に到達している際に左ストップスイッチ４２が操作されると１３番の「青７」図柄が下段に停止する。これは、一般的に左リール３２Ｌ→中リール３２Ｍ→右リール３２Ｒの順に回転を停止させるべくストップスイッチ４２〜４４が操作されることを考慮し、停止出目を多様化させるための工夫である。
【０１４５】
但し、かかるスベリテーブルが最初にセットされた場合であっても、左ストップスイッチ４２の操作されたタイミングによっては「青７」図柄が上段又は下段に停止せず、所謂取りこぼしが発生することもある。これは、滑らせることのできる範囲をストップスイッチの押されたタイミングから１９０ｍｓｅｃ以内（最大４図柄分）と予め決めており、左リール３２Ｌには「青７」図柄を１３番の位置のみにしか配置していないためである。
【０１４６】
そこで、かかるスベリテーブルでは、第２ＲＴ図柄たる左リール３２Ｌの「青７」図柄を上段又は下段に停止させることが不可能な場合、第２ＢＴ図柄たる左リール３２Ｌの「青チェリー」図柄が上段又は下段のいずれかに停止するように設定されている。例えば、１８番の「リプレイ」図柄が下段に到達している際に左ストップスイッチ４２が操作された場合、左リール３２Ｌは３図柄分滑って１番の「ベル」図柄が下段に停止し、３番の「青チェリー」図柄が上段に停止する。また、２番の「青年」図柄が下段に到達している際に左ストップスイッチ４２が操作された場合、左リール３２Ｌは１図柄分滑って３番の「青チェリー」図柄が下段に停止する。
【０１４７】
但し、「青７」図柄と同様、左リール３２Ｌには「青チェリー」図柄を３番の位置のみにしか配置していないため、左ストップスイッチ４２の押されたタイミングによっては「青７」図柄と「青チェリー」図柄のいずれも上記各位置に停止しない場合がある。
【０１４８】
ここで、各リール３２Ｌ，３２Ｍ，３２Ｒの図柄配列について簡単に説明する。
【０１４９】
「リプレイ」図柄は、下段に先に到達する図柄と次に到達する図柄との間隔が３図柄以下となるように、各リール３２Ｌ，３２Ｍ，３２Ｒに配置されている。例えば、左リール３２Ｌの４番の「リプレイ」図柄と７番の「リプレイ」図柄はその間隔が２図柄となるようにして配置されており、中リール３２Ｍの１０番の「リプレイ」図柄と１４番の「リプレイ」図柄はその間隔が３図柄となるようにして配置されている。このように、「リプレイ」図柄は、同種図柄同士の間隔が３図柄以下となるようにして各リール３２Ｌ，３２Ｍ，３２Ｒに配置されている。上述した通り、リール３２Ｌ，３２Ｍ，３２Ｒはストップスイッチ４２〜４４の操作されたタイミングから最大４図柄分滑らせた後に停止させることができる。したがって、かかる図柄配列とすることにより、ストップスイッチ４２〜４４が如何なるタイミングで操作された場合であっても、再遊技入賞を成立させる際に「リプレイ」図柄を任意の位置に停止させることができる。例えば左リール３２Ｌの７番の「リプレイ」図柄が下段に到達した際に左ストップスイッチ４２が操作された場合、左リール３２Ｌをそのまま停止させればこの「リプレイ」図柄を下段に停止させることができ、左リール３２Ｌを２図柄分滑らせた後に停止させれば１１番の「リプレイ」図柄を上段に停止させることができ、左リール３２Ｌを３図柄分滑らせた後に停止させれば１１番の「リプレイ」図柄を中段に停止させることができる。
【０１５０】
本スロットマシン１０では、かかる「リプレイ」図柄の他、「ベル」図柄についても、同種図柄同士の間隔が３図柄以下となるようにして各リール３２Ｌ，３２Ｍ，３２Ｒに配置されている。このため、ストップスイッチ４２〜４４が如何なるタイミングで操作された場合であっても、ベル入賞を成立させる際に「ベル」図柄を任意の位置に停止させることができる。また、ＲＴ入賞のいずれかを成立させるべく中リール３２Ｍと右リール３２Ｒを停止させる場合にも、ストップスイッチ４２〜４４の操作タイミングに関わらずＲＴ図柄たる「ベル」図柄を任意の位置に停止させることができる。
【０１５１】
一方、「赤７」図柄は各リール３２Ｌ，３２Ｍ，３２Ｒの２０番の位置に１つずつ配置されているのみであり、同種図柄同士の間隔が４図柄以下となるようにして各リール３２Ｌ，３２Ｍ，３２Ｒに配置されていない。このため、例えば左リール３２Ｌの１１番の「リプレイ」図柄が下段に到達している際に左ストップスイッチ４２が操作された場合、仮に左リール３２Ｌを４図柄分滑らせても「赤７」図柄を有効ライン上に停止させることはできない。したがって、第１ＢＢに当選し、「赤７」図柄が有効ライン上に停止するように設定されたスベリテーブルがセットされた場合であっても、ストップスイッチ４２〜４４の操作されたタイミングによっては「赤７」図柄が有効ライン上に停止せず、第１ＢＢ入賞が成立しない場合がある。また、左リール３２Ｌの「赤７」図柄は第１ＲＴ図柄でもあるため、第１ＲＴ当選時に所謂取りこぼしが発生することもある。本スロットマシン１０では、かかる「赤７」図柄の他、「青７」図柄、「白７」図柄についても５図柄以上離れた区間が形成されるようにして各リール３２Ｌ，３２Ｍ，３２Ｒに配置されている。また、左リール３２Ｌにおいては、「赤チェリー」図柄、「青チェリー」図柄、「白チェリー」図柄も５図柄以上離れた区間が形成されるようにして配置されている。このため、各ＢＢ、各ＲＴ、各ＢＴのいずれかに当選した場合には、当選図柄が有効ライン上に停止するよう狙ってストップスイッチ４２〜４４を操作する必要がある。
【０１５２】
スベリテーブル設定処理の説明に戻り、ＢＢ当選フラグと他の当選フラグがセットされている場合には、以下に示すスベリテーブルをセットする。
【０１５３】
ＢＢ当選フラグと再遊技当選フラグがセットされている場合、再遊技入賞を優先して成立させるための再遊技入賞用スベリテーブルをセットする。再遊技入賞用スベリテーブルでは、左リール３２Ｌの「リプレイ」図柄が上段又は下段に優先して停止するように、中リール３２Ｍと右リール３２Ｒの「リプレイ」図柄が中段に優先して停止するように設定されている。
【０１５４】
ＢＢ当選フラグとベル当選フラグがセットされている場合、ＢＢ入賞を優先して成立させるためのＢＢ優先入賞用スベリテーブルをセットする。但し、ＢＢ当選フラグと対応する「７」図柄は各リール３２Ｌ，３２Ｍ，３２Ｒに１つずつしか配置されていないため、ストップスイッチ４２〜４４の操作タイミングによっては当選ＢＢ図柄を有効ライン上に停止させることができない場合がある。そこで、ＢＢ優先入賞用スベリテーブルでは、左リール３２Ｌの当選ＢＢ図柄を上段又は下段のいずれかに停止させることが可能であれば優先して停止させるように、中リール３２Ｍ及び右リール３２Ｒの当選ＢＢ図柄を中段に停止させることが可能であれば優先して停止させるように設定されると共に、当選ＢＢ図柄を上記各位置に停止させることが不可能であって「ベル」図柄を上記各位置に停止させることが可能であれば当該「ベル」図柄を上記各位置に停止させるように設定されている。
【０１５５】
ＢＢ当選フラグとＲＴ当選フラグ、ＢＴ当選フラグがセットされている場合についても、ＢＢ入賞を優先して成立させるためのＢＢ優先入賞用スベリテーブルをセットする。このときにセットされるＢＢ優先入賞用スベリテーブルは、左リール３２Ｌについて、当選ＢＢ図柄を上段又は下段のいずれかに停止させることが可能であれば優先して停止させるように、当選ＢＢ図柄を上記各位置に停止させることが不可能であって当選ＲＴ図柄又は当選ＢＴ図柄のいずれかを上記各位置に停止させることが可能であれば前記当選ＲＴ図柄又は当選ＢＴ図柄のいずれかを上記各位置に停止させるように設定されている。また、中リール３２Ｍ及び右リール３２Ｒについて、当選ＢＢ図柄を中段に停止させることが可能であれば優先して停止させるように、当選ＢＢ図柄を中段に停止させることが不可能であって当選ＲＴ図柄たる「ベル」図柄を中段に停止させることが可能であれば当該「ベル」図柄を中段に停止させるように設定されている。
【０１５６】
次に、ステップＳ２１２のリール制御処理について、図１７のフローチャートに基づき説明する。
【０１５７】
リール制御処理では、先ずステップＳ６０１において各リール３２Ｌ，３２Ｍ，３２Ｒの回転を開始させる回転開始処理を行う。
【０１５８】
回転開始処理では、前回の遊技でリールが回転を開始した時点から予め定めたウエイト時間（例えば４．１秒）が経過したか否かを確認し、経過していない場合にはウエイト時間が経過するまで待機する。ウエイト時間が経過した場合には、次回の遊技のためのウエイト時間を再設定するとともに、ＲＡＭ１０６に設けられたモータ制御格納エリアに回転開始情報をセットするモータ制御初期化処理を行う。かかる処理を行うことにより、タイマ割込み処理のステッピングモータ制御処理Ｓ１０６にてステッピングモータの加速処理が開始され、各リール３２Ｌ，３２Ｍ，３２Ｒが回転を開始する。このため、遊技者が規定数のメダルをベットしてスタートレバー４１を操作したとしても、直ちに各リール３２Ｌ，３２Ｍ，３２Ｒが回転を開始しない場合がある。その後、各リール３２Ｌ，３２Ｍ，３２Ｒが所定の回転速度で定速回転するまで待機し、各リール３２Ｌ，３２Ｍ，３２Ｒが定速回転となった場合には、定速回転コマンドをセットして本処理を終了する。ここで、定速回転コマンドとは、各リール３２Ｌ，３２Ｍ，３２Ｒの回転速度が一定となったことを表示制御装置８１に把握させるべく送信されるコマンドである。また、ＣＰＵ１０２は、各リール３２Ｌ，３２Ｍ，３２Ｒの回転速度が定速となると、各ストップスイッチ４２〜４４の図示しないランプを点灯表示することにより、停止指令を発生させることが可能となったことを遊技者等に報知する。
【０１５９】
回転開始処理に続き、ステップＳ６０２では停止前処理を行う。
【０１６０】
停止前処理では、図１８のフローチャートに示すように、先ずステップＳ７０１にて開始後処理を行う。
【０１６１】
開始後処理では、図１９のフローチャートに示すように、ステップＳ８０１にてスタートレバー４１が操作されたか否かを判定する。スタートレバー４１が操作された場合には、ステップＳ８０２にて開始操作コマンドをセットした後に本処理を終了する。つまり、開始操作コマンドは、遊技を開始できない状況下に限らず、遊技が開始されている最中にもセットされることがある。換言すれば、開始操作コマンドとは、スタートレバー４１の操作が遊技の開始に関与しない状況下で行われた場合に表示制御装置８１に対して送信されるコマンドであると言える。
【０１６２】
ステップＳ８０１にてスタートレバー４１が操作されていないと判定した場合には、ステップＳ８０３にてクレジット投入スイッチ５６〜５８のいずれかが操作されたか否かを判定する。クレジット投入スイッチ５６〜５８のいずれも操作されていない場合にはそのまま本処理を終了し、クレジット投入スイッチ５６〜５８のいずれかが操作された場合には、ステップＳ８０４にて対応するベット操作コマンドをセットした後に本処理を終了する。ここで、各リール３２Ｌ，３２Ｍ，３２Ｒが回転を開始した後、すなわち遊技の開始後における各クレジット投入スイッチ５６〜５８の操作は、ベット受付が禁止されている（通常処理のＳ２０９）ため、遊技の進行に関与していない。同様に、規定数のメダルがベットされた後における各クレジット投入スイッチ５６〜５８の操作も、規定数以上のメダルがベットされることはないため、遊技の進行に関与していない。したがって、ベット操作コマンドとは、クレジット投入スイッチ５６〜５８の操作が遊技の進行に関与しない状況下で行われた場合に表示制御装置８１に対して送信されるコマンドであると言える。
【０１６３】
停止前処理の説明に戻り、開始後処理を行った後、ステップＳ７０２では、ストップスイッチ４２〜４４のいずれかが操作されたか否かを判定する。いずれのストップスイッチ４２〜４４も操作されていない場合には、ステップＳ７０１に戻り、ストップスイッチ４２〜４４のいずれかが操作されるまで開始後処理を行う。
【０１６４】
ステップＳ７０２にてストップスイッチ４２〜４４のいずれかが操作されたと判定した場合には、ステップＳ７０３に進み、回転中のリールと対応するストップスイッチが操作されたか否か、すなわち停止指令が発生したか否かを判定する。停止指令が発生した場合には、ステップＳ７０４に進み、今回の停止指令が第３停止指令か否か、すなわち１つのリールのみが回転しているときにストップスイッチが操作されたか否かを判定する。今回の停止指令が第３停止指令の場合には、ステップＳ７０４にて肯定判定を行い、そのまま本処理を終了する。一方、全リール３２Ｌ，３２Ｍ，３２Ｒが回転しているときに発生する第１停止指令、又は２つのリールが回転しているときに発生する第２停止指令の場合には、ステップＳ７０４にて否定判定を行うとともにステップＳ７０５にてスベリテーブル第１変更処理を行い、本処理を終了する。
【０１６５】
ここで、スベリテーブル第１変更処理とは、ＲＡＭ１０６のスベリテーブル格納エリア１０６ｂに格納されたスベリテーブルを、停止指令と対応するリールを停止させる前に変更する処理である。スベリテーブル第１変更処理では、例えば左ストップスイッチ４２以外のストップスイッチ４３，４４が操作されて第１停止指令が発生した場合等といった、スベリテーブル格納エリア１０６ｂにスベリテーブルをセットする際に想定したストップスイッチ４２〜４４の操作順序と異なる操作順序でストップスイッチ４２〜４４が操作された場合に、スベリテーブルを変更する。かかる処理を行うことにより、停止出目の多様化を図ったり、セットされた当選フラグと対応する入賞が成立しない所謂取りこぼしの発生頻度を低減させたりすることができる。
【０１６６】
一方、ステップＳ７０３にて停止指令が発生していないと判定した場合には、既に停止したリールと対応するストップスイッチが操作されたことを意味する。かかる場合には、ステップＳ７０６に進み、操作されたストップスイッチと対応する停止操作コマンドをセットした後、ステップＳ７０１に戻る。
【０１６７】
このように、停止前処理では、遊技の進行に関与しない開始操作，ベット操作，停止操作が停止指令の発生前に行われたか否かを把握し、いずれかの操作がなされた場合には対応する操作コマンドをセットする処理を行う。
【０１６８】
リール制御処理の説明に戻り、ステップＳ６０２にて停止前処理が終了した場合、遊技を進行させるべく回転中のリールと対応するストップスイッチが操作され、停止指令が発生したことを意味する。かかる場合には、回転中のリールを停止させるべくステップＳ６０３〜ステップＳ６１１に示す停止制御処理を行う。
【０１６９】
すなわち、ステップＳ６０３では、ストップスイッチの操作されたタイミングで下段に到達している到達図柄の図柄番号を確認する。具体的には、リールインデックスセンサの検出信号が入力された時点から出力した励磁パルス数により、下段に到達している到達図柄の図柄番号を確認する。続くステップＳ６０４では、スベリテーブル格納エリア１０６ｂにセットされたスベリテーブルのうち到達図柄と対応する図柄番号のデータから今回停止させるべきリールのスベリ数を算出する。その後、ステップＳ６０５では、算出したスベリ数を到達図柄の図柄番号に加算し、下段に実際に停止させる停止図柄の図柄番号を決定する。ステップＳ６０６では今回停止させるべきリールの到達図柄の図柄番号と停止図柄の図柄番号が等しくなったか否かを判定し、等しくなった場合にはステップＳ６０７にてリールの回転を停止させるリール停止処理を行う。その後、ステップＳ６０８では、現在の各リール３２Ｌ，３２Ｍ，３２Ｒの回転状況を表示制御装置８１に把握させるべく回転情報コマンドをセットし、ステップＳ６０９では、停止図柄コマンドをセットする。ここで、停止図柄コマンドとは、表示窓から視認可能な範囲（上段、中段、下段）に停止した図柄を把握させるべく表示制御装置８１に対して送信されるコマンドである。そして、ステップＳ６１０では、全リール３２Ｌ，３２Ｍ，３２Ｒが停止したか否かを判定する。全リール３２Ｌ，３２Ｍ，３２Ｒが停止していない場合には、ステップＳ６１１にてスベリテーブル第２変更処理を行い、ステップＳ６０２の停止前処理に戻る。
【０１７０】
ここで、スベリテーブル第２変更処理とは、ＲＡＭ１０６のスベリテーブル格納エリア１０６ｂに格納されたスベリテーブルを、リールの停止後に変更する処理である。スベリテーブル第２変更処理では、セットされている当選フラグと、停止しているリールの停止出目と、に基づいてスベリテーブルを変更する。例えば、第１ＲＴ当選フラグと第１ＢＴ当選フラグがセットされ、左リール３２Ｌの第１ＢＴ図柄たる「赤７」図柄が上段に停止した場合、中リール３２Ｍの第１ＲＴ図柄たる「ベル」図柄が上段又は中段に停止するように設定されたスベリテーブルに変更する。かかる処理を行うことにより、リールの停止結果に応じてその後に停止させるリールの停止出目の多様化を図ることができるとともに、取りこぼしの発生頻度を低減させることができる。
【０１７１】
一方、ステップＳ６１０にて全リール３２Ｌ，３２Ｍ，３２Ｒが停止していると判定した場合には、ステップＳ６１２にて払出判定処理を行い、本処理を終了する。払出判定処理とは、入賞図柄の組合せが有効ライン上に並んでいることを条件の１つとしてメダルの払出枚数を設定する処理である。
【０１７２】
払出判定処理では、各リール３２Ｌ，３２Ｍ，３２Ｒの下段に停止した停止図柄の図柄番号から各有効ライン上に形成された図柄の組合せを導出し、有効ライン上で入賞が成立しているか否かを判定する。入賞が成立している場合には、さらに入賞成立役が当選フラグ格納エリア１０６ａにセットされている当選フラグと一致しているか否かを判定する。入賞成立役と当選フラグが一致している場合には、入賞成立役と、当該入賞成立役と対応する払出数と、をＲＡＭ１０６に設けられた払出情報格納エリアにセットする。一方、入賞成立役と当選フラグが一致していない場合には、スロットマシン１０をエラー状態とするとともにエラーの発生を報知する異常発生時処理を行う。かかるエラー状態は、リセットスイッチ７２が操作されるまで維持される。全ての有効ラインについて払出判定が終了した場合には、入賞コマンドと入賞ラインコマンドをセットし、払出判定処理を終了する。ここで、入賞コマンドとは、いずれの入賞が成立したかを把握させるべく表示制御装置８１に対して送信されるコマンドであり、入賞ラインコマンドとは、入賞がいずれの有効ラインで成立したかを把握させるべく表示制御装置８１に対して送信されるコマンドである。
【０１７３】
次に、ステップＳ２１３のメダル払出処理について、概略を説明する。
【０１７４】
メダル払出処理では、払出情報格納エリアにセットされた払出数が０か否かを判定する。払出数が０の場合、先の払出判定処理にてメダルの払い出される入賞が成立していないと判定したことを意味する。かかる場合には、払出判定処理にてセットした入賞成立役に基づいて、再遊技入賞が成立したか否かを判定する。再遊技入賞が成立していない場合にはそのままメダル払出処理を終了し、再遊技入賞が成立している場合には、遊技状態を再遊技状態とする再遊技設定処理を行うとともに、再遊技コマンドをセットし、メダル払出処理を終了する。ここで、再遊技コマンドとは、次回のゲームが再遊技であることを把握させるべく表示制御装置８１に対して送信されるコマンドである。なお、先に説明した開始待ち処理Ｓ２０４では、現在の遊技状態が再遊技状態であると判定した場合に自動投入処理を行っている。
【０１７５】
一方、払出情報格納エリアにセットされた払出数が０でない場合には、当該払出数と同数のメダルを払い出し、メダル払出処理を終了する。メダルの払い出しについて具体的には、クレジットカウンタのカウント値が上限（貯留されているメダル数が５０枚）に達していない場合、クレジットカウンタのカウント値に払出数を加算するとともに加算後の値をクレジット表示部６０に表示させる。また、クレジットカウンタのカウント値が上限に達している場合、又は払出数の加算途中でカウント値が上限に達した場合には、メダル払出用回転板を駆動し、メダルをホッパ装置５１からメダル排出口４９を介してメダル受け皿５０へ払い出す。なお、メダル払出処理では、メダルの払い出しにあわせて払出枚数表示部６２に表示される払出数を変更する処理も行っている。また、現在の遊技状態がＢＢ状態である場合には、後述する残払出数カウンタの値から払出数を減算するとともに、残払出枚数表示部６１に表示される残払出数を減算する処理を行う。
【０１７６】
次に、ステップＳ２１４のＲＴ状態処理を、図２０のフローチャートに基づいて説明する。
【０１７７】
ステップＳ９０１では、現在の遊技状態が通常状態か否かを判定する。通常状態である場合にはステップＳ９０２に進み、払出判定処理にてセットした入賞成立役に基づいて、第１ＲＴ入賞〜第３ＲＴ入賞のいずれかが成立したか否かを判定する。そして、いずれかのＲＴ入賞が成立した場合には、遊技状態をＲＴ状態に移行させるべくステップＳ９０３にてＲＴ開始処理を行い、本処理を終了する。
【０１７８】
ＲＴ開始処理では、ＲＡＭ１０６の状態情報格納エリア１０６ｃにＲＴ設定フラグをセットして遊技状態をＲＴ状態とする。また、前記状態情報格納エリア１０６ｃに設けられるとともに、ＲＴ状態の残りゲーム数をカウントするための残ゲーム数カウンタに３０をセットする。つまり、ＲＴ開始処理ではいずれのＲＴ入賞が成立したかに関わらず同じ処理を行い、その結果として同じＲＴ状態に移行する。ちなみに、例えば抽選処理におけるステップＳ５０３等では、ＲＴ設定フラグの有無によってＲＴ状態か否かを判定している。
【０１７９】
ＲＴ状態について簡単に説明すると、ＲＴ状態とは、上述した抽選処理にてＲＴ状態専用に設定されたＲＴ状態用抽選テーブルが選択され、この抽選テーブルに基づいて各役の当否判定が行われるゲームである（ステップＳ５０５参照）。そして、ＲＴ状態は、所定回数（本実施形態では３０回）のゲームが行われるか、第１ＢＢ入賞〜第３ＢＢ入賞のいずれかが成立したことを以って終了する。
【０１８０】
ＲＴ状態用抽選テーブルには、通常状態用抽選テーブルと同じ役が当否判定を行うべき役として設定されている。つまり、再遊技、ベル、第１ＲＴ＋第１ＢＴ、第２ＲＴ＋第２ＢＴ、第３ＲＴ＋第３ＢＴ、第１ＢＢ、第２ＢＢ、第３ＢＢの８種類の役が当否判定を行うべき役として設定されている。また、再遊技以外の役のポイント値ＰＶは通常状態用抽選テーブルと同じ値が設定されているものの、再遊技のポイント値ＰＶは通常状態用抽選テーブルの設定値に対して非常に高く設定されている。例えば「設定１」のＲＴ状態で選択される抽選テーブルでは、通常状態用抽選テーブルの再遊技のポイント値ＰＶが８９８０である（図１５参照）のに対し、４９２９１と非常に高く設定されている。このため、ＲＴ状態に移行すると、再遊技以外の役には通常状態下と同じ確率で当選するとともに、再遊技には通常状態下より高確率（本実施の形態では約１．３分の１）で当選し、６５５３６分の１の確率でいずれの役にも当選しない。ここで、再遊技入賞はストップスイッチ４２〜４４の操作タイミングに関わらず成立する入賞であるため、ＲＴ状態とは、いずれの入賞も成立しないゲームが通常状態と比してほぼ発生せず、高確率で再遊技入賞の成立するゲームであると言える。故に、ＲＴ状態に移行すると、遊技者は自己の所有するメダルをほぼ減少させることなく所定回数のゲームを行うことができる。ちなみに、ＲＴ状態下では再遊技以外の役の当否判定を通常状態と同じ当選確率で行うため、遊技者は、ＲＴ状態に移行してからＲＴ状態が終了するまでの間に、約４０枚のメダルの増加を期待することができる。
【０１８１】
ステップＳ９０２にていずれのＲＴ入賞も成立していないと判定した場合、ステップＳ９０４では、払出判定処理にてセットした入賞成立役に基づいて、第１ＢＴ入賞〜第３ＢＴ入賞のいずれかが成立したか否かを判定する。いずれのＢＴ入賞も成立していない場合には、そのまま本処理を終了し、いずれかのＢＴ入賞が成立した場合には、遊技状態をＢＴ状態に移行させるべくステップＳ９０５にてＢＴ開始処理を行い、本処理を終了する。
【０１８２】
ＢＴ開始処理では、ＲＡＭ１０６の状態情報格納エリア１０６ｃにＢＴ設定フラグをセットして遊技状態をＢＴ状態とする。また、前記状態情報格納エリア１０６ｃに設けられるとともに、ＢＴ状態の残りゲーム数をカウントするための残ゲーム数カウンタに１００をセットする。つまり、ＢＴ開始処理ではいずれのＢＴ入賞が成立したかに関わらず同じ処理を行い、その結果として同じＢＴ状態に移行する。
【０１８３】
ＢＴ状態について簡単に説明すると、ＢＴ状態とは、通常状態とほぼ同じ遊技状態であり、抽選処理でも通常状態用抽選テーブルに基づいて各役の当否判定が行われる。そして、ＢＴ状態は、所定回数（本実施形態では１００回）のゲームが行われるか、第１ＢＢ〜第３ＢＢのいずれかに当選したことを以って終了する。
【０１８４】
ステップＳ９０１にて現在の遊技状態が通常状態でないと判定した場合には、現在の遊技状態がＲＴ状態、ＢＴ状態、ＢＢ状態のいずれかであることを意味する。かかる場合には、ステップＳ９０６に進み、ＲＴ状態又はＢＴ状態において終了条件が成立したか否かを判定する終了判定処理を行い、本処理を終了する。なお、上記ステップＳ９０１等では、ＲＴ設定フラグ，ＢＴ設定フラグ及び後述するＢＢ設定フラグがいずれもセットされていない場合に、通常状態であると判定している。
【０１８５】
以上の通り、ＲＴ開始処理及びＢＴ開始処理は、通常状態下に限って行われ、その他の遊技状態、すなわちＲＴ状態，ＢＴ状態，ＢＢ状態では行われない。つまり、これら通常状態以外の遊技状態では、ＲＴ入賞やＢＴ入賞が成立した場合に、対応するメダル払出のみが行われる。
【０１８６】
次に、ステップＳ９０６の終了判定処理を、図２１のフローチャートに基づいて説明する。
【０１８７】
先ずステップＳ１００１では、現在の遊技状態がＢＢ状態か否かを判定し、ＢＢ状態である場合には、そのまま本処理を終了する。ＢＢ状態でないと判定した場合には、さらにステップＳ１００２にて現在の遊技状態がＲＴ状態か否かを判定する。現在の遊技状態がＲＴ状態である場合には、ステップＳ１００３に進み、第１ＢＢ当選フラグ〜第３ＢＢ当選フラグのいずれかがセットされているか否かを判定し、いずれかのＢＢ当選フラグがセットされている場合にはそのまま本処理を終了する。
【０１８８】
現在の遊技状態がＢＴ状態である場合（ステップＳ１００２がＮＯの場合）、又はＲＴ状態下でＢＢ当選フラグがセットされていない場合（ステップＳ１００３がＮＯの場合）には、これら遊技状態下で１ゲーム消化したことを意味するため、ステップＳ１００４にて残ゲーム数カウンタの値を１減算する。続くステップＳ１００５では、残ゲーム数カウンタの値が０になったか否かを判定する。残ゲーム数カウンタの値が０の場合には、ＲＴ状態，ＢＴ状態共に終了条件が成立したことを意味するため、ステップＳ１００６にて対応する設定フラグをクリアし、本処理を終了する。この結果、遊技状態が通常状態に復帰することとなる。
【０１８９】
ステップＳ１００５にて残ゲーム数カウンタの値が０でないと判定した場合には、ステップＳ１００７にて第１ＢＢ当選フラグ〜第３ＢＢ当選フラグのいずれかがセットされているか否かを判定する。いずれのＢＢ当選フラグもセットされていない場合には、ＢＴ状態の終了条件が成立していないため、そのまま本処理を終了する。一方、いずれかのＢＢ当選フラグがセットされている場合には、ＢＴ状態の終了条件が成立したことを意味するため、ステップＳ１００８にて残ゲーム数カウンタの値を０にクリアするとともに、ステップＳ１００６にてＢＴ設定フラグをクリアし、本処理を終了する。この結果、遊技状態が通常状態に復帰することとなる。ちなみに、現在の遊技状態がＲＴ状態の場合には、先のステップＳ１００３にていずれのＢＢ当選フラグもセットされていないと判定しているため、ステップＳ１００７でも必ず否定判定を行い、そのまま本処理を終了する。
【０１９０】
ここで、通常状態、ＲＴ状態、ＢＴ状態における遊技者の有利度合いを比較する。
【０１９１】
ＲＴ状態では、再遊技当選確率が通常状態と比して高くなると共に外れの確率が通常状態と比して低くなる。このため、遊技者は、自己の所有するメダルをほぼ減少させることなく所定回数のゲームを行うことができる。したがって、ＲＴ状態は通常状態より遊技者の有利度合いが大きいと言える。
【０１９２】
ＢＴ状態では、通常状態と同じ当選確率で各役の抽選が行われる。このため、遊技者は、通常状態と同様に自己の所有するメダルを減少させつつ所定回数のゲームを行う必要がある。また、通常状態ではＲＴ入賞が成立するとＲＴ状態に移行する一方、ＢＴ状態ではＲＴ入賞が成立してもＲＴ状態に移行しない。したがって、ＢＴ状態は通常状態より遊技者の有利度合いが小さい、さらにいうと通常状態より不利であると言える。
【０１９３】
次に、ステップＳ２１５のＢＢ状態処理を、図２２のフローチャートに基づいて説明する。
【０１９４】
ＢＢ状態処理の説明に先立ち、ＢＢ状態について説明する。ＢＢ状態は、ＲＢ移行待ち状態とＲＢ状態とより構成されている。ＲＢ移行待ち状態とは、通常状態で成立させることが可能な入賞態様のうち第１ＢＢ〜第３ＢＢを除く各入賞に加えて、ＲＢ入賞を成立させることが可能な遊技状態である。そして、ＲＢ移行待ち状態で有効ライン上に左から「リプレイ」図柄、「ベル」図柄、「リプレイ」図柄と並んで停止した場合、ＲＢ入賞成立として、メダル払出は行われないものの遊技状態がＲＢ移行待ち状態からＲＢ状態に移行する。ＲＢ状態は、１２回のＪＡＣゲームで構成されている。ＪＡＣゲームとは、メダル払出の特典が付与される入賞（本実施の形態では第１ＢＴ）の成立する確率が通常状態と比して非常に高いゲームである。そして、ＪＡＣゲーム中に入賞が８回成立すると、ＪＡＣゲームが１２回行われる前であってもＲＢ状態が終了し、ＲＢ移行待ち状態に復帰する。つまり、ＢＢ状態では、ＲＢ移行待ち状態とＲＢ状態との間で遊技状態が繰り返し移行される。そして、ＢＢ状態は、メダル払出数が所定数（具体的には４００枚）に達したことを以って終了する。また、ＲＢ状態の途中でメダル払出数が所定数に達した場合には、ＢＢ状態のみならずＲＢ状態も終了する。これは、ＢＢ状態中のメダル払出数に上限をもたせることにより遊技者の射幸心を抑え、遊技の健全性を担保するための工夫である。
【０１９５】
さて、ＢＢ状態処理では、先ずステップＳ１１０１にて現在の遊技状態がＢＢ状態か否かを判定する。ＢＢ状態でない場合には、ステップＳ１１０２〜ステップＳ１１０４に示すＢＢ判定処理を行う。
【０１９６】
ＢＢ判定処理では、ステップＳ１１０２にて第１〜第３ＢＢ当選フラグのいずれかがセットされているか否かを判定する。第１〜第３ＢＢ当選フラグのいずれかがセットされている場合には、ステップＳ１１０３に進み、先の払出判定処理にてセットした入賞成立役に基づいて対応するＢＢ入賞が成立したか否かを判定する。そして、ＢＢ入賞が成立した場合には、ステップＳ１１０４にて遊技状態をＢＢ状態に移行させるべくＢＢ開始処理を実行する。具体的には、ＢＢ当選フラグをクリアするとともにＢＢ設定フラグをＲＡＭ１０６の状態情報格納エリア１０６ｃにセットし、遊技状態をＢＢ状態とする。また、前記状態情報格納エリア１０６ｃに設けられるとともに、ＢＢ状態中に払出可能な残りのメダル数をカウントするための残払出数カウンタに４００をセットする。そして、ＲＴ状態やＢＴ状態の残りゲーム数をカウントするための残ゲーム数カウンタの値を０にクリアする。
【０１９７】
ＢＢ判定処理が終了すると、ステップＳ１１０５にて状態コマンドをセットし、本処理を終了する。ここで、状態コマンドとは、現在の遊技状態を把握させるべく表示制御装置８１に対して送信されるコマンドである。ステップＳ１１０５では、第１〜第３ＢＢ当選フラグのいずれもセットされていないと判定した場合（ステップＳ１１０２がＮＯの場合）、ＲＴ設定フラグ又はＢＴ設定フラグがセットされているか否かを判定する。いずれの設定フラグもセットされていない場合には通常状態であることを意味する状態コマンドをセットし、ＲＴ設定フラグがセットされている場合にはＲＴ状態であることを意味する状態コマンドをセットし、ＢＴ設定フラグがセットされている場合にはＢＴ状態であることを意味する状態コマンドをセットする。また、第１〜第３ＢＢ当選フラグのいずれかがセットされているもののＢＢ入賞が成立していないと判定した場合（ステップＳ１１０３がＮＯの場合）には、現在の遊技状態を示すと共にＢＢ持越しゲームであることを意味する状態コマンドをセットする。さらに、ステップＳ１１０４にてＢＢ開始処理を行った場合には、ＢＢ状態であることを意味する状態コマンドをセットする。
【０１９８】
ステップＳ１１０１にて現在の遊技状態がＢＢ状態であると判定した場合には、さらにステップＳ１１０６にてＲＢ状態か否かを判定する。ＲＢ状態でないと判定した場合には、ＲＢ移行待ち状態であることを意味するため、ステップＳ１１０７〜ステップＳ１１１１に示すＲＢ移行待ち状態処理を行う。
【０１９９】
ＲＢ移行待ち状態処理では、ステップＳ１１０７において、ＲＢ入賞が成立したか否かを先の払出判定処理にてセットした入賞成立役に基づいて判定する。そして、ＲＢ入賞が成立した場合には、ステップＳ１１０８にて遊技状態をＲＢ状態に移行させるべくＲＢ開始処理を実行する。具体的には、ＲＢ設定フラグをＲＡＭ１０６の状態情報格納エリア１０６ｃにセットし、遊技状態をＲＢ状態とする。ちなみに、先のステップＳ１１０６におけるＲＢ状態か否かの判定は、ＲＢ設定フラグの有無により判定している。また、ＲＢ状態下で成立した入賞回数をカウントするための残払出入賞カウンタに８をセットするとともに、ＪＡＣゲームの残りゲーム数をカウントするための残ＪＡＣゲームカウンタに１２をセットする。なお、残払出入賞カウンタと残ＪＡＣ入賞カウンタは、状態情報格納エリア１０６ｃに設けられている。ＲＢ開始処理を行った後、ステップＳ１１０５ではＲＢ状態であることを意味する状態コマンドをセットし、本処理を終了する。
【０２００】
ステップＳ１００７にてＲＢ入賞が成立していないと判定した場合には、ＲＢ移行待ち状態下でＲＢ入賞以外の入賞が成立した、又はいずれの入賞も成立しなかったことを意味する。そこで、ステップＳ１１０９では、残払出数カウンタの値が０か否かを判定する。０でない場合には、ＢＢ状態中に払い出されたメダル数が所定数に達しておらず、ＢＢ状態の終了条件が成立していないことを意味するため、ステップＳ１１０５にてＲＢ移行待ち状態であることを意味する状態コマンドをセットし、本処理を終了する。一方、残払出数カウンタの値が０である場合には、ＢＢ状態の終了条件が成立したことを意味する。かかる場合には、ＢＢ終了処理として、ステップＳ１１１０及びステップＳ１１１１にてＢＢ設定フラグとＲＴ設定フラグをクリアする。その後、ステップＳ１１０５にて通常状態であることを意味する状態コマンドをセットし、本処理を終了する。
【０２０１】
ステップＳ１１０６にて現在の遊技状態がＲＢ状態であると判定した場合には、ステップＳ１１１２にてＲＢ状態処理を行う。ここで、ＲＢ状態処理について、図２３のフローチャートを用いて説明する。
【０２０２】
先ずステップＳ１２０１では、先の払出判定処理にてセットした入賞成立役に基づいて、入賞が成立したか否かを判定する。入賞が成立した場合には、ステップＳ１２０２にて残払出入賞カウンタの値を１減算する。その後、或いはステップＳ１２０１にて入賞が成立していないと判定した場合には、ＪＡＣゲームを１ゲーム消化したことになるため、ステップＳ１２０３にて残ＪＡＣゲームカウンタの値を１減算する。
【０２０３】
ステップＳ１２０４では、残払出入賞カウンタ又は残ＪＡＣゲームカウンタのいずれかが０になったか否かを判定する。いずれかが０になっていた場合、すなわち入賞が８回成立したかＪＡＣゲームが１２回消化された場合には、ＲＢ状態の終了条件が成立したことを意味するため、ステップＳ１２０５にてＲＢ状態を終了させるべくＲＢ終了処理を実行する。具体的には、ＲＢ設定フラグをクリアするとともに、残払出入賞カウンタ及び残ＪＡＣゲームカウンタの値をリセットする。ＲＢ終了処理を行った後、又はステップＳ１２０４にてＲＢ状態の終了条件が成立していないと判定した場合には、ステップＳ１２０６に進み、残払出数カウンタの値が０か否かを判定する。残払出数カウンタの値が０でない場合には、ＢＢ状態の終了条件が成立していないことを意味するため、そのまま本処理を終了する。一方、残払出数カウンタの値が０である場合には、ＢＢ状態の終了条件が成立したことを意味するため、ステップＳ１２０７にて上述したＲＢ終了処理を行うと共に、ステップＳ１２０７及びステップＳ１２０８にてＢＢ設定フラグとＲＴ設定フラグをクリアし、本処理を終了する。
【０２０４】
図２２のフローチャートに戻り、ステップＳ１１１２にてＲＢ状態処理を行った場合には、ステップＳ１１０５にて状態コマンドをセットした後に本処理を終了する。ＲＢ状態処理後のステップＳ１１０５では、ＢＢ設定フラグの有無とＲＢ設定フラグの有無を確認する。ＢＢ設定フラグとＲＢ設定フラグが共にセットされている場合には、ＲＢ状態であることを意味する状態コマンドをセットし、ＢＢ設定フラグのみがセットされている場合には、ＲＢ移行待ち状態であることを意味する状態コマンドをセットし、いずれの設定フラグもセットされていない場合には、通常状態であることを意味する状態コマンドをセットする。
【０２０５】
ここで、本実施の形態では、第１〜第３ＢＢのいずれかに当選した際の遊技状態によって、ＲＢ移行待ち状態における遊技者の有利度合いが変化する構成となっている。そこで以下では、前記有利度合いを変化させるべくＢＢ状態下の抽選処理にて行われるテーブル選択処理を、図２４のフローチャートを用いて説明する。
【０２０６】
テーブル選択処理では、先ずステップＳ１３０１にてＲＢ設定フラグがセットされているか否か、すなわち現在の遊技状態がＲＢ状態か否かを判定する。ＲＢ設定フラグがセットされていない場合、すなわち現在の遊技状態がＲＢ移行待ち状態である場合には、ステップＳ１３０２に進み、ＲＴ設定フラグがセットされているか否かを判定する。ＲＴ設定フラグがセットされていない場合には、通常状態又はＢＴ状態下で第１ＢＢ〜第３ＢＢのいずれかに当選したことを意味する。かかる場合には、ステップＳ１３０３にて第１抽選テーブルを選択し、本処理を終了する。ここで、第１抽選テーブルには、図２５（ａ）に示すように、判定すべき役として、通常状態用抽選テーブルと同じ再遊技、ベル、第１ＲＴ＋第１ＢＴ、第２ＲＴ＋第２ＢＴ、第３ＲＴ＋第３ＢＴの５つの役に加えてＲＢが設定されている。また、再遊技、ベル、第１ＲＴ＋第１ＢＴ、第２ＲＴ＋第２ＢＴ、第３ＲＴ＋第３ＢＴの５つの役については、通常状態用抽選テーブルと同じポイント値ＰＶがそれぞれ設定されている。したがって、通常状態又はＢＴ状態下で第１ＢＢ〜第３ＢＢのいずれかに当選した場合には、ＲＢ移行待ち状態下において前記５つの役に通常状態下と同じ確率で当選すると共に、約６．０分の１の確率でＲＢに当選し、約２．２分の１の確率で外れとなる。
【０２０７】
ステップＳ１３０２にてＲＴ設定フラグがセットされていると判定した場合には、ステップＳ１３０４に進み、第２抽選テーブルを選択して本処理を終了する。ここで、第２抽選テーブルには、図２５（ｂ）に示すように、判定すべき役として第１抽選テーブルと同じ６つの役が設定されている。また、ベル、第１ＲＴ＋第１ＢＴ、第２ＲＴ＋第２ＢＴ、第３ＲＴ＋第３ＢＴ、ＲＢの５つの役については、第１抽選テーブルと同じポイント値ＰＶがそれぞれ設定されている。一方、再遊技のポイント値ＰＶについては、第１抽選テーブルのポイント値ＰＶが８９８０であるのに対し、４０６３８と非常に高く設定されている。このため、ＲＴ状態下で第１ＢＢ〜第３ＢＢのいずれかに当選した場合には、ＲＢ移行待ち状態下において再遊技以外の役には第１抽選テーブルが選択された場合と同じ確率で当選するとともに、再遊技には第１抽選テーブルが選択された場合より高確率（本実施の形態では約１．６分の１）で当選し、６５５３６分の１の確率で外れとなる。故に、ＲＴ状態下で第１ＢＢ〜第３ＢＢのいずれかに当選してＲＢ移行待ち状態に移行すると、遊技者は自己の所有するメダルをほぼ減少させることなくＲＢ状態への移行を期待することができる。
【０２０８】
ステップＳ１３０１にてＲＢ設定フラグがセットされていると判定した場合には、現在の遊技状態がＲＢ状態であることを意味する。かかる場合には、ステップＳ１３０５にてＲＴ設定フラグの有無に関わらず同じＪＡＣゲーム用抽選テーブルを選択し、本処理を終了する。ＪＡＣ用抽選テーブルには、判定すべき役として第１ＢＴのみが設定されるとともに、当該第１ＢＴと対応するポイント値ＰＶとして６５５３５が設定されている。このため、ＲＢ状態に移行すると、非常に高確率で第１ＢＴ入賞が成立して多くのメダルを獲得することができる。
【０２０９】
このように、ＲＢ移行待ち状態では、第１ＢＢ〜第３ＢＢのいずれかに当選した際の遊技状態によって異なる抽選テーブルが選択される。そして、ＲＴ状態以外の遊技状態下で第１ＢＢ〜第３ＢＢのいずれかに当選した場合と、ＲＴ状態下で第１ＢＢ〜第３ＢＢのいずれかに当選した場合とを比較した場合、ＲＴ状態下で第１ＢＢ〜第３ＢＢのいずれかに当選した場合の方がＲＢ移行待ち状態下で再遊技当選確率が高く外れ確率の低い抽選テーブルが選択される。また、ＢＢ状態下で再遊技入賞が成立した場合におけるメダル払出処理では、再遊技設定処理を行った後に当該メダル払出処理を終了するため、残払出数カウンタの値から払出数が減算されない。したがって、ＲＴ状態下で第１ＢＢ〜第３ＢＢのいずれかに当選した場合には、ＲＴ状態以外の遊技状態下で第１ＢＢ〜第３ＢＢのいずれかに当選した場合と比して、ＢＢ状態下でより多くのメダルを獲得することができる。
【０２１０】
ちなみに、ＲＴ状態以外の遊技状態下で第１ＢＢ〜第３ＢＢのいずれかに当選した場合には、ＢＢ状態に移行してからＲＢ状態に移行するまで、及びＲＢ状態が終了してから次にＲＢ状態に移行するまでの各ＲＢ移行待ち状態において、獲得できるメダルの期待値は約−５枚である。すなわち、ＲＴ状態以外の遊技状態下で第１ＢＢ〜第３ＢＢのいずれかに当選した場合には、各ＲＢ移行待ち状態において遊技者の所有するメダルが約５枚ずつ減少する。一方、ＲＴ状態下で第１ＢＢ〜第３ＢＢのいずれかに当選した場合には、上記各ＲＢ移行待ち状態において、獲得できるメダルの期待値は約４枚である。すなわち、ＲＴ状態下で第１ＢＢ〜第３ＢＢのいずれかに当選した場合には、各ＲＢ移行待ち状態において遊技者の所有するメダルが約４枚ずつ増加する。
【０２１１】
次に、表示制御装置８１により実行される各制御処理を説明するに先立ち、表示制御装置８１の電気的構成について図２６のブロック図に基づき説明する。
【０２１２】
表示制御装置８１は、上部ランプ６３やスピーカ６４、補助表示部６５を駆動させるための制御装置であり、演算処理手段であるＣＰＵ８２を中心とするマイクロコンピュータが搭載されている。
【０２１３】
ＣＰＵ８２の入力側には、主制御装置１０１から送信されるコマンド等の制御信号をラッチする信号ラッチ回路８３と、クロック回路８４から１ｍｓｅｃ毎に発生されるクロック信号をラッチするラッチ回路８５とが接続されている。また、ＣＰＵ８２には、入力ポート８６を介して電源装置９１が接続されており、駆動電圧が例えば１０ボルト未満まで低下した場合に停電信号が入力されるように構成されている。
【０２１４】
ＣＰＵ８２には、このＣＰＵ８２によって実行される各種の制御プログラムや固定値データを記憶したＲＯＭ８７と、このＲＯＭ８７に記憶されている制御プログラムを実行するにあたって各種のデータを一時的に記憶する作業エリアを確保するためのＲＡＭ８８の他に、各種処理回路や各種カウンタが内蔵されている。ＲＡＭ８８には、各種のデータを一時的に記憶するためのメモリや、役の抽選結果を記憶するための抽選結果格納エリア８８ａ、各リール３２Ｌ，３２Ｍ，３２Ｒの回転状況を記憶するための回転情報格納エリア８８ｂ、各リール３２Ｌ，３２Ｍ，３２Ｒの停止順序を記憶するための停止順序格納エリア８８ｃ等が設けられている。
【０２１５】
ＣＰＵ８２の出力側には、上部ランプ６３と、スピーカ６４と、補助表示部６５とが接続されている。そして、ＣＰＵ８２は、主制御装置１０１から送信される各種コマンド等の制御信号に基づいて各種の制御処理を行い、上部ランプ６３やスピーカ６４、補助表示部６５の駆動制御を実行する。以下では、上部ランプ６３、スピーカ６４、補助表示部６５を総称して補助演出部とも言う。
【０２１６】
続いて、表示制御装置８１のＣＰＵ８２により実行される各制御処理を図２７〜図３６のフローチャートを参照しながら説明する。かかるＣＰＵ８２の処理としては大別して、電源投入に伴い起動される表示メイン処理と、定期的に（本実施の形態では１ｍｓｅｃ周期で）起動される表示タイマ割込み処理と、主制御装置１０１からの制御信号の入力に基づいて起動されるコマンド割込み処理とがある。ここでは、説明の便宜上、はじめに表示タイマ割込み処理とコマンド割込み処理とを説明し、その後、表示メイン処理を説明する。
【０２１７】
図２７は、表示制御装置８１で定期的に実行される表示タイマ割込み処理のフローチャートである。表示制御装置８１のＣＰＵ８２は、クロック回路８４から発生されるクロック信号に基づき、例えば１ｍｓｅｃごとに表示タイマ割込み処理を実行する。
【０２１８】
表示タイマ割込み処理では、先ずステップＳ１４０１にて次回のコマンド割込みを禁止し、ステップＳ１４０２にて割込みフラグを読み込む。ステップＳ１４０３では、読み込んだ割込みフラグが有効か否かを判定し、有効でない場合にはそのまま本処理を終了する。割込みフラグが有効な場合には、ステップＳ１４０４にて割込みタイマカウンタに１を加算するとともに、ステップＳ１４０５にて割込みフラグをクリアする。ここで、割込みタイマカウンタとは、表示タイマ割込み処理を行った回数を記憶しておくためのカウンタであり、タイマ割込みは１ｍｓｅｃごとに発生するため、かかるカウンタ値により例えば所定の処理を行ってからの経過時間を把握することができる。割込みフラグが有効でない場合、又は割込みタイマカウンタの値を更新した後には、ステップＳ１４０６にて次回のコマンド割込みを許可し、本処理を終了する。
【０２１９】
図２８は、コマンド割込み処理を示すフローチャートである。上述した通り、主制御装置１０１は、現在の遊技状態や遊技の進行状況等に応じて各種コマンドを表示制御装置８１に対して送信する。表示制御装置８１は、主制御装置１０１から送信されたコマンドの受信に基づいて、より具体的には信号ラッチ回路８３からの信号入力に基づいて、直ちにコマンド割込み処理を実行する。
【０２２０】
コマンド割込み処理では、ステップＳ１５０１にて次回のタイマ割り込みを禁止し、ステップＳ１５０２にてストローブ信号が正常か否かを判定する。ストローブ信号は主制御装置１０１からコマンドと共に送信される信号であり、ＣＰＵ８２は、このストローブ信号の受信に基づいてコマンド割り込み処理を開始する。ストローブ信号が正常の場合には、ステップＳ１５０３にてコマンドデータを取得するとともに、ステップＳ１５０４にて取得したコマンドデータが正常か否かを判定する。コマンドデータが正常な場合には、ステップＳ１５０５にていずれのコマンドを受信したかを把握するコマンド受信処理を行い、ステップＳ１５０６にてリトライカウンタに最大数をセットする。また、コマンドデータが正常でない場合には、ステップＳ１５０７にてリトライカウンタの値を１加算する。一方、ステップＳ１５０２においてストローブ信号が正常でない場合には、何らかの誤動作であると判断し、ステップＳ１５０８にてリトライカウンタに最大数をセットする。
【０２２１】
ステップＳ１５０９では、リトライカウンタの値が最大値か否かを判定する。リトライカウンタの値が最大値の場合、主制御装置１０１からのコマンドを正常に受信した、又は、主制御装置１０１からのコマンドに何らかの異常があり、許容されるリトライ回数分のコマンド割込み処理を行ったにも関わらずコマンドを正常に受信できなかったことを意味する。かかる場合にはステップＳ１５１０に進み、割込みフラグを読み込む。その後、ステップＳ１５１１にてリトライカウンタの値をクリアするとともに、ステップＳ１５１２にて割込みフラグをクリアする。
【０２２２】
ステップＳ１５０９にてリトライカウンタの値が最大値でなかった場合、又はステップＳ１５１２にて割込みフラグをクリアした場合には、ステップＳ１５１３にて次回のタイマ割込みを許可し、本処理を終了する。
【０２２３】
なお、表示タイマ割込み処理の最中に主制御装置１０１からコマンドを受信した場合、このコマンドは信号ラッチ回路８３にてラッチされ、表示タイマ割込み処理が終了した後に直ちにコマンド割込み処理が実行される。同様に、コマンド割込み処理の最中に表示タイマ割込み処理の実行タイミングとなった場合には、クロック信号がラッチ回路８５にてラッチされ、コマンド割込み処理が終了した後に直ちに表示タイマ割込み処理が実行される。つまり、本スロットマシン１０では、表示タイマ割込み処理とコマンド割込み処理の間で多重割込みが発生しない構成となっている。
【０２２４】
図２９は電源投入後に実行されるＣＰＵ８２の表示メイン処理を示すフローチャートである。表示メイン処理は、停電からの復旧や電源スイッチ７１のオン操作によって電源が投入された際に実行される。
【０２２５】
先ずステップＳ１６０１では、初期化処理として、スタックポインタの値をＣＰＵ８２に設定するとともに、コマンド割込み処理や表示タイマ割込み処理を許可する割込みモードを設定し、その後ＣＰＵ８２のレジスタ群や、Ｉ／Ｏ装置等に対する各種の設定などを行う。
【０２２６】
初期化処理が終了すると、ステップＳ１６０２では、システム状態が電圧低下状態か否か、すなわち駆動電圧が所定電圧（本実施形態では１０ボルト未満）まで低下したか否かを判定する。そして、システム状態が電圧低下状態である場合には電源が遮断されたものと判断し、ステップＳ１６０３にて停電処理を行う。
【０２２７】
システム状態が電圧低下状態でない場合には、ステップＳ１６０４にて割込みタイマカウンタの値が０か否かを判定する。割込みタイマカウンタの値が０でない場合、上述した表示タイマ割込み処理にて割込みタイマカウンタ値の更新が行われたことを意味する。かかる場合にはステップＳ１６０５に進み、補助演出部を駆動させるべく駆動データを出力する駆動データ出力処理を行う。この駆動データ出力処理については詳細を後述する。
【０２２８】
割込みタイマカウンタの値が０の場合、又は駆動データ出力処理の終了後には、ステップＳ１６０６にて主制御装置１０１からコマンドを受信しているか否か、より詳しくはコマンド割込み処理にてコマンドを受信しているか否かを確認する。
【０２２９】
コマンドを受信している場合には、ステップＳ１６０７にて受信コマンドチェック処理を行う。受信コマンドチェック処理では、先のコマンド割込み処理にていずれのコマンドを受信したかを判別し、受信したコマンドの種別に基づいて行うべき補助演出を決定する等の処理を行う。受信コマンドチェック処理にて行われる処理としては、状態コマンドの受信に基づいて行う状態コマンド処理、開始コマンド受信に基づいて行う開始コマンド処理、抽選結果コマンドの受信に基づいて行う抽選結果コマンド処理、回転情報コマンドの受信に基づいて行う回転情報コマンド処理、ベット操作コマンドや開始操作コマンド等の操作コマンドの受信に基づいて行う操作コマンド処理、停止図柄コマンドの受信に基づいて行う停止図柄コマンド処理、入賞コマンドの受信に基づいて行う入賞コマンド処理、入賞ラインコマンドの受信に基づいて行う入賞ラインコマンド処理などがある。詳細は後述するが、受信コマンドチェック処理では、主制御装置１０１から受信したコマンドデータに基づいて補助演出部の駆動制御内容を決定している。
【０２３０】
コマンドを受信していない場合、又は受信コマンドチェック処理の終了後にはステップＳ１６０８に進み、抽選結果を報知する補助演出を行うか否か等の判定に用いる乱数値の更新処理を行い、ステップＳ１６０２に戻る。
【０２３１】
ここで、ステップＳ１６０５の駆動データ出力処理について、図３０のフローチャートに基づき説明する。駆動データ出力処理とは、補助演出部を駆動させるべく駆動データを出力する処理である。つまり、本スロットマシン１０では、コマンド割込み処理にて主制御装置１０１からのコマンドデータを取得し、受信コマンドチェック処理にて取得したコマンドデータに基づいて補助演出を設定し、駆動データ出力処理にて補助演出部の駆動を行っている。
【０２３２】
駆動データ出力処理では、先ずステップＳ１７０１にて誤動作の発生を監視するためのウオッチドッグタイマの値をリセットする。ステップＳ１７０２では、起動時コマンドチェック処理を行う。本スロットマシン１０では、停電が解消した場合、主制御装置１０１から表示制御装置８１に対して復電コマンドが送信されるようになっている。そこで、停電解消から所定時間以内（本実施形態では２秒以内）に復電コマンドを受信しなかった場合には、起動時コマンドチェック処理において補助演出部の駆動制御を実行し、エラーの発生を報知する。ステップＳ１７０３では、デバイス制御処理を行う。詳細は後述するが、主制御装置１０１から各種コマンドを受信した場合、受信したコマンドに基づいて補助演出部に行わせるべき補助演出が決定される。デバイス制御処理では、決定した補助演出を行わせるべく対応する駆動データを補助演出部に対して出力する処理を行う。かかる処理を行うことにより、例えば上部ランプ６３が所定の色で点灯したり、補助表示部６５に所定の識別情報が表示されたりする等の補助演出が行われる。ステップＳ１７０４では、システム状態変更処理を行う。システム状態には電圧低下状態、初期化状態、通常状態があり、その都度のシステム状態に応じて補助表示部６５の初期化処理を行う。ステップＳ１７０５では、電圧低下チェック処理を行う。電圧低下チェック処理では入力ポート８６から供給される停電信号を監視し、停電信号がＯＦＦ状態からＯＮ状態に切り替った場合にシステム状態を通常状態から電圧低下状態に変更する。ステップＳ１７０６では、特定時間処理を行う。特定時間処理とは、予め定めた特定時間（本実施形態では１０ｍｓｅｃ）毎に定期的に行われる処理であり、例えば上部ランプ６３を駆動するためのＬＥＤデータテーブルによる出力データ用バッファの更新、スピーカ６４から出力する楽音のボリューム変更等を行う処理である。
【０２３３】
ここで、特定時間処理について、図３１のフローチャートに基づき説明する。
【０２３４】
ステップＳ１８０１では、１０ｍｓｅｃタイマカウンタの値を更新する処理を行う。具体的には、１０ｍｓｅｃタイマカウンタの値に現在の割込みタイマカウンタの値を加算する処理を行う。続くステップＳ１８０２では、１０ｍｓｅｃタイマカウンタの値が１０以上か否かを判定し、１０より小さい場合にはそのまま本処理を終了する。一方、１０ｍｓｅｃタイマカウンタの値が１０以上の場合、特定時間が経過したことを意味する。かかる場合にはステップＳ１８０３にて１０ｍｓｅｃタイマカウンタの値を１０減算し、ステップＳ１８０４〜ステップＳ１８０８に示す駆動データ変更処理を行って本処理を終了する。
【０２３５】
駆動データ変更処理では、ステップＳ１８０４において、ＬＥＤデータテーブルから出力用データバッファへのデータセットを行うＬＥＤデータ変更処理を行う。ステップＳ１８０５では、ＢＢ状態中のＢＧＭとＬＥＤ演出とを同期させるための補助演出同期チェック処理を行う。ステップＳ１８０６では、ＢＧＭ再生中に何もせずに放置された場合、３０秒後にＢＧＭの音量を小さくするフェードアウト処理を行う。ステップＳ１８０７では、何もせずに放置された場合、６０秒後にデモ演出を開始させるデモ開始チェック処理を行う。ステップＳ１８０８では、ボリュームつまみの値をチェックし、音声のボリュームを変更させるためのボリュームチェック処理を行う。
【０２３６】
駆動データ出力処理の説明に戻り、特定時間処理の終了後、ステップＳ１７０７では駆動データ切換処理を行う。駆動データ切換処理とは、主制御装置１０１からのコマンド受信を契機とする場合以外で、時間経過、遊技状態等により駆動データの切換を行う処理である。駆動データ切換処理では、例えば上部ランプ６３を点灯させる色の切換、補助表示部６５に表示している表示場面の切換等の処理を行っている。つまり、駆動データ変更処理は、先の特定時間処理とは異なり、補助演出を時間と共に変化させていくための処理である。
【０２３７】
駆動データ切換処理の後、ステップＳ１７０８では割り込みタイマカウンタの値をクリアし、ステップＳ１７０９ではシステム状態が電圧低下状態か否かを再度確認する。システム状態が電圧低下状態の場合には停電処理を行い、電圧低下状態でない場合にはそのまま本処理を終了する。
【０２３８】
ここで、受信コマンドチェック処理のうち補助演出を決定する際に行う各種処理について、図３２〜図３６のフローチャートを用いて詳細に説明する。
【０２３９】
先ず、抽選結果コマンド処理を、図３２のフローチャートに基づいて説明する。
【０２４０】
ステップＳ１９０１では、抽選結果コマンドを受信したか否かを判定し、受信していない場合にはそのまま本処理を終了する。抽選結果コマンドを受信した場合にはステップＳ１９０２に進み、抽選結果コマンドの示す情報、すなわち主制御装置１０１にて行われた役の抽選結果を、ＲＡＭ８８の抽選結果格納エリア８８ａに格納する。その後、ステップＳ１９０３〜ステップＳ１９０７に示す補助演出設定処理を行う。
【０２４１】
補助演出設定処理として、先ずステップＳ１９０３では乱数を取得する。ステップＳ１９０４では、現在の遊技状態に基づいて、役の抽選結果を報知する補助演出を行うか否かを判定するための補助演出テーブルを選択する。補助演出テーブルについて簡単に説明すると、補助演出テーブルには、抽選結果を報知する補助演出を行うか否かが表示制御装置８１の取得し得る乱数値毎に定められており、表示制御装置８１のＲＯＭ８７には、通常状態，ＲＴ状態，ＢＴ状態の各遊技状態と対応する補助演出テーブルが予め記憶されている。ステップＳ１９０５では、選択した補助演出テーブルと取得した乱数とを参照する。参照結果が抽選結果を報知する補助演出を行わない結果である場合にはそのまま本処理を終了し、前記補助演出を行う結果である場合には、ステップＳ１９０６に進み、補助演出フラグをセットする。その後、ステップＳ１９０７にて報知音出力用駆動データを設定し、本処理を終了する。ここで、報知音出力用駆動データとは、遊技の開始段階、より詳しくはスタートレバー４１を操作されてから第１停止指令が発生する前までの間に、スピーカ６４から報知音を出力させるための駆動データである。なお、この設定された報知音出力用駆動データのスピーカ６４への出力は、表示メイン処理の駆動データ出力処理Ｓ１６０５にて行われる。
【０２４２】
次に、回転情報コマンド処理を、図３３のフローチャートに基づいて説明する。
【０２４３】
ステップＳ２００１では、回転情報コマンドを受信したか否かを判定し、受信していない場合には、そのまま本処理を終了する。回転情報コマンドを受信した場合には、ステップＳ２００２に進み、回転情報コマンドの示す情報、すなわち各リール３２Ｌ，３２Ｍ，３２Ｒの回転状況を、ＲＡＭ８８の回転情報格納エリア８８ｂに格納する。続くステップＳ２００３では、回転情報コマンドの示す情報に基づいて各リール３２Ｌ，３２Ｍ，３２Ｒの停止順序を把握し、把握結果をＲＡＭ８８の停止順序格納エリア８８ｃに格納する。
【０２４４】
上述した通り、回転情報コマンドは、いずれかのリールの回転を停止させた場合に主制御装置１０１から送信される。例えば、第１停止指令の発生に基づいて左リール３２Ｌを停止させた場合、左リール３２Ｌ停止，中リール３２Ｍ回転，右リール３２Ｒ回転を示す回転情報コマンドが主制御装置１０１から送信される。当該回転情報コマンドを受信した場合、表示制御装置８１は、上述した各リール３２Ｌ，３２Ｍ，３２Ｒの回転状況を回転情報格納エリア８８ｂに格納するとともに、停止順序格納エリア８８ｃの第１停止情報格納エリアに左リール３２Ｌが停止したことを示す左停止フラグをセットする。また、その後の第２停止指令の発生に基づいて中リール３２Ｍを停止させた場合、左リール３２Ｌ停止，中リール３２Ｍ停止，右リール３２Ｒ回転を示す回転情報コマンドが主制御装置１０１から送信される。当該回転情報コマンドを受信した場合、表示制御装置８１は、上述した各リール３２Ｌ，３２Ｍ，３２Ｒの回転状況を回転情報格納エリア８８ｂに格納するとともに、停止順序格納エリア８８ｃの第２停止情報格納エリアに中リール３２Ｍが停止したことを示す中停止フラグをセットする。
【０２４５】
順序情報を格納した後、ステップＳ２００４では、停止指令の発生回数をカウントすべくＲＡＭ８８に設けられた停止指令カウンタの値を１加算する。続くステップＳ２００５では、加算後の停止指令カウンタの値が３か否かを判定し、３でない場合にはそのまま本処理を終了する。一方、停止指令カウンタの値が３である場合には、ステップＳ２００６に進み、補助演出フラグがセットされているか否かを判定する。補助演出フラグがセットされている場合には、ステップＳ２００７にて役の抽選結果を報知するための抽選結果報知用駆動データを設定するとともに、ステップＳ２００８にて補助演出フラグをクリアする。
【０２４６】
ステップＳ２００６にて補助演出フラグがセットされていないと判定した場合、又はステップＳ２００８にて補助演出フラグをクリアした場合には、ステップＳ２００９にて停止指令カウンタの値をクリアし、本処理を終了する。
【０２４７】
このように、回転情報コマンド処理では、補助演出フラグがセットされている状況下で停止指令カウンタの値が３となった場合、すなわち全リール３２Ｌ，３２Ｍ，３２Ｒが停止した場合、役の抽選結果を報知するための当選役報知用駆動データを設定する。つまり、抽選結果コマンド処理にて補助演出抽選に当選し、補助演出フラグがセットされている場合には、全リール３２Ｌ，３２Ｍ，３２Ｒの停止後に役の抽選結果が報知される。
【０２４８】
次に、操作コマンド処理を、図３４のフローチャートに基づいて説明する。
【０２４９】
ステップＳ２１０１では、ベット操作コマンド，開始操作コマンド，停止操作コマンドのいずれかを受信したか否かを判定し、いずれの操作コマンドも受信していない場合には、そのまま本処理を終了する。
【０２５０】
いずれかの操作コマンドを受信した場合には、遊技の進行に関与しない状況下でベット操作，開始操作，停止操作のいずれかがなされたことを意味する。かかる場合には、ステップＳ２１０２に進み、受信したコマンドがベット操作コマンドか否かを判定し、ベット操作コマンドである場合にはステップＳ２１０３にてベット順序記憶処理を行う。
【０２５１】
ベット順序記憶処理では、図３５のフローチャートに示すように、ステップＳ２２０１にてベット順序記憶エリアを参照する。ベット順序記憶エリアは、クレジット投入スイッチ５６〜５８に対してなされたベット操作の順序を記憶するための記憶エリアであり、ＲＡＭ８８に設けられた第１記憶エリア，第２記憶エリア，及び第３記憶エリアの３つの記憶エリアにより構成されている。
【０２５２】
ステップＳ２２０２では、第１記憶エリアにベット操作がなされたことを示すベット操作フラグがセットされているか否かを判定する。第１記憶エリアにベット操作フラグがセットされていない場合には、ステップＳ２２０３に進み、受信したベット操作コマンドと対応するベット操作フラグをセットし、本処理を終了する。第１記憶エリアにベット操作フラグがセットされている場合には、ステップＳ２２０４に進み、第２記憶エリアにベット操作フラグがセットされているか否かを判定する。第２記憶エリアにベット操作フラグがセットされていない場合には、ステップＳ２２０５に進み、受信したベット操作コマンドと対応するベット操作フラグをセットし、本処理を終了する。また、第２記憶エリアにベット操作フラグがセットされている場合には、ステップＳ２２０６に進み、第３記憶エリアにベット操作フラグがセットされているか否かを判定する。第３記憶エリアにベット操作フラグがセットされていない場合には、ステップＳ２２０７に進み、受信したベット操作コマンドと対応するベット操作フラグをセットし、本処理を終了する。
【０２５３】
上述した通り、ベット操作コマンドは、遊技の進行に関与しない状況下でクレジット投入スイッチ５６〜５８のいずれかが操作された場合に主制御装置１０１から送信される。例えば、規定数のメダルがベットされた後に第１クレジット投入スイッチ５６→第２クレジット投入スイッチ５７→第３クレジット投入スイッチ５８の順でクレジット投入スイッチが操作された場合、主制御装置１０１からは、第１ベット操作コマンド→第２ベット操作コマンド→第３ベット操作コマンドの順にベット操作コマンドが送信される。かかる場合、表示制御装置８１は、ベット順序記憶エリアの第１記憶エリアに第１ベット操作フラグをセットし、第２記憶エリアに第２ベット操作フラグをセットし、第３記憶エリアに第３ベット操作フラグをセットする。
【０２５４】
一方、ステップＳ２２０６にて第３記憶エリアにベット操作フラグがセットされていると判定した場合には、ステップＳ２２０８に進み、ベット順序記憶エリアの各記憶エリアにセットされたベット操作フラグをクリアし、本処理を終了する。つまり、規定数のメダルをベットした後にクレジット投入スイッチ５６〜５８に対してベット操作を４回行った場合、それまでに記憶されたベット操作の順序がクリアされる。
【０２５５】
図３４のフローチャートの説明に戻り、ステップＳ２１０２にて受信したコマンドがベット操作コマンドでないと判定した場合には、ステップＳ２１０４に進み、受信したコマンドが開始操作コマンドか否かを判定する。受信したコマンドが開始操作コマンドである場合には、ステップＳ２１０５に進み、補助演出設定処理を行う。
【０２５６】
補助演出設定処理では、図３６のフローチャートに示すように、ステップＳ２３０１にてベット順序記憶エリアを参照し、ステップＳ２３０２にて前記ベット順序記憶エリアの第３記憶エリアにベット操作フラグがセットされているか否かを判定する。第３記憶エリアにベット操作フラグがセットされている場合には、続くステップＳ２３０３にてベット順序テーブルを参照する。ここで、ベット順序テーブルとは、図３７に示すように、ベット順序記憶エリアの各記憶エリアにセットされているベット操作フラグと、補助演出にて報知する内容との対応関係が定められた情報群、すなわち、クレジット投入スイッチ５６〜５８に対してなされたベット操作の順序と、行うべき補助演出との対応関係が定められた情報群である。ベット順序テーブルには、ベット操作の順序として５通りの操作順序が規定されており、各操作順序に応じて異なる補助演出が設定されている。そこで、ステップＳ２３０４では、ベット順序記憶エリアの各記憶エリアにセットされているベット操作フラグに基づいて、実際にクレジット投入スイッチ５６〜５８に対してなされたベット操作の順序がベット順序テーブルに規定されている操作順序のいずれかと一致するか否かを判定する。ベット操作の順序がベット順序テーブルに規定された操作順序と一致する場合には、特定操作がなされたと判定し、ステップＳ２３０５にて対応する補助演出を行うための駆動データを設定する。
【０２５７】
具体的には、開始操作の前に第１クレジット投入スイッチ５６→第２クレジット投入スイッチ５７→第３クレジット投入スイッチ５８の順でベット操作がなされた場合、何らかの役に当選しているか否かを報知すると共に当選役自体は報知しない補助演出を行うための駆動データを設定する。開始操作の前に第１クレジット投入スイッチ５６→第３クレジット投入スイッチ５８→第２クレジット投入スイッチ５７の順でベット操作がなされた場合には、第１ＢＢ〜第３ＢＢのいずれかに当選しているか否かを報知すると共に当選役自体は報知しない補助演出を行うための駆動データを設定する。開始操作の前に第２クレジット投入スイッチ５７→第１クレジット投入スイッチ５６→第３クレジット投入スイッチ５８の順でベット操作がなされた場合には、第１ＲＴ〜第３ＲＴのいずれかに当選しているか否かを報知すると共に当選役自体は報知しない補助演出を行うための駆動データを設定する。開始操作の前に第２クレジット投入スイッチ５７→第３クレジット投入スイッチ５８→第１クレジット投入スイッチ５６の順でベット操作がなされた場合には、外れも含めた当選役に加えて当選していない役を報知する補助演出を行うための駆動データを設定する。このとき特に、第１複数当選役〜第３複数当選役のいずれかに当選している状況下で開始操作の前に第２クレジット投入スイッチ５７→第３クレジット投入スイッチ５８→第１クレジット投入スイッチ５６の順でベット操作がなされた場合には、当選している複数当選役と対応するＲＴ及びＢＴに加えて、当選していない１の複数当選役と対応するＲＴ及びＢＴを報知する補助演出を行うための駆動データを設定する。また、開始操作の前に第３クレジット投入スイッチ５８→第２クレジット投入スイッチ５７→第１クレジット投入スイッチ５６の順でベット操作がなされた場合には、外れも含めた当選役のみを報知する補助演出を行うための駆動データを設定する。
【０２５８】
駆動データを設定した後、ステップＳ２３０６では補助演出フラグがセットされているか否かを判定し、セットされていない場合にはそのまま本処理を終了する。また、補助演出フラグがセットされている場合には、ステップＳ２３０７にて補助演出フラグをクリアした後に本処理を終了する。つまり、抽選結果コマンド処理にて役の抽選結果を報知する補助演出を行うと決定した状況下で特定操作がなされた場合、なされた特定操作と対応する補助演出は行われるものの全リール３２Ｌ，３２Ｍ，３２Ｒの停止後に役の抽選結果を報知する補助演出は行われない。換言すれば、表示制御装置８１が所定の内容の補助演出を行うと決定した状況下で特定操作がなされた場合には、なされた特定操作と対応する内容の補助演出に変更されると言える。
【０２５９】
一方、ベット操作の順序がベット順序テーブルに規定された操作順序と一致しない場合（ステップＳ２３０４がＮＯの場合）には、特定操作がなされなかったと判定し、ステップＳ２３０８にてベット順序記憶エリアの各記憶エリアにセットされているベット操作フラグを全てクリアした後に本処理を終了する。また、ベット操作記憶エリアの第３記憶エリアにベット操作フラグがセットされていない場合（ステップＳ２３０２がＮＯの場合）、すなわちベット操作が３回なされる前に開始操作がなされた場合についても、特定操作がなされなかったと判定し、ステップＳ２３０８にてベット順序記憶エリアの各記憶エリアにセットされているベット操作フラグを全てクリアした後に本処理を終了する。
【０２６０】
図３４のフローチャートの説明に戻り、ステップＳ２１０４にて受信したコマンドが開始操作コマンドでないと判定した場合には、受信したコマンドが停止操作コマンドであることを意味する。かかる場合には、特定操作がなされなかったと判定し、ステップＳ２１０６にてベット順序記憶エリアの各記憶エリアにセットされているベット操作フラグを全てクリアした後に本処理を終了する。
【０２６１】
なお、ベット順序記憶エリアの各記憶エリアにセットされているベット操作フラグは、上述した場合の他に、開始コマンドを受信した場合、すなわち遊技の開始段階においてもクリアされる。
【０２６２】
このように、操作コマンド処理では、クレジット投入スイッチ５６〜５８が所定の順序でベット操作された後に開始操作がなされた場合、特定操作がなされたと判定し、ベット操作の順序と対応する補助演出を行うべく駆動データが設定される。したがって、遊技者は、特定操作を行うか否かによって補助演出の実行有無を選択することができるとともに、どのような順序でベット操作を行うかによって補助演出の演出内容を選択することができる。さらにいうと、ベット順序記憶エリアの各記憶エリアにセットされているベット操作フラグは、特定操作がなされなかったと判定した場合と、開始コマンドを受信した場合とにクリアされる一方、回転情報コマンドを受信した場合にはクリアされない。したがって、例えば第１停止指令を発生させた後に第１クレジット投入スイッチ５６→第２クレジット投入スイッチ５７の順でベット操作を行い、第２停止指令を発生させた後に第３クレジット投入スイッチ５８をベット操作すると共に開始操作を行った場合には、かかるタイミングで特定操作がなされたと判定され、何らかの役に当選しているか否かを報知すると共に当選役自体は報知しない補助演出が行われることとなる。
【０２６３】
ここで、本スロットマシン１０では、複数当選役のいずれかに当選した状況下で行われる補助演出に顕著な特徴を有するため、第１複数当選役に当選した場合を例に説明する。説明に先立ち、本スロットマシン１０では、第１〜第３の各ＲＴ図柄及び各ＢＴ図柄の配置に特徴を有するため、先ずこれら図柄の配置について、図６の図柄配列を参照しながら説明する。
【０２６４】
左リール３２Ｌには、第１ＲＴ図柄たる「赤７」図柄が２０番の位置に１つだけ配置され、第２ＲＴ図柄たる「青７」図柄が１３番の位置に１つだけ配置され、第３ＲＴ図柄たる「白７」図柄が６番の位置に１つだけ配置されている。つまり、左リール３２Ｌには、１のＲＴ図柄に対して他のＲＴ図柄が６図柄分以上離れるようにして配置されている。例えば、「青７」図柄に対して、「赤７」図柄は左リール３２Ｌの回転する側（すなわち下側）に１３図柄分離れると共にその逆側（すなわち上側）に６図柄分離れており、「白７」図柄は左リール３２Ｌの回転する側に６図柄分離れると共にその逆側に１３図柄分離れている。
【０２６５】
かかる場合、「赤７」図柄を所定の有効ライン上に停止させるためには、１６番の「青年」図柄が前記所定の有効ラインに到達してから２０番の「赤７」図柄が前記所定の有効ラインに到達するまでの間に左ストップスイッチ４２を操作する必要がある。「青７」図柄を所定の有効ライン上に停止させるためには、９番の「青年」図柄が前記所定の有効ラインに到達してから１３番の「青７」図柄が前記所定の有効ラインに到達するまでの間に左ストップスイッチ４２を操作する必要がある。「白７」図柄を所定の有効ライン上に停止させるためには、２番の「青年」図柄が前記所定の有効ラインに到達してから６番の「白７」図柄が前記所定の有効ラインに到達するまでの間に左ストップスイッチ４２を操作する必要がある。つまり、１のＲＴ図柄を所定の有効ライン上に停止させるべく左ストップスイッチ４２を操作した場合には、他のＲＴ図柄を前記所定の有効ライン上に到達させることができない。
【０２６６】
また、本スロットマシン１０の場合、表示窓２６Ｌから３個の図柄が視認可能であって、上段，中段，下段の各位置に有効ラインが設定される。このため、１４番の「リプレイ」図柄が下段に到達してから２０番の「赤７」図柄が下段に到達するまでの間に左ストップスイッチ４２を操作すれば、いずれかの有効ライン上に「赤７」図柄を停止させることができる。同様に、７番の「リプレイ」図柄が下段に到達してから１３番の「青７」図柄が下段に到達するまでの間に左ストップスイッチ４２を操作すれば、いずれかの有効ライン上に「青７」図柄を停止させることができ、０番の「リプレイ」図柄が下段に到達してから６番の「白７」図柄が下段に到達するまでの間に左ストップスイッチ４２を操作すれば、いずれかの有効ライン上に「白７」図柄を停止させることができる。このように、１のＲＴ図柄をいずれかの有効ライン上に停止させるべく左ストップスイッチ４２を操作した場合であっても、他のＲＴ図柄をいずれの有効ライン上にも到達させることができない。換言すれば、左リール３２Ｌには、０番〜２０番の各図柄が下段に到達した際の操作タイミングが、いずれかのＲＴ図柄をいずれかの有効ライン上に到達させることが可能なタイミングとなるよう、各ＲＴ図柄が配置されているとも言える。
【０２６７】
左リール３２Ｌには、第１ＢＴ図柄たる「赤チェリー」図柄が１０番の位置に１つだけ配置され、第２ＢＴ図柄たる「青チェリー」図柄が３番の位置に１つだけ配置され、第３ＢＴ図柄たる「白チェリー」図柄が１７番の位置に１つだけ配置されている。つまり、左リール３２Ｌには、１のＢＴ図柄に対して他のＢＴ図柄が６図柄分以上離れるようにして配置されている。例えば、「赤チェリー」図柄に対して、「白チェリー」図柄は左リール３２Ｌの回転する側に１３図柄分離れると共にその逆側に６図柄分離れており、「青チェリー」図柄は左リール３２Ｌの回転する側に６図柄分離れると共にその逆側に１３図柄分離れている。
【０２６８】
かかる場合、「赤チェリー」図柄を所定の有効ライン上に停止させるためには、６番の「白７」図柄が前記所定の有効ラインに到達してから１０番の「赤チェリー」図柄が前記所定の有効ラインに到達するまでの間に左ストップスイッチ４２を操作する必要がある。「青チェリー」図柄を所定の有効ライン上に停止させるためには、２０番の「赤７」図柄が前記所定の有効ラインに到達してから３番の「青チェリー」図柄が前記所定の有効ラインに到達するまでの間に左ストップスイッチ４２を操作する必要がある。「白チェリー」図柄を所定の有効ライン上に停止させるためには、１３番の「青７」図柄が前記所定の有効ラインに到達してから１７番の「白チェリー」図柄が前記所定の有効ラインに到達するまでの間に左ストップスイッチ４２を操作する必要がある。つまり、１のＢＴ図柄を所定の有効ライン上に停止させるべく左ストップスイッチ４２を操作した場合には、他のＢＴ図柄を前記所定の有効ライン上に到達させることができない。
【０２６９】
また、本スロットマシン１０の場合、表示窓２６Ｌから３個の図柄が視認可能であって、上段，中段，下段の各位置に有効ラインが設定される。このため、４番の「リプレイ」図柄が下段に到達してから１０番の「赤チェリー」図柄が下段に到達するまでの間に左ストップスイッチ４２を操作すれば、いずれかの有効ライン上に「赤チェリー」図柄を停止させることができる。同様に、１８番の「リプレイ」図柄が下段に到達してから３番の「青チェリー」図柄が下段に到達するまでの間に左ストップスイッチ４２を操作すれば、いずれかの有効ライン上に「青チェリー」図柄を停止させることができ、１１番の「リプレイ」図柄が下段に到達してから１７番の「白チェリー」図柄が下段に到達するまでの間に左ストップスイッチ４２を操作すれば、いずれかの有効ライン上に「白チェリー」図柄を停止させることができる。このように、１のＢＴ図柄をいずれかの有効ライン上に停止させるべく左ストップスイッチ４２を操作した場合であっても、他のＢＴ図柄をいずれの有効ライン上にも到達させることができない。換言すれば、左リール３２Ｌには、０番〜２０番の各図柄が下段に到達した際の操作タイミングが、いずれかのＢＴ図柄をいずれかの有効ライン上に到達させることが可能なタイミングとなるよう、各ＢＴ図柄が配置されているとも言える。
【０２７０】
加えて、左リール３２Ｌには、同一ゲームで当選となるＲＴ図柄とＢＴ図柄が、９図柄分以上離れるようにして配置されている。例えば、第２ＲＴ図柄たる「青７」図柄と第２ＢＴ図柄たる「青チェリー」図柄は、左リール３２Ｌの回転する側に９図柄分離れると共にその逆側に１０図柄分離れて配置されている。このため、第２ＲＴ図柄を所定の有効ライン上に停止させるべく左ストップスイッチ４２を操作した場合には、第２ＢＴ図柄を前記所定の有効ライン上に到達させることができない。同様に、第２ＢＴ図柄を所定の有効ライン上に停止させるべく左ストップスイッチ４２を操作した場合には、第２ＲＴ図柄を前記所定の有効ライン上に到達させることができない。さらには、第２ＲＴ図柄をいずれかの有効ライン上に停止させるべく左ストップスイッチ４２を操作した場合であっても、第２ＢＴ図柄をいずれの有効ライン上にも到達させることができない。同様に、第２ＢＴ図柄をいずれかの有効ライン上に停止させるべく左ストップスイッチ４２を操作した場合であっても、第２ＲＴ図柄をいずれの有効ライン上にも到達させることができない。説明は省略するが、第１ＲＴ図柄と第１ＢＴ図柄、第３ＲＴ図柄と第３ＢＴ図柄の関係も同じである。
【０２７１】
かかる一方、左リール３２Ｌには、同一ゲームで当選とならないＲＴ図柄とＢＴ図柄の間隔が３図柄分以下の区間が形成されるようにして、ＲＴ図柄とＢＴ図柄が配置されている。例えば、第３ＲＴ図柄たる「白７」図柄に対して、第１ＢＴ図柄たる「赤チェリー」図柄は左リール３２Ｌの回転する側と逆側に３図柄分離れて配置されており、第２ＢＴ図柄たる「青チェリー」図柄は左リール３２Ｌの回転する側に２図柄分離れて配置されている。このため、第３ＲＴ図柄を所定の有効ライン上に停止させるべく左ストップスイッチ４２を操作した場合、その操作タイミングによっては、第１ＢＴ図柄又は第２ＢＴ図柄が前記所定の有効ライン上に到達する可能性が生じる。具体的には、２番の「青年」図柄又は３番の「青チェリー」図柄が所定の有効ライン上に到達している際に左ストップスイッチ４２を操作した場合、第２ＢＴ図柄たる「青チェリー」図柄と第３ＲＴ図柄たる「白７」図柄を共に前記所定の有効ライン上に到達させることが可能となり、６番の「白７」図柄が所定の有効ライン上に到達している際に左ストップスイッチ４２を操作した場合、第３ＲＴ図柄たる「白７」図柄と第１ＢＴ図柄たる「赤チェリー」図柄を共に前記所定の有効ライン上に到達させることが可能となる。また、０番の「リプレイ」図柄〜３番の「青チェリー」図柄が下段に到達している際に左ストップスイッチ４２を操作した場合、第２ＢＴ図柄たる「青チェリー」図柄と第３ＲＴ図柄たる「白７」図柄を共にいずれかの有効ライン上に到達させることが可能となり、４番の「リプレイ」図柄〜６番の「白７」図柄が下段に到達している際に左ストップスイッチ４２を操作した場合、第３ＲＴ図柄たる「白７」図柄と第１ＢＴ図柄たる「赤チェリー」図柄を共にいずれかの有効ライン上に到達させることが可能となる。説明は省略するが、第２ＲＴ図柄に対する第１ＢＴ図柄と第３ＢＴ図柄の関係、第１ＲＴ図柄に対する第２ＢＴ図柄と第３ＢＴ図柄の関係も同じである。
【０２７２】
中リール３２Ｍと右リール３２Ｒには、ＲＴ図柄たる「ベル」図柄が、同種図柄同士の間隔が３図柄以下となるようにして配置されている。したがって、中リール３２Ｍと右リール３２Ｒについては、中ストップスイッチ４３と右ストップスイッチ４４の操作タイミングに関わらず、ＲＴ図柄を任意の有効ライン上に停止させることができる。中リール３２Ｍと右リール３２ＲのＢＴ図柄は任意の図柄であるため、中ストップスイッチ４３と右ストップスイッチ４４の操作タイミングに関わらず、ＢＴ図柄を任意の有効ライン上に停止させることができる。
【０２７３】
したがって、複数当選役のいずれかに当選し、対応するＲＴ入賞又はＢＴ入賞を成立させる場合には、左リール３２Ｌの当選ＲＴ図柄又は当選ＢＴ図柄を狙って左ストップスイッチ４２を操作すれば良い。
【０２７４】
さて、複数当選役に当選した場合、遊技状態が通常状態であればＲＴ入賞とＢＴ入賞のいずれが成立するかによって遊技者の有利度合いが大きく異なることとなる。ＲＴ入賞を成立させた場合には、遊技状態が遊技者に有利なＲＴ状態に移行する一方、ＢＴ入賞を成立させた場合には、遊技状態が遊技者に不利なＢＴ状態に移行してしまうからである。さらにいうと、ＲＴ状態下で第１ＢＢ〜第３ＢＢのいずれかに当選した場合には、ＢＴ状態下で第１ＢＢ〜第３ＢＢのいずれかに当選した場合と比して、ＢＢ状態下でより多くのメダルを獲得することができるからである。
【０２７５】
第１複数当選役に当選している状況下で遊技者が特定操作を行うことなく遊技を進行させた場合には、少なくとも全リール３２Ｌ，３２Ｍ，３２Ｒが停止するまで当選役が報知されることはない。そこで、かかる場合には、複数当選役以外の役と対応する入賞も含めていずれの入賞を成立させるべくストップスイッチ４２〜４４を操作するのかを遊技者が選択する必要がある。いずれの役に当選しているのかを遊技者が推測する必要があるとも言える。
【０２７６】
ここで、遊技者が第１ＲＴに当選していると推測し、左リール３２Ｌの第１ＲＴ図柄たる「赤７」図柄をいずれかの有効ライン上に停止させるべく左ストップスイッチ４２を最初に操作した場合、「赤７」図柄がいずれかの有効ライン上に停止する。その後、「赤７」図柄の停止した有効ライン上に中リール３２Ｍと右リール３２Ｒの「ベル」図柄が停止し、第１ＲＴ入賞が成立する。
【０２７７】
一方、遊技者が第１ＲＴ以外の例えば第２ＲＴに当選していると推測し、左リール３２Ｌの第２ＲＴ図柄たる「青７」図柄をいずれかの有効ライン上に停止させるべく左ストップスイッチ４２を最初に操作した場合、第２ＲＴには当選していないため、第２ＲＴ入賞が成立することはない。このとき特に、７番の「リプレイ」図柄〜１０番の「赤チェリー」図柄が下段に到達している際に左ストップスイッチ４２を操作した場合、第１ＢＴ図柄たる「赤チェリー」図柄がいずれかの有効ライン上に停止し、全リール３２Ｌ，３２Ｍ，３２Ｒの停止後に第１ＢＴ入賞が成立することとなる。１１番の「リプレイ」図柄〜１３番の「青７」図柄が下段に到達している際に左ストップスイッチ４２を操作した場合、第１ＲＴ入賞と第１ＢＴ入賞のいずれも成立せず、取りこぼしが発生することとなる。
【０２７８】
同様に、第３ＲＴに当選していると推測し、左リール３２Ｌの第３ＲＴ図柄たる「白７」図柄をいずれかの有効ライン上に停止させるべく左ストップスイッチ４２を最初に操作した場合、第１ＢＴ入賞が成立するか取りこぼしが発生することとなる。具体的には、４番の「リプレイ」図柄〜６番の「白７」図柄が下段に到達している際に左ストップスイッチ４２を操作した場合、第１ＢＴ図柄たる「赤チェリー」図柄がいずれかの有効ライン上に停止し、全リール３２Ｌ，３２Ｍ，３２Ｒの停止後に第１ＢＴ入賞が成立することとなる。また、０番の「リプレイ」図柄〜３番の「青チェリー」図柄が下段に到達している際に左ストップスイッチ４２を操作した場合、第１ＲＴ入賞と第１ＢＴ入賞のいずれも成立せず、取りこぼしが発生することとなる。
【０２７９】
なお、中ストップスイッチ４３又は右ストップスイッチ４４を最初に操作した場合には、いずれかの有効ライン上に「ベル」図柄が停止することとなるため、ＲＴ入賞成立となる有効ライン上に左リール３２ＬのＲＴ図柄を停止させるべく左ストップスイッチ４２を操作する必要がある。すなわち、左ストップスイッチ４２を最初に操作する場合であれば、左リール３２ＬのＲＴ図柄が上段，中段，下段のいずれかに停止するように左ストップスイッチ４２を操作すれば良いが、例えば中ストップスイッチ４３を最初に操作し、中リール３２ＬのＲＴ図柄たる「ベル」図柄が上段に停止した場合、ＲＴ入賞の成立する有効ラインは上ラインに限定されるため、左リール３２ＬのＲＴ図柄を上段に停止させるべく左ストップスイッチ４２を操作する必要がある。
【０２８０】
このように、複数当選役のいずれかに当選している状況下で遊技者が当選役と対応していないＲＴ図柄を狙って左ストップスイッチ４２を操作すると、ＲＴ入賞ではなく当選役と対応するＢＴ入賞が成立する場合がある。なお、遊技者がＢＴ入賞を成立させるべく左ストップスイッチ４２を操作した場合についても同様であり、当選役と対応していないＢＴ図柄を狙って左ストップスイッチ４２を操作すると、ＢＴ入賞ではなく当選役と対応するＲＴ入賞が成立する場合がある。
【０２８１】
補助演出の説明に戻り、全リール３２Ｌ，３２Ｍ，３２Ｒを停止させる前に当選役を把握したい、或いは当選役に関するヒントを得たいと考える遊技者は、特定操作を行うことにより、当選役を把握することや当選役に関するヒントを得ることが可能となる。
【０２８２】
すなわち、遊技者が第１クレジット投入スイッチ５６→第２クレジット投入スイッチ５７→第３クレジット投入スイッチ５８→スタートレバー４１の順で遊技の進行に関与しない操作を行った場合には、かかるタイミングで役の抽選に当選していることが報知される。つまり、遊技者は、前記特定操作を行うことにより、第１複数当選役に当選していること自体は把握できないものの、何らかの役に当選していることを把握することができる。
【０２８３】
遊技者が第１クレジット投入スイッチ５６→第３クレジット投入スイッチ５８→第２クレジット投入スイッチ５７→スタートレバー４１の順で遊技の進行に関与しない操作を行った場合には、かかるタイミングで第１ＢＢ〜第３ＢＢのいずれにも当選していないことが報知される。つまり、遊技者は、前記特定操作を行うことにより、第１複数当選役に当選していること自体は把握できないものの、当選していると推測する役を第１ＢＢ〜第３ＢＢ以外の役に絞り込むことができる。
【０２８４】
遊技者が第２クレジット投入スイッチ５７→第１クレジット投入スイッチ５６→第３クレジット投入スイッチ５８→スタートレバー４１の順で遊技の進行に関与しない操作を行った場合には、かかるタイミングで第１ＲＴ〜第３ＲＴのいずれかに当選していることが報知される。つまり、遊技者は、前記特定操作を行うことにより、第１複数当選役に当選していること自体は把握できないものの、当選していると推測する役を第１複数当選役〜第３複数当選役の３種類に絞り込むことができる。
【０２８５】
遊技者が第２クレジット投入スイッチ５７→第３クレジット投入スイッチ５８→第１クレジット投入スイッチ５６→スタートレバー４１の順で遊技の進行に関与しない操作を行った場合には、かかるタイミングで第１ＲＴ及び第１ＢＴに加えて当選していない第２複数当選役と対応する第２ＲＴ及び第２ＢＴが報知される。つまり、遊技者は、前記特定操作を行うことにより、第１複数当選役に当選していること自体は把握できないものの、当選していると推測する役を第１複数当選役と第２複数当選役の２種類に絞り込むことができる。
【０２８６】
遊技者が第３クレジット投入スイッチ５８→第２クレジット投入スイッチ５７→第１クレジット投入スイッチ５６→スタートレバー４１の順で遊技の進行に関与しない操作を行った場合には、かかるタイミングで第１ＲＴと第１ＢＴに当選していることが報知される。つまり、遊技者は、前記特定操作を行うことにより、第１複数当選役に当選していることを把握することができ、第１ＲＴ入賞と第１ＢＴ入賞のいずれを成立させるのかを選択することができる。なお、１１番の「リプレイ」図柄〜１３番の「青７」図柄，０番の「リプレイ」図柄〜３番の「青チェリー」図柄のいずれかが下段に到達している際に左ストップスイッチ４２を操作した場合、第１ＲＴ図柄と第１ＢＴ図柄のいずれも有効ライン上に停止せず、取りこぼしが発生することとなる。このため、遊技者が第１ＲＴ入賞と第１ＢＴ入賞のいずれも成立させない選択を行うことも可能である。
【０２８７】
以上詳述した本実施の形態によれば、以下の優れた効果を奏する。
【０２８８】
遊技の進行に関与しない状況下でクレジット投入スイッチ５６〜５８が所定の順序で操作された後にスタートレバー４１が操作された場合、特定操作がなされたと判定し、補助演出部にて補助演出を行わせる構成とした。かかる構成においては、特定操作を行うことなく回転中のリールと対応するストップスイッチを操作して遊技を進行させた場合、補助演出フラグがセットされている場合に限って補助演出が行われることとなり、補助演出フラグがセットされていない遊技回では各リール３２Ｌ，３２Ｍ，３２Ｒの停止結果から役の抽選結果を把握する必要が生じる。一方、特定操作を行ってから回転中のリールと対応するストップスイッチを操作して遊技を進行させた場合、役の抽選結果を把握した上で、又は役の抽選結果をある程度推測した上で遊技を進行させることが可能となるため、ＢＢ当選を察知することなく遊技を終了してしまう機会や、取りこぼしの発生する機会を低減させることが可能となる。つまり、遊技者が補助演出を通じて役の抽選結果を把握したいと考える遊技回において、補助演出が行われることを期待しつつ遊技者が特定操作を行えば良い。故に、遊技者が補助演出を通じて役の抽選結果を把握したいと考える遊技回で、さらには遊技者の望むタイミングで補助演出を行うことが可能となり、遊技者の遊技意欲を減退させることなく補助演出を行うことが可能となる。
【０２８９】
特定操作がなされたことに基づいて補助演出を行う場合、特定操作がなされたと判定した操作順序に応じた内容の補助演出を行う構成とした。かかる構成とすることにより、クレジット投入スイッチ５６〜５８をどのような操作順序で操作するかを通じて遊技者が補助演出の演出内容を選択することが可能となり、遊技の進行のみならず補助演出に関しても遊技者を積極関与させることが可能となる。例えば、当選役を明確に把握した上で各リール３２Ｌ，３２Ｍ，３２Ｒを停止させたい遊技者であれば、第３クレジット投入スイッチ５８→第２クレジット投入スイッチ５７→第１クレジット投入スイッチ５６の順で操作した後にスタートレバー４１を操作すれば良いし、当選役を遊技者自身が推測できる余地を残しつつ当選役に関するヒントを得たい遊技者であれば、例えば第２クレジット投入スイッチ５７→第３クレジット投入スイッチ５８→第１クレジット投入スイッチ５６の順で操作した後にスタートレバー４１を操作すれば良いからである。
【０２９０】
ベット順序テーブルには、特定操作がなされたと判定される操作順序を予め５パターン設定するとともに、補助演出にて報知する内容をこれら操作順序とそれぞれ対応付けた。かかる構成とすることにより、特定操作がなされたと判定した後に速やかに行うべき補助演出の演出内容を決定することが可能となり、補助演出に関わる処理負荷を低減させることが可能となる。
【０２９１】
さらにいうと、遊技者に有利なＲＴ状態に移行し得るＲＴ入賞と、遊技者に不利なＢＴ状態に移行し得るＢＴ入賞とを備えたスロットマシン１０においては、遊技者によって或いは自己の所有するメダル等を考慮した遊技状況によって多様な考えを抱くことが想定される。ＲＴ入賞とＢＴ入賞のいずれが成立するかによってその後の遊技者の有利度合いが異なることとなるため、例えば有利度合いの大きな遊技状態でより多く遊技したいと考える遊技者は、複数当選役に当選した場合に必ず当選役が報知されることを望むと想定される。一方、ＢＴ状態に移行するリスクも含めた遊技性を楽しみたいと考える遊技者は、当選役自体が報知されることは望まないものの複数当選役に当選していることは報知されることを望むと想定される。したがって、特定操作がなされたと判定される操作順序を予め複数設定するとともに、その操作順序によって補助演出にて報知される内容が変化する構成とすることにより、遊技者が報知してほしいと望む内容を遊技者自身が特定操作を通じて選択することができる。故に、遊技者の意向に即した形で補助演出を行うことが可能となり、遊技者の遊技意欲を減退させることなく補助演出を行うことが可能となる。
【０２９２】
遊技の進行への役割を終えたクレジット投入スイッチ５６〜５８及びスタートレバー４１が所定の順序で操作された場合に、特定操作がなされたと判定する構成とすることにより、遊技の進行に関わるスタートレバー４１やストップスイッチ４２〜４４と別個に補助演出を行わせるためのスイッチ等を設ける必要が無くなり、スロットマシン１０の部品点数増加を抑制することが可能となる。
【０２９３】
ベット順序記憶処理では、クレジット投入スイッチ５６〜５８に対してなされた操作がベット順序テーブルに規定された操作順序と一致するか否かを判定することなくベット順序記憶エリアの各記憶エリアにベット操作フラグをセットする構成とした。そして、第３記憶エリアにベット操作フラグがセットされている状況下でスタートレバー４１が操作された場合に限ってベット順序テーブルを参照し、規定された操作順序と一致するか否かを判定する構成とした。かかる構成とすることにより、補助演出に関わる処理負荷を低減させることが可能となる。本構成のようにクレジット投入スイッチ５６〜５８及びスタートレバー４１が所定の順序で操作された場合に特定操作がなされたと判定して補助演出を行う構成においては、補助演出の実行タイミングが遊技者に依存することとなる。また、特定操作がなされたと判定されるためには複数の操作を要するため、遊技者が途中でクレジット投入スイッチ５６〜５８及びスタートレバー４１に対する操作を終了してしまう可能性も考えられる。したがって、ベット操作がなされる度に操作順序を確認する構成とした場合には、当該確認処理が無駄なものとなってしまう機会が生じ得るからである。さらに、ベット操作がなされる度に操作順序を確認する構成とした場合には、最初に操作されたクレジット投入スイッチに応じて２回目以降に規定順序で操作されたと判定すべきクレジット投入スイッチを変更する必要が生じるため、処理構成が複雑化する可能性も懸念される。
【０２９４】
ベット順序記憶エリアにセットされたベット操作フラグは、例えばベット操作が４回なされた場合等の特定操作がなされなかったと判定した場合を除いて、開始コマンドを受信した場合にクリアされる構成とした。つまり、ベット順序記憶エリアにセットされたベット操作フラグは、１遊技回において少なくとも特定操作がなされたか否かが判定されるまで記憶される。かかる構成とすることにより、特定操作がなされたと判定されるために複数回の操作を要する構成であっても、特定操作の煩雑化を抑制することが可能となり、補助演出の開始契機について遊技者を積極参加させることが可能となる。
【０２９５】
確かに、例えばリールが停止する毎にベット順序記憶エリアにセットされたベット操作フラグをクリアする構成とすることも可能である。しかしながら、かかる構成においては、例えば第１停止指令を発生させた後にクレジット投入スイッチ５６〜５８を規定の順序で３回操作し、その後にスタートレバー４１ではなく誤って回転中のリールと対応するストップスイッチを操作してしまうと、第２停止指令の発生に伴ってベット順序記憶エリアにセットされたベット操作フラグがクリアされることとなる。このため、補助演出を行わせたいと考える遊技者は、第２停止指令の発生後に改めてクレジット投入スイッチ５６〜５８を規定の順序で３回操作する必要が生じ、補助演出を行わせるための操作の煩雑化が懸念されることとなる。また、かかる構成においては、回転中のリールと対応するストップスイッチを誤って操作してしまった時点で遊技者が当選役を把握しようという意欲を減退させてしまう可能性も考えられる。一方、開始コマンドを受信した場合にベット順序記憶エリアにセットされたベット操作フラグをクリアする本スロットマシン１０においては、例えば第１停止指令を発生させた後にクレジット投入スイッチ５６〜５８を規定の順序で３回操作し、その後にスタートレバー４１ではなく誤って回転中のリールと対応するストップスイッチを操作してしまったとしても、その後にスタートレバー４１を操作すれば、特定操作がなされたと判定されることとなる。故に、上記各懸念を好適に解消することができる。
【０２９６】
表示制御装置８１が抽選結果コマンド処理にて補助演出を行うと決定した状況下で特定操作がなされたと判定した場合、全リール３２Ｌ，３２Ｍ，３２Ｒの停止後に役の抽選結果を報知するのではなく、特定操作のなされたタイミングで操作順序に応じた補助演出を行うよう補助演出の実行タイミングを変更する構成とした。表示制御装置８１側で定めたタイミングではなく、特定操作のなされたタイミングで補助演出を行うことにより、遊技者の意向に即した補助演出を行うことが可能となる。故に、補助演出の実行タイミングについて遊技者を積極関与させることが可能となる。また、特定操作とは遊技の進行への関与を終えた操作部材を所定の操作順序で操作することであるため、リールの停止数を増加させることなく役の抽選結果の報知タイミングを早めることが可能となり、取りこぼしの発生する機会を低減させることが可能となる。
【０２９７】
抽選結果コマンド処理にて補助演出を行わないと決定した状況下で特定操作がなされたと判定した場合、補助演出を行わないという決定結果にも関わらず、操作順序と対応する補助演出を行うべく駆動データを設定する構成とした。かかる構成とすることにより、補助演出を行う予定がない遊技回であっても、進行への関与を終えた操作部材を所定の操作順序で操作すれば、補助演出を通じて役の抽選結果を把握できるようになる。したがって、例えば遊技者が遊技を終了しようと考えた遊技回で第１ＢＢ〜第３ＢＢのいずれかに当選し、当該ゲームで補助演出が行われなかった場合であっても、全リール３２Ｌ，３２Ｍ，３２Ｒの停止後に第１クレジット投入スイッチ５６→第２クレジット投入スイッチ５７→第３クレジット投入スイッチ５８の順で操作した後にスタートレバー４１を操作すれば、ＢＢに当選していることを把握することができる。故に、遊技者が不利益を被る機会を好適に低減させることが可能となる。
【０２９８】
クレジット投入スイッチ５６〜５８が所定の順序で操作された後にスタートレバー４１が操作された場合、特定操作がなされたと判定する構成とすることにより、遊技が開始されてから終了するまでの間の任意のタイミングで特定操作を行うことが可能となる。例えば、特定操作がなされたと判定する操作の中にストップスイッチ４２〜４４のいずれかに対する操作を含めた場合、遊技者が特定操作を行うためには少なくとも前記ストップスイッチと対応するリールを停止させる必要が生じ、全リール３２Ｌ，３２Ｍ，３２Ｒが回転している状況下で特定操作を行うことができなくなるからである。
【０２９９】
有効ライン上にＲＴ図柄の組合せが停止した場合、通常状態であれば遊技状態が遊技者に有利なＲＴ状態に移行する。また、左リール４２Ｌには、各ＲＴ毎に異なる図柄が配置されており、１のＲＴ図柄をいずれかの有効ライン上に到達させることが可能なタイミングで左ストップスイッチ４２を操作された場合、他のＲＴ図柄がいずれの有効ライン上にも到達しないよう、これらＲＴ図柄が離間して配置されている。かかる構成とすることにより、いずれのＲＴ入賞を成立させるべく左ストップスイッチ４２を操作するかを遊技者に選択させることが可能となり、遊技者を遊技に積極参加させることが可能となる。
【０３００】
また、左リール３２Ｌには、同一ゲームで当選とならないＲＴ図柄とＢＴ図柄の間隔が３図柄分以下の区間が形成されるようにして、ＲＴ図柄とＢＴ図柄が配置されている。そして、ＢＴ図柄の組合せが有効ライン上に停止した場合、通常状態であれば遊技状態が遊技者に不利なＢＴ状態に移行する。したがって、遊技状態がＲＴ状態に移行することを期待する一方でＢＴ状態に移行することを回避させたい遊技者は、いずれかのＲＴ入賞を成立させるべく左ストップスイッチ４２を操作する場合に、１のＲＴ図柄をいずれかの有効ライン上に到達させることが可能であって、当選しているかもしれないと推測するＢＴ図柄をいずれの有効ライン上にも到達させることが不可能なタイミングで操作する必要がある。他方、遊技状態がＢＴ状態に移行することを許容する遊技者であれば、いずれかのＲＴ入賞を成立させるべく左ストップスイッチ４２を操作する場合に、１のＲＴ図柄をいずれかの有効ライン上に到達させることが可能なタイミングで操作すればよい。故に、遊技状態がＢＴ状態に移行する可能性を許容するか否かも遊技者に考慮させた上で左ストップスイッチ４２を操作させることが可能となり、遊技者を遊技に積極参加させることが可能となる。
【０３０１】
以上の結果、遊技者を遊技に積極参加させることにより、遊技の単調化を抑制することができる。
【０３０２】
ＲＴとＢＴに当選となる複数当選役を設定することにより、１の遊技回でＲＴとＢＴに共に当選となる機会を生じさせることができる。故に、ＲＴ状態とＢＴ状態のいずれにも移行する可能性がある遊技回を生じさせることが可能となり、左ストップスイッチ４２をどのようなタイミングで操作するかの選択をより強く促すことが可能となる。ＲＴ状態に移行することとＢＴ状態に移行することとでは遊技者にとって有利度合いが大きく異なるため、いずれのＲＴ図柄を狙って左ストップスイッチ４２を操作するのか慎重に選択すると考えられるからである。
【０３０３】
左リール３２Ｌには、同一ゲームで当選となるＲＴ図柄とＢＴ図柄が、９図柄分以上離れるようにして配置した。かかる構成とすることにより、ＲＴ図柄をいずれかの有効ライン上に停止させるべく左ストップスイッチ４２を操作した場合には、ＢＴ図柄がいずれの有効ライン上にも到達せず、ＢＴ図柄をいずれかの有効ライン上に停止させるべく左ストップスイッチ４２を操作した場合には、ＲＴ図柄がいずれの有効ライン上にも到達しない構成とすることができる。また、比較的簡単な構成で左リール３２Ｌに関わる停止制御を行いつつ、左リール３２Ｌの停止結果を遊技者の選択結果に即したものとすることが可能となる。
【０３０４】
仮に、特定のタイミングで左ストップスイッチ４２が操作された場合に、同一ゲームで当選となるＲＴ図柄とＢＴ図柄のいずれも有効ライン上に到達させることが可能となるよう、左リール３２Ｌに上記各図柄を配置した場合、いずれの図柄を優先的に有効ライン上に停止させるのか、いずれの入賞を優先的に成立させるのか等を考慮して左リール３２Ｌの停止制御を行う必要が生じ、左リール３２Ｌに関わる停止制御が複雑化する可能性があるからである。また、ＲＴ図柄を優先的に有効ライン上に停止させるためのスベリテーブルと、ＢＴ図柄を優先的に有効ライン上に停止させるためのスベリテーブルを別個に用意する必要が生じ、予め記憶させるデータ量の増大化も懸念されることとなる。さらに、一方の図柄を優先的に有効ライン上に停止させる構成とした場合、他方の図柄を有効ライン上に停止させるべく遊技者が左ストップスイッチ４２を操作していると、遊技者の選択結果が左リール３２Ｌの停止結果に反映されないこととなる。つまり、ＲＴ図柄とＢＴ図柄に優先度合いの差異を設けた場合、いずれの図柄を有効ライン上に停止させるべく左ストップスイッチ４２を操作するか遊技者に選択させる意味が希薄化してしまう可能性が懸念されることとなる。
【０３０５】
左リール３２Ｌには、各ＢＴ毎に異なる図柄が配置されており、１のＢＴ図柄をいずれかの有効ライン上に到達させることが可能なタイミングで左ストップスイッチ４２を操作された場合、他のＢＴ図柄がいずれの有効ライン上にも到達しないよう、これらＢＴ図柄が離間して配置されている。かかる構成とすることにより、遊技状態がＢＴ状態に移行することを回避させたい遊技者は、当選していないと推測したＢＴ図柄をいずれかの有効ライン上に到達させることが可能なタイミングで左ストップスイッチ４２を操作すればよい。故に、遊技者を遊技に積極参加させることにより、遊技の単調化を抑制することが可能となる。
【０３０６】
主制御装置１０１から遊技状態や遊技の進行状況に応じて各種コマンドを出力し、表示制御装置８１が受信したコマンドに基づいて補助演出部の駆動制御を行う構成とすることにより、主制御装置１０１に処理負荷が集中することを抑制することが可能となる。
【０３０７】
表示制御装置８１において、電源投入に伴い起動される表示メイン処理にて駆動データ出力処理を行い、主制御装置１０１からのコマンドが入力した場合には表示メイン処理に割り込んでコマンド受信処理を行う構成とすることにより、補助演出部を駆動する処理より優先してコマンド受信処理を行うことが可能となる。故に、補助演出部を駆動する処理を行っていたがためにコマンド受信処理を行うタイミングが遅れ、遊技の進行状況と補助演出とにずれが生じることを抑制することが可能となる。
【０３０８】
表示タイマ割込み処理では割込みタイマカウンタの値を更新する処理のみを行う構成とすることにより、表示タイマ割込み処理を短時間で終了させて表示メイン処理に復帰させることが可能となる。故に、表示タイマ割込み処理が複数回にわたって連続して行われたためにコマンド受信処理に移行するタイミングが遅れる等の不具合の発生を抑制することが可能となる。また、表示メイン処理にて駆動データを出力する構成とした場合、補助演出を時間的に同期させる方法が問題となる。表示タイマ割込み処理にて駆動データ出力処理を行う構成とすればほぼ定期的に駆動データを出力できる一方、表示メイン処理にて駆動データ出力処理を行う構成とした場合、駆動データ出力処理を行ってから次に駆動データ出力処理を行うまでに要する時間が変動し得るからである。そこで、表示タイマ割込み処理にて割込みタイマカウンタの値を更新する処理を行うと共に、割込みタイマカウンタの値に基づいて駆動データ出力処理を行う構成とすることにより、主制御装置１０１から補助演出を同期させるためのコマンドを出力せずとも表示制御装置８１側にてゲームの進行に即した補助演出部の駆動制御を行うことが可能となり、主制御装置１０１の処理負荷を好適に分散することが可能となる。さらにいうと、主制御装置１０１と表示制御装置８１の協働の下でゲームの進行に即した補助演出を行う方法として、駆動データ出力処理を表示タイマ割込み処理で行う構成とし、表示タイマ割込み処理の最中にコマンド入力があった場合にはコマンド受信処理に移行する構成、すなわち多重割込みを許可する構成とすることも確かに可能である。しかしながら、かかる構成とした場合にはコマンド受信処理を割り込ませるタイミングを予め想定した上でプログラムを作成する必要があり、プログラムの複雑化に伴うデバック工数の増大化が懸念されることとなる。
【０３０９】
表示メイン処理における受信コマンドチェック処理にて行うべき補助演出を決定する構成とすることにより、コマンド割込み処理を比較的短時間で終了させつつ表示メイン処理に復帰させることが可能となる。故に、表示メイン処理に割り込んでコマンド受信処理を行っている最中に表示タイマ割込み処理を行うタイミングが来る機会を低減させることが可能となり、割込みタイマカウンタの更新処理を行うタイミングが遅れることを抑制することが可能となる。この結果、各処理を好適な形で並列的に行うことが可能となり、主制御装置１０１と表示制御装置８１の協働の下でゲームの進行状況に即した補助演出を行うことが可能となる。
【０３１０】
主制御装置１０１は、タイマ割込み処理のコマンド出力処理Ｓ１１０にて各種コマンドを表示制御装置８１に対して送信する。主制御装置１０１のタイマ割込み処理は１．４９ｍｓｅｃ毎に行われる処理であるため、各種コマンドは表示制御装置８１に対して１．４９ｍｓｅｃ間隔で送信されることとなる。したがって、表示制御装置８１では、表示タイマ割込み処理とコマンド割込み処理とを１．４９ｍｓｅｃ以内に終了させる構成とすれば、表示メイン処理下でコマンドを受信する機会を高めることが可能となり、コマンドを受信した際に速やかにコマンド割込み処理に移行することが可能となる。そこで、表示タイマ割込み処理では駆動データの出力処理を行うことなく割込みタイマカウンタの更新処理のみを行う構成とすることにより、表示タイマ割込み処理に要する時間を短縮させることができ、表示タイマ割込み処理とコマンド割込み処理とを１．４９ｍｓｅｃ以内に終了させることが可能となる。さらに、コマンド割込み処理においてもいずれのコマンドを受信したかを把握する処理のみを行い、補助演出の具体的な決定は表示メイン処理下で行う構成とすることにより、コマンド割込み処理に要する時間を短縮させることができる。ちなみに、かかる構成における表示タイマ割込み処理とコマンド割込み処理に要する処理時間の総和は約１００μｓｅｃであり、１．４９ｍｓｅｃより十分に短い。故に、いずれかの割込み処理を行っていたがためにコマンド受信処理を行うタイミングが遅れ、遊技の進行状況と補助演出とにずれが生じることを好適に抑制することが可能となる。
【０３１１】
表示メイン処理が駆動データ出力処理と受信コマンドチェック処理とを行ってループする構成とし、コマンドが入力した場合と１ｍｓｅｃが経過した場合に表示メイン処理に割り込んでコマンド割込み処理と表示タイマ割込み処理を行う構成とすることにより、主制御装置１０１からのコマンド入力に基づいて決定した補助演出の最新駆動データを補助演出部に出力することが可能となる。例えば表示タイマ割込み処理にて駆動データを出力する構成とした場合、コマンド受信処理はタイマ割込み処理の終了後すなわち駆動データ出力処理の終了後に行われることとなる。しかしながら、タイマ割込み処理が１ｍｓｅｃ以内に終了しなかった場合、タイマ割込み処理が複数回にわたって繰り返し行われることとなり、それに伴ってコマンド受信処理が遅れることとなる。これは、遊技の進行状況に変化が訪れているにも関わらず、それ以前に決定された補助演出を行うための駆動データが繰り返し出力されることに繋がる。一方、本実施形態の場合、駆動データ出力処理を行っている最中であってもコマンド割込み処理に移行することができ、駆動データ出力処理が終了した後には受信したコマンドに基づいて受信コマンドチェック処理を行うことができる。つまり、次回の駆動データ出力処理時には受信コマンドチェック処理にて決定した補助演出を行わせるための最新駆動データを出力できる。故に、遊技の進行状況に即した補助演出を行うことが可能となる。
【０３１２】
割込みタイマカウンタの値が０でない場合、すなわち表示タイマ割込み処理が行われた場合に駆動データ出力処理を行う構成とすることにより、駆動データの出力を定期的に行うことが可能となる。表示タイマ割込み処理は定期的（１ｍｓｅｃ毎）に行われる処理だからである。また、割込みタイマカウンタの値が０の場合には駆動データ出力処理を行わないため、速やかに受信コマンドの有無を確認することが可能となる。以上の結果、表示メイン処理のうちループ内で行われる処理（Ｓ１６０２〜Ｓ１６０８）に要する時間を短くすることが可能となり、ゲームの進行状況に即した補助演出を行うことが可能となる。
【０３１３】
駆動データ出力処理において、割込みタイマカウンタの値を１０ｍｓｅｃタイマカウンタの値に加算する処理を行い、１０ｍｓｅｃタイマカウンタの値が１０以上となった場合に駆動データ変更処理を行う構成とすることにより、駆動データの変更タイミングを計る機能を１０ｍｓｅｃカウンタに付与することが可能となり、割込みタイマカウンタに駆動データ出力処理を行うタイミングを計る機能と駆動データの変更タイミングを計る機能という機能の集中化が生じることを回避することが可能となる。故に、プログラムの簡素化を図ることが可能となる。仮に割込みタイマカウンタの値に基づいて１０ｍｓｅｃが経過したか否かを判定する構成とした場合、割込みタイマカウンタが更新された場合に駆動データ出力処理を行う構成とするためには、前回の処理で確認した割込みタイマカウンタの値を記憶しておく必要が生じ、プログラムが複雑化するからである。また、表示メイン処理において駆動データ出力処理を行う構成の場合、割込みタイマカウンタ値を確認してから次回の割込みタイマカウンタ値を確認するまでの間に、駆動データ出力処理又は受信コマンドチェック処理に時間を要し、表示タイマ割り込み処理が複数回行われる可能性がある。故に、１０ｍｓｅｃタイマカウンタの値が１０以上となった場合に駆動データ変更処理を行う構成とすることにより、ほぼ１０ｍｓｅｃが経過する毎に駆動データ変更処理を行うことが可能となる。さらに、１０ｍｓｅｃが経過していない状況下では駆動データ変更処理を行うことなく次の処理に移行するため、表示メイン処理における１回のループに要する処理時間の短縮化を図ることが可能となる。さらにいうと、駆動データ変更処理では、遊技者が遊技を進行させずに放置した場合を想定した駆動データの変更処理等を行うため、補助演出を行わせるべく駆動データを出力する駆動データ出力処理と比して、多少の時間的な揺らぎは許容されることが一般的である。そこで、駆動データ変更処理は１０ｍｓｅｃタイマカウンタの値が１０以上となった場合に行う構成とすることにより、定期的に且つ効率よく駆動データ変更処理を行うことが可能となる。
【０３１４】
駆動データ出力処理において、駆動データ切換処理を行った後に割込みタイマカウンタの値をクリアする構成とすることにより、駆動データ出力処理を行うか否かを判定する場合に割込みタイマカウンタの値が０か否かを判定すればよく、前回の処理時における割込みタイマカウンタの値を記憶しておく必要がない。故に、プログラムの簡素化を図ることが可能となると共に、定期的な駆動データの出力を行うことが可能となる。また、駆動データ出力処理と受信コマンドチェック処理を行っている最中に割込みタイマカウンタの値が複数回更新された場合であっても、割込みタイマカウンタの更新回数分だけ駆動データ出力処理を行うといった事象が発生しない。故に、タイマ割込み処理が複数回にわたって繰り返し行われたためにコマンド割込み処理への移行が遅れるといった不具合も発生しない。つまり、割込みタイマカウンタの値が複数化更新された場合であっても、次回の駆動データ出力処理時には受信コマンドチェック処理にて決定した補助演出を行わせるための最新駆動データを出力できる。以上の結果、ゲームの進行状況に即した補助演出を行うことが可能となる。
【０３１５】
コマンド割込み処理を行っている最中には表示タイマ割込み処理の割り込みを禁止し、表示タイマ割込み処理を行っている最中にはコマンド割り込み処理の割込みを禁止する構成とすることにより、表示メイン処理に割り込んで一方の割込み処理を行っているにも関わらずさらに他方の割込み処理が割り込む多重割込み構成を回避することが可能となり、プログラム構成を比較的簡単なものとすると共にデバック工数の増大化を抑制することが可能となる。さらにいうと、多重割込み構成を回避した場合、上述した通りコマンドデータを読み込むタイミングが遅れる可能性が懸念されることとなる。しかしながら、本実施形態の場合、表示タイマ割込み処理では割込みタイマカウンタの更新処理を行うのみであるため、前記懸念を最小限に留めることができる。
【０３１６】
表示タイマ割込み処理では割込みタイマカウンタの値を更新する処理のみを行う構成とすることにより、表示制御装置８１は、補助演出部に駆動データを出力しつつコマンド入力を待つことが可能となり、コマンド入力があった場合には速やかにコマンド受信処理に移行することが可能となる。したがって、遊技の進行状況と補助演出とにずれが生じることを好適に抑制することが可能となる。
【０３１７】
スロットマシンの場合、遊技者によるスタートレバー４１やストップスイッチ４２〜４４の操作に基づいて遊技が進行するため、同じ補助演出を行う場合であってもその変更タイミングや終了タイミングは遊技者の操作に応じて変動することとなる。つまり、主制御装置１０１からコマンドが送信されるタイミングはその都度変動するため、表示制御装置８１がコマンドを適正なタイミングで受信できなかった場合、遊技の進行状況と補助演出とにずれが生じることが多分に生じ得る。したがって、表示メイン処理にて駆動データ出力処理を行うと共に表示タイマ割込み処理では割込みタイマカウンタの更新処理のみを行う構成とすることにより、主制御装置１０１と表示制御装置８１の協働の下でゲームの進行に即した補助演出を好適に行うことが可能となる。
【０３１８】
なお、上述した実施の形態の記載内容に限定されず、例えば次のように実施してもよい。
【０３１９】
（１）上記実施の形態では、クレジット投入スイッチ５６〜５８が規定の順序で操作された後にスタートレバー４１が操作された場合、特定操作がなされたと判定する構成としたが、クレジット投入スイッチ５６〜５８が規定の順序で操作された場合に特定操作がなされたと判定する構成としても良い。かかる構成においては、クレジット投入スイッチ５６〜５８が特定操作手段に相当する。或いは、スタートレバー４１と回転を停止したリールと対応するストップスイッチとが規定の順序で操作された場合に特定操作がなされたと判定する構成としても良い。かかる構成においては、スタートレバー４１とストップスイッチ４２〜４４が特定操作手段に相当する。
【０３２０】
（２）上記実施の形態では、ベット順序テーブルに予め５パターンの操作順序を予め記憶させる構成としたが、かかる構成に限定されるものではなく、予め記憶させておく操作順序のパターン数は複数であれば任意である。
【０３２１】
（３）上記実施の形態では、ベット順序テーブルに、ベット操作の順序として５通りの操作順序を規定するとともに、各操作順序に応じて異なる補助演出を設定する構成としたが、各操作順序のうち一部に同じ補助演出を設定する構成としても良い。つまり、操作順序に対して行うべき補助演出が一義的に定められている構成であって、操作順序に応じた補助演出が行われる構成であれば良い。
【０３２２】
（４）上記実施の形態では、ベット順序テーブルに、ベット操作の順序に対して行うべき補助演出が一義的に定められている構成としたが、ベット操作の順序に対して行うべき補助演出を複数設定し、特定操作がなされたと判定した場合に設定されている補助演出から実際に行う補助演出を選択する構成としても良い。但し、かかる構成とした場合には補助演出に関わる処理負荷が増大化する可能性が懸念される。
【０３２３】
（５）上記実施の形態では、抽選結果コマンド処理にて補助演出抽選に当選した場合、特定操作がなされたと判定せずとも役の抽選結果を報知する補助演出を行う構成としたが、かかる機能を備えなくても良い。すなわち、特定操作がなされたと判定した場合に限って補助演出を行う構成としても良い。かかる構成とした場合には、補助演出を行う機会が遊技者に完全に依存することとなるため、遊技者の意向に即した補助演出を行うことが可能となる。
【０３２４】
（６）上記実施の形態では、抽選結果コマンド処理にて補助演出抽選に当選した場合、全リール３２Ｌ，３２Ｍ，３２Ｒの停止後に役の抽選結果を報知する構成としたが、かかる構成に限定されるものではなく、報知タイミングは任意である。また、補助演出抽選に当選した場合に、全リール回転中，１リール停止後，２リール停止後，全リール停止後の中から報知タイミングを決定する構成としても良い。
【０３２５】
（７）上記実施の形態では、クレジット投入スイッチ５６〜５８が規定の順序で操作された後にスタートレバー４１が操作された場合、クレジット投入スイッチ５６〜５８の操作順序に応じて報知する内容の異なる補助演出を行う構成としたが、補助演出の演出内容が異なる構成であれば良い。したがって、例えば第３クレジット投入スイッチ５８→第２クレジット投入スイッチ５７→第１クレジット投入スイッチ５６→スタートレバー４１の順で操作された場合には、音声にて役の抽選結果を報知するための駆動データを設定し、第２クレジット投入スイッチ５７→第３クレジット投入スイッチ５８→第１クレジット投入スイッチ５６→スタートレバー４１の順で操作された場合には役の抽選結果を画像にて報知するための駆動データを設定し、第２クレジット投入スイッチ５７→第１クレジット投入スイッチ５６→第３クレジット投入スイッチ５８→スタートレバー４１の順で操作された場合には役の抽選結果をランプの色で報知するための駆動データを設定する構成としても良い。
【０３２６】
（８）上記実施の形態では、特定操作がなされたと判定するクレジット投入スイッチ５６〜５８の操作順序がリール３２Ｌ，３２Ｍ，３２Ｒの回転状況（すなわち遊技の進行状況）に関わらず同じ構成としたが、リール３２Ｌ，３２Ｍ，３２Ｒの回転状況に応じて特定操作がなされたと判定するクレジット投入スイッチ５６〜５８の操作順序を変化させる構成としても良い。かかる構成とした場合であっても、上記実施の形態と同様の作用効果を奏することは明らかである。
【０３２７】
（９）上記実施の形態では、クレジット投入スイッチ５６〜５８に対してなされた操作がベット順序テーブルに規定された操作順序と一致するか否かを判定することなくベット順序記憶エリアの各記憶エリアにベット操作フラグをセットする構成としたが、ベット操作がなされる度に操作順序を確認し、規定の操作順序である場合に限ってベット順序記憶エリアの各エリアにベット操作フラグをセットする構成としても良い。
【０３２８】
（１０）上記実施の形態では、開始コマンドを受信した場合と、特定操作がなされたかったと判定した場合に、ベット順序記憶エリアにセットされたベット操作フラグをクリアする構成としたが、これに代えて又は加えて、特定操作がなされたと判定した場合にベット順序記憶エリアにセットされたベット操作フラグをクリアする構成としても良い。
【０３２９】
（１１）上記実施の形態では、次遊技回を開始させるべくスタートレバー４１を操作された場合にベット順序記憶エリアにセットされたベット操作フラグをクリアする構成としたが、次遊技回を開始させるべくメダルがベットされた場合にベット順序記憶エリアにセットされたベット操作フラグをクリアする構成としても良い。
【０３３０】
（１２）上記実施の形態では、停止前処理において開始後処理を行う構成としたが、これに加えて、回転開始処理においても開始後処理を行う構成としても良い。すなわち、各リール３２Ｌ，３２Ｍ，３２Ｒは、開始指令が発生したとしてもウエイト時間を経過していなければ直ちに回転を開始せず、また直ちに回転を開始したとしても定速で回転するまでには所定の時間を要する。そこで、これら期間においても開始後処理を行うことにより、より遊技者の意向に即したタイミングで補助演出を行うことが可能となる。
【０３３１】
（１３）上記実施の形態では、表示制御装置８１がベット操作コマンドを受信した場合に対応するベット操作フラグをベット順序記憶エリアにセットして特定操作がなされたか否かを判定する構成、すなわち、サブ制御基板たる表示制御装置８１側で特定操作がなされたか否かを把握する構成としたが、メイン制御基板たる主制御装置１０１側で特定操作がなされたか否かを把握する構成としても良い。具体的には、主制御装置１０１にベット順序記憶エリアやベット順序テーブルを設け、特定操作がなされたと判定した場合に表示制御装置８１に特定操作コマンドを出力する構成とする。表示制御装置８１は、特定操作コマンドを受信した場合に、操作順序と対応する補助演出を行うべく駆動データを設定する等の処理を行う構成とする。
【０３３２】
また、表示制御装置８１側でスタートレバー４１や各ストップスイッチ４２〜４４、各クレジット投入スイッチ５６〜５８の操作状況を把握する構成としても良い。一例としてストップスイッチ４２〜４４の場合について説明すると、ストップ検出センサ４２ａ〜４４ａの検出信号が主制御装置１０１に入力された場合、いずれのストップスイッチ４２〜４４が操作されたかを示すストップ操作コマンドを主制御装置１０１が表示制御装置８１に出力する構成とする。ストップ操作コマンドが表示制御装置８１に入力された場合、表示制御装置８１は、回転情報コマンドの示す各リール３２Ｌ，３２Ｍ，３２Ｒの回転状況に基づいて、ストップスイッチになされた操作が、遊技の進行に関与する停止指令なのか、遊技の進行に関与しない停止操作なのかを判断する。そして、第１停止指令の際に操作されたストップスイッチになされた停止操作であると判断した場合に、ベット順序記憶エリアにセットされたベット操作フラグをクリアする構成とする。
【０３３３】
なお、図３２〜図３６に示した補助演出に関わる処理を表示制御装置８１ではなく主制御装置１０１が行う構成としても良いことは言うまでもない。
【０３３４】
（１４）上記実施の形態では、ＲＴとＢＴに当選となる複数当選役を設定した構成について説明したが、複数当選役を設けることなくＲＴとＢＴをそれぞれ単独で当否判定する構成としても良い。かかる構成とした場合であっても、各ＲＴと各ＢＴのいずれかに当選にした場合に、遊技者にいずれの役に当選しているのかを推測させた上で各ストップスイッチ４２〜４４の操作を行うよう促すことが可能となり、遊技の単調化を抑制することができる。
【０３３５】
（１５）上記実施の形態では、ＲＴとＢＴに当選となる複数当選役を設定するとともに、ＲＴのみに当選となる単独当選役やＢＴにのみ当選となる単独当選役を設定しない構成について説明したが、複数当選役と単独当選役を共に備える構成としても良いことは言うまでもない。
【０３３６】
（１６）上記実施の形態では、複数当選役に当選した場合、ＲＴ当選フラグとＢＴ当選フラグをそれぞれセットする構成としたが、かかる構成を変更する。すなわち、複数当選役に当選した場合、複数当選フラグをセットする構成とする。そして、複数当選フラグがセットされている場合、ＲＴ入賞とＢＴ入賞を成立させることが可能となるようにスベリテーブルを設定，変更する構成とする。かかる構成とした場合、各入賞態様と対応する当選フラグ（ＲＴ当選フラグ，ＢＴ当選フラグ）はセットしないものの、複数当選フラグがセットされていればＲＴ入賞とＢＴ入賞を成立させることが可能なため、ＲＴとＢＴに内部当選していることと等しくなる。故に、かかる構成とした場合であっても、上記実施の形態と同様の作用効果を奏することは明らかである。
【０３３７】
（１７）上記実施の形態では、通常状態より遊技者に不利な遊技状態として、第１〜第３ＲＴ入賞のいずれが成立した場合であってもＲＴ状態に移行しないＢＴ状態を設けたが、かかる構成を変更する。
【０３３８】
例えば、通常状態より再遊技の当選確率が低くなる第２ＲＴ状態を設ける構成とする。かかる構成とした場合であっても、再遊技入賞の成立する割合が通常状態よりも低下するため、遊技者に不利な遊技状態となる。他の役の当選確率を低くした場合であっても同様である。
【０３３９】
各役の当選確率を変更することなく、メダル払出の特典が付与される入賞が成立した場合に、通常状態よりもメダル払出数を低下させる払出低下状態を設ける構成とする。例えば、通常状態でベル入賞が成立した場合には４枚のメダル払出を行う一方、払出低下状態でベル入賞が成立した場合には１枚のメダル払出を行う構成とする。
【０３４０】
通常状態でＲＴ入賞が成立した場合には、最大３０ゲーム継続するＲＴ状態に移行させ、不利状態でＲＴ入賞が成立した場合には、ＲＴ状態に移行するものの最大５ゲームしか継続しない構成とする。
【０３４１】
（１８）上記実施の形態では、ＲＴ状態に移行すると高確率で再遊技に当選し、再遊技入賞が成立する構成としたが、高確率でベル入賞等のメダル払出が行われる入賞が成立する構成としても良い。
【０３４２】
（１９）上記実施の形態では、ＲＴ入賞又はＢＴ入賞が成立した場合、遊技状態が通常状態であることを条件として遊技状態が移行する構成としたが、かかる構成を変更する。例えば、ＲＴ状態下でＲＴ入賞が成立した場合、ＲＴ開始処理を再度行って残ゲーム数を増加させる構成とする。同様に、ＢＴ状態下でＢＴ入賞が成立した場合、ＢＴ開始処理を再度行って残ゲーム数を増加させる構成とする。
【０３４３】
（２０）上記実施の形態では、ＲＴ状態下でＢＴ入賞が成立した場合、ＢＴ状態に移行しない構成としたが、ＢＴ状態に移行する構成としても良い。このとき、通常状態でＢＴ入賞が成立した場合には、最大１００ゲーム継続するＢＴ状態に移行させ、ＲＴ状態でＢＴ入賞が成立した場合には、最大５０ゲームしか継続しないＢＴ状態に移行させる構成とすれば、遊技者の有利性を確保することができる。
【０３４４】
（２１）上記実施の形態では、左リール４２Ｌの図柄配列を、各「７」図柄と各「チェリー」図柄がそれぞれ１つずつ配置される図柄配列としたが、いずれかの図柄が複数配置される図柄配列としても良いことは言うまでもない。
【０３４５】
（２２）上記実施の形態では、左リール４２Ｌにおいて、１のＲＴ図柄に対して他のＲＴ図柄が６図柄分以上離れるようにして配置することにより、１のＲＴ図柄をいずれかの有効ライン上に停止させるべく左ストップスイッチ４２が操作された場合に、他のＲＴ図柄がいずれの有効ライン上にも到達しない構成とした。これは、予め定めた規定時間にリールを滑らせることのできる最大滑り数が４図柄であって、表示窓２６Ｌから３個の図柄が視認可能となると共にこれら各位置に有効ラインが設定されるスロットマシンの場合の例である。
【０３４６】
他の構成を備えたスロットマシンの場合、「（リールを滑らせることのできる最大滑り数）＋（左リールにおいて各有効ラインが設定され得る範囲に停止する図柄数、すなわち規定周回体において有効位置設定手段が各有効位置を設定し得る位置に停止する図柄数）−１」図柄以上に各ＲＴ図柄を離間させて配置すれば、上記実施の形態と同様の作用効果を奏することができる。例えば、ストップスイッチの操作されたタイミングでそのまま停止する（リールが滑らない）構成であって、中段にのみ有効ラインを設定するスロットマシンの場合、１のＲＴ図柄に対して他のＲＴ図柄が０（＝０＋１−１）図柄以上離れるように配置すればよい。つまり、かかる構成においては１のＲＴ図柄に対して他のＲＴ図柄が隣接していてもよい。各ＢＴ図柄の配置や同一ゲームで当選となるＲＴ図柄とＢＴ図柄の配置に関しても同様であることは言うまでもない。
【０３４７】
また、所定の有効ライン上に停止させることができない構成のみを考えるのであれば、有効ラインが１ラインのみ設定されるスロットマシンと等しくなるため、「（リールを滑らせることのできる最大滑り数）」図柄以上に各ＲＴ図柄を離間させて配置すれば良い。
【０３４８】
（２３）表示タイマ割込み処理を行う場合にはコマンド割込み処理を禁止し、コマンド割込み処理を行う場合には表示タイマ割込み処理を禁止する構成としたが、各割込み処理を行う場合に他の割込み処理を許可する多重割込み可能な構成としてもよい。但し、かかる場合にはプログラムの複雑化に伴うデバック工数の増大化が懸念されることとなる。
【０３４９】
（２４）上記実施の形態では、表示タイマ割込み処理を行っている場合にはコマンド割込み処理を禁止する構成としたが、主制御装置１０１からの制御信号が表示制御装置８１のＮＭＩ端子に入力されるように構成し、制御信号が入力した場合にはコマンド割込み処理が即座に実行される構成としてもよい。
【０３５０】
（２５）上記実施の形態では、表示メイン処理において、駆動データ出力処理の終了後に受信コマンドチェック処理を行う構成としたが、受信コマンドチェック処理を行った後に駆動データ出力処理を行う構成としてもよい。表示メイン処理はステップＳ１６０２〜Ｓ１６０８の処理がループする構成であるため、かかる構成としても上記実施形態と同様の作用効果を奏することが可能である。
【０３５１】
（２６）上記実施の形態では、補助演出を決定する受信コマンドチェック処理を表示メイン処理の下で行う構成としたが、コマンド割込み処理の下で行う構成としてもよい。但し、かかる構成とした場合にはコマンド割込み処理に要する時間が多大なものとなる可能性が生じるため、表示タイマ割込み処理を定期的に行えない可能性が懸念されることとなる。
【０３５２】
（２７）上記実施の形態では、駆動データ変更処理の終了後に割込みタイマカウンタの値をクリアする構成としたが、かかる構成に限定されるものではなく、１０ｍｓｅｃタイマカウンタの更新処理以降であれば、割込みタイマカウンタの値をクリアするタイミングは任意である。
【０３５３】
（２８）上記実施の形態では、表示制御装置８１が上部ランプ６３，スピーカ６４，補助表示部６５を駆動制御する構成としたが、これに加えて各種表示部６０〜６２や各ストップスイッチ４２〜４４のランプ等を駆動制御する構成としてもよい。つまり、各リール３２Ｌ，３２Ｍ，３２Ｒやホッパ装置５１等の遊技者の利益に関わる装置類を主制御装置１０１が駆動制御する構成とし、上部ランプ６３や補助表示部６５等の補助演出に関わる装置類を表示制御装置８１が駆動制御する構成としてもよい。
【０３５４】
（２９）上記実施の形態では、メダルが３枚ベットされた後に開始指令が発生したか否かを判定する構成としたが、１枚ベットされた後や２枚ベットされた後にも開始指令が発生したか否かを判定する構成としてもよいことは言うまでもない。但し、かかる構成の場合には、ベット状況に応じた抽選テーブルを予め記憶させておく必要がある。
【０３５５】
（３０）上記実施の形態では、１０ｍｓｅｃタイマカウンタの値が１０以上である場合に駆動データ変更処理を行う構成としたが、さらに複数のタイマカウンタを設け、これらタイマカウンタの値に基づいて駆動データ変更処理を行う構成としてもよいことは言うまでもない。例えばステップＳ１８０６では、ＢＧＭ再生中に何もせずに放置された場合、３０秒後にＢＧＭの音量を小さくするフェードアウト処理を行う。したがって、フェードアウト処理用の３０ｓタイマカウンタを設け、駆動データ変更処理を行う毎に３０ｓタイマカウンタの値を１加算する構成とする。かかる構成とすれば、３０ｓタイマカウンタの値が３００となった場合に３０秒経過したことを意味するため、３０ｓタイマカウンタの値に基づいてＢＧＭの音量を小さくすることができる。
【０３５６】
（３１）上記実施の形態では、表示タイマ割込み処理にてコマンド割込みの禁止と許可をプログラムにて行う、すなわちソフトを用いてコマンド割込みの禁止と許可を行う構成としたが、電気回路的に禁止と許可を行う、すなわちハードを用いてコマンド割込みの禁止と許可を行う構成としてもよい。かかる構成とすれば、表示タイマ割込み処理にて割込みタイマカウンタの更新処理のみを行うことが可能となり、表示タイマ割込み処理に要する処理時間を好適に短縮させることが可能となる。
【０３５７】
（３２）上記実施の形態では、付与される特典として、遊技状態が移行する特典と、再遊技の特典の他に、メダルを払い出す特典を備える構成としたが、かかる構成に限定されるものではなく、遊技者に何らかの特典が付与される構成であればよい。例えば、メダルを払い出す特典に代えてメダル以外の賞品を払い出す構成であってもよい。また、現実のメダル投入やメダル払出機能を有さず、遊技者の所有するメダルをクレジット管理するスロットマシンにおいては、クレジットされたメダルの増加が特典の付与に相当する。
【０３５８】
（３３）上記実施の形態では、リールを３つ並列して備え、有効ラインとして５ラインを有するスロットマシンについて説明したが、かかる構成に限定されるものではなく、例えばリールを５つ並列して備えたスロットマシンや、有効ラインを７ライン有するスロットマシンであってもよい。
【０３５９】
（３４）上記実施の形態では、いわゆるＡタイプのスロットマシンについて説明したが、Ｂタイプ、Ｃタイプ、ＡタイプとＣタイプの複合タイプ、ＢタイプとＣタイプの複合タイプ、さらにはＣＴゲームを備えたタイプなど、どのようなスロットマシンにこの発明を適用してもよく、何れの場合であっても上述した実施の形態と同様の作用効果を奏することは明らかである。なお、これらの各タイプにおけるボーナス当選としては、ＢＢ当選、ＲＢ当選、ＳＢ当選、ＣＴ当選などが挙げられる。
【０３６０】
（３５）上記実施の形態では、スロットマシン１０について具体化した例を示したが、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【符号の説明】
【０３６１】
１０…遊技機としてのスロットマシン、３２…循環表示手段を構成すると共に周回体としてのリール、４１…開始操作手段又は始動操作手段としてのスタートレバー、４２〜４４…停止操作手段としてのストップスイッチ、５６…開始操作手段又は入力操作手段としての第１クレジット投入スイッチ、５７…開始操作手段又は入力操作手段としての第２クレジット投入スイッチ、５８…開始操作手段又は入力操作手段としての第３クレジット投入スイッチ、６３…補助演出部又は補助演出手段を構成する上部ランプ、６４…補助演出部又は補助演出手段を構成するスピーカ、６５…補助演出部又は補助演出手段を構成する補助表示部、８１…サブ制御基板としての表示制御装置、８２…特定操作判定手段や実行決定手段等を構成するＣＰＵ、８８…周回状況把握手段等を構成するＲＡＭ、１０１…メイン制御基板としての主制御装置、１０２…メイン制御手段等の各種制御手段を構成するＣＰＵ。
【図１】
0005382557.tif 000002
【図２】
0005382557.tif 000003
【図３】
0005382557.tif 000004
【図４】
0005382557.tif 000005
【図５】
0005382557.tif 000006
【図６】
0005382557.tif 000007
【図７】
0005382557.tif 000008
【図８】
0005382557.tif 000009
【図９】
0005382557.tif 000010
【図１０】
0005382557.tif 000011
【図１１】
0005382557.tif 000012
【図１２】
0005382557.tif 000013
【図１３】
0005382557.tif 000014
【図１４】
0005382557.tif 000015
【図１５】
0005382557.tif 000016
【図１６】
0005382557.tif 000017
【図１７】
0005382557.tif 000018
【図１８】
0005382557.tif 000019
【図１９】
0005382557.tif 000020
【図２０】
0005382557.tif 000021
【図２１】
0005382557.tif 000022
【図２２】
0005382557.tif 000023
【図２３】
0005382557.tif 000024
【図２４】
0005382557.tif 000025
【図２５】
0005382557.tif 000026
【図２６】
0005382557.tif 000027
【図２７】
0005382557.tif 000028
【図２８】
0005382557.tif 000029
【図２９】
0005382557.tif 000030
【図３０】
0005382557.tif 000031
【図３１】
0005382557.tif 000032
【図３２】
0005382557.tif 000033
【図３３】
0005382557.tif 000034
【図３４】
0005382557.tif 000035
【図３５】
0005382557.tif 000036
【図３６】
0005382557.tif 000037
【図３７】
0005382557.tif 000038